(57)【要約】本発明は、任意の（又は１つの）一塩基多型検出技術を使用する、好ましくは増幅拒否性突然変異系（ＡＲＭＳ）のような対立遺伝子特異的増幅技術か又は好ましくはＭｏｌｅｃｕｌａｒ  Ｂｅａｃｏｎｓ若しくはＴａｑｍａｎのような対立遺伝子選択ハイブリダイゼーションプローブ技術のいずれかを使用する、ストロビルリン類似体又はその同一耐性群にある化合物への耐性をもたらす、Saccharomyces cerevisiae シトクロムｂ残基１２９に対応する位置での真菌中の１つ以上のシトクロムｂ突然変異の検出についての診断法に関する。本発明はまた、本方法に使用への突然変異特異的オリゴヌクレオチドとこれらオリゴヌクレオチドを含有する診断用キットに関する。【特許請求の範囲】
【請求項１】
真菌シトクロムｂ遺伝子における、該遺伝子でコードされるタンパク質においてS. cerevisiae シトクロムｂの残基１２９に対応する位置でアミノ酸置換をもたらすような、１つ以上の突然変異の検出方法であって［ここで該突然変異（単一又は複数）の存在は、ストロビルリン類似体又はその同一交差耐性群にある他の化合物への真菌の耐性を生じさせる］、任意の（又は１つの）一塩基多型検出技術を使用して前記突然変異（単一又は複数）の真菌核酸における存在又は非存在を同定することを含んでなる、前記方法。
【請求項２】
真菌シトクロムｂ遺伝子における、該遺伝子でコードされるタンパク質においてS. cerevisiae シトクロムｂの残基１２９に対応する位置でフェニルアラニンからロイシンへの置換（Ｆ１２９Ｌ）をもたらす、１つ以上の突然変異の検出についての請求項１に記載の方法であって［ここで前記突然変異（単一又は複数）の存在は、ストロビルリン類似体又はその同一交差耐性群にある他の化合物への真菌の耐性を生じさせる］、任意の（又は１つの）一塩基多型検出技術を使用して前記突然変異（単一又は複数）の真菌核酸における存在又は非存在を同定することを含んでなる、前記方法。
【請求項３】
請求項１又は請求項２に記載の方法であって、ＰＣＲ反応の間に産生されるアンプリコンの存在を検出することを含み、ここで前記ＰＣＲ反応は、真菌核酸を含んでなる試験サンプルを、適正なヌクレオチド三リン酸と重合化の薬剤の存在下で診断プライマーと接触させることを含み、前記アンプリコンの検出は、前記突然変異（単一又は複数）の前記核酸中の存在又は非存在と直接関連している、前記方法。
【請求項４】
対立遺伝子選択ハイブリダイゼーションプローブ技術を使用する、請求項１又は請求項２に記載の方法。
【請求項５】
真菌シトクロムｂ遺伝子における１つ以上の塩基多型の診断の方法であって、該真菌シトクロムｂタンパク質において S. cerevisiae シトクロムｂ残基１２９に対応する位置でアミノ酸をコードするトリプレット中の１つ以上の塩基に対応する位置で真菌シトクロムｂタンパク質をコードする真菌核酸の配列を決定すること、及び、ストロビルリン類似体又はその同一交差耐性群にある化合物への前記真菌の耐性状態を、シトクロムｂ遺伝子中の１つ以上の多型を参照することにより決定することを含む、前記方法。
【請求項６】
ストロビルリン類似体又はその同一交差耐性群にある他の化合物への真菌の耐性を検出する方法であって、真菌シトクロムｂ遺伝子をコードする真菌核酸において１つ以上の突然変異（単一又は複数）の存在又は非存在を同定することを含んでなり［ここで前記突然変異（単一又は複数）の存在は、ストロビルリン類似体又はその同一交差耐性群にある他の化合物への耐性を生じさせる］、真菌シトクロムｂタンパク質において S. cerevisiae シトクロムｂ残基１２９に対応する位置でアミノ酸をコードするトリプレット中の１つ以上の塩基に対応する位置で起こる一塩基多型の存在又は非存在を同定することを含んでなる、前記方法。
【請求項７】
一塩基多型突然変異が、S. cerevisiae シトクロムｂ残基１２９に対応する位置でアミノ酸をコードするトリプレット中の第一及び／又は第三塩基で起こる、請求項１〜６のいずれか１項に記載の方法。
【請求項８】
一塩基多型突然変異が、S. cerevisiae シトクロムｂ残基１２９に対応する位置でアミノ酸をコードするトリプレット中の第一若しくは第三塩基で起こる、請求項１〜７のいずれか１項に記載の方法。
【請求項９】
一塩基多型突然変異が、S. cerevisiae シトクロムｂ残基１２９に対応する位置でアミノ酸をコードするトリプレット中の第三塩基で起こる、請求項１〜８のいずれか１項に記載の方法。
【請求項１０】
一塩基多型突然変異が、S. cerevisiae シトクロムｂ残基１２９に対応する位置でアミノ酸をコードするトリプレット中の第一塩基で起こる、請求項１〜９のいずれか１項に記載の方法。
【請求項１１】
シトクロムｂタンパク質の全部若しくは一部をコードする真菌ＤＮＡ配列であって、シトクロムｂタンパク質をコードする対応の野生型ＤＮＡ配列に対して整列させるときに、該タンパク質中においてS. cerevisiae シトクロムｂの残基１２９に対応する位置でアミノ酸をコードするトリプレット中の１つ以上の塩基に対応する該ＤＮＡ中のある位置に、正常なフェニルアラニン残基の代替アミノ酸での置換をもたらす、一塩基多型突然変異を含有することが認められる、前記配列。
【請求項１２】
前記代替アミノ酸がロイシン残基である、請求項１１に記載の真菌ＤＮＡ配列。
【請求項１３】
Plasmopara viticola, Erysiphe graminis f. sp. tritici, Erysiphe graminis f. sp. hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Peronospora tabacina, Puccinia recondita, 及び Puccinia horiana からなる群から選択される真菌から入手されるか又は入手可能な請求項１１又は請求項１２に記載の真菌ＤＮＡ配列。
【請求項１４】
Plasmopara viticola, Erysiphe graminis f. sp. tritici, Erysiphe graminis f. sp. hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, 及び Cercospora arachidola からなる群から選択される真菌から入手されるか又は入手可能な請求項１３に記載の真菌ＤＮＡ配列。
【請求項１５】
真菌シトクロムｂ遺伝子における１つ以上の突然変異（単一又は複数）の存在又は非存在の検出の方法であって［該突然変異は該遺伝子でコードされるタンパク質においてS. cerevisiaeシトクロムｂ残基１２９に対応する位置でフェニルアラニン残基の置換をもたらす］、該方法は真菌核酸のサンプル中に前記突然変異（単一又は複数）の存在又は非存在を同定することを含んでなり、ここで任意の（又は１つの）一塩基多型検出法は、野生型若しくは突然変異体タンパク質のいずれか一方における S. cerevisiae シトクロムｂ残基１２９に対応する位置でアミノ酸をコードするトリプレット中の１つ以上の塩基に対応する位置の約３０ないし９０ヌクレオチド上流及び／又は下流からの配列情報に基づく、前記方法。
【請求項１６】
前記検出法が、野生型若しくは突然変異体タンパク質のいずれか一方における S. cerevisiae シトクロムｂ残基１２９に対応する位置でアミノ酸をコードするトリプレット中の第一若しくは第三塩基に対応する位置の約３０ないし９０ヌクレオチド上流及び／又は下流からの配列情報に基づく、請求項１５に記載の方法。
【請求項１７】
前記検出法が、野生型若しくは突然変異体タンパク質のいずれか一方における S. cerevisiae シトクロムｂ残基１２９に対応する位置でアミノ酸をコードするトリプレット中の第三塩基に対応する位置の約３０ないし９０ヌクレオチド上流及び／又は下流からの配列情報に基づく、請求項１６に記載の方法。
【請求項１８】
前記検出法が、野生型若しくは突然変異体タンパク質のいずれか一方における S. cerevisiae シトクロムｂ残基１２９に対応する位置でアミノ酸をコードするトリプレット中の第一塩基に対応する位置の約３０ないし９０ヌクレオチド上流及び／又は下流からの配列情報に基づく、請求項１６に記載の方法。
【請求項１９】
野生型シトクロムｂタンパク質をコードする真菌核酸配列へ結合することが可能な対立遺伝子特異的オリゴヌクレオチドであって、S. cerevisiae シトクロムｂ残基１２９に対応する位置でフェニルアラニン残基をコードする核酸配列を認識する配列を含む、前記オリゴヌクレオチド。
【請求項２０】
Plasmopara viticola, Erysiphe graminis f. sp. tritici, Erysiphe graminis f. sp. hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Peronospora tabacina, Puccinia recondita, 及び Puccinia horiana からなる群から選択される野生型シトクロムｂタンパク質をコードする真菌核酸配列へ結合することが可能な対立遺伝子特異的オリゴヌクレオチドであって、S. cerevisiae シトクロムｂ残基１２９に対応する位置でフェニルアラニン残基をコードする核酸配列を認識する配列を含む、前記オリゴヌクレオチド。
【請求項２１】
突然変異体シトクロムｂタンパク質をコードする真菌核酸配列へ結合することが可能な対立遺伝子特異的オリゴヌクレオチドであって、S. cerevisiae シトクロムｂ残基１２９に対応する位置で、イソロイシン、ロイシン、セリン、システイン、バリン、チロシンの群から選択されるアミノ酸、そして最も好ましくはロイシンをコードする核酸配列を認識する配列を含む、前記オリゴヌクレオチド。
【請求項２２】
Plasmopara viticola, Erysiphe graminis f. sp. tritici, Erysiphe graminis f. sp. hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Peronospora tabacina, Puccinia recondita, 及び Puccinia horiana からなる群から選択される突然変異体シトクロムｂタンパク質をコードする真菌核酸配列へ結合することが可能な、請求項２１に記載の対立遺伝子特異的オリゴヌクレオチドであって、S. cerevisiae シトクロムｂ残基１２９に対応する位置で、イソロイシン、ロイシン、セリン、システイン、バリン、チロシンの群から選択されるアミノ酸、そして最も好ましくはロイシンをコードする核酸配列を認識する配列を含む、前記オリゴヌクレオチド。
【請求項２３】
S. cerevisiae シトクロムｂの残基１２９に対応する位置で該タンパク質においてアミノ酸をコードするトリプレット中の１つ以上の塩基に対応するＤＮＡ中の位置で、野生型シトクロムｂ遺伝子配列を検出することが可能な対立遺伝子特異的オリゴヌクレオチドプローブ。
【請求項２４】
S. cerevisiae シトクロムｂの残基１２９に対応する位置で該タンパク質中においてアミノ酸をコードするトリプレット中の１つ以上の塩基に対応するＤＮＡ中の位置で、真菌シトクロムｂ遺伝子多型を検出することが可能な対立遺伝子特異的オリゴヌクレオチドプローブ。
【請求項２５】
S. cerevisiae シトクロムｂ残基１２９に対応する位置でアミノ酸をコードするトリプレット中の第一及び／又は第三塩基に対応するＤＮＡ中の位置で、真菌シトクロムｂ遺伝子多型を検出することが可能な、請求項２４に記載の対立遺伝子特異的オリゴヌクレオチドプローブ。
【請求項２６】
S. cerevisiae シトクロムｂ残基１２９に対応する位置でアミノ酸をコードするトリプレット中の第一若しくは第三塩基に対応するＤＮＡ中の位置で、真菌シトクロムｂ遺伝子多型を検出することが可能な、請求項２４又は２５に記載の対立遺伝子特異的オリゴヌクレオチドプローブ。
【請求項２７】
S. cerevisiae シトクロムｂ残基１２９に対応する位置でアミノ酸をコードするトリプレット中の第三塩基に対応するＤＮＡ中の位置で、真菌シトクロムｂ遺伝子多型を検出することが可能な、請求項２４、２５、又は２６に記載の対立遺伝子特異的オリゴヌクレオチドプローブ。
【請求項２８】
S. cerevisiae シトクロムｂ残基１２９に対応する位置でアミノ酸をコードするトリプレット中の第一塩基に対応するＤＮＡ中の位置で、真菌シトクロムｂ遺伝子多型を検出することが可能な、請求項２４、２５、又は２６に記載の対立遺伝子特異的オリゴヌクレオチドプローブ。
【請求項２９】
S. cerevisiae シトクロムｂの残基１２９に対応する位置で該タンパク質においてアミノ酸をコードするトリプレット中の１つ以上の塩基に対応するＤＮＡ中の位置で、シトクロムｂ遺伝子多型を検出することが可能な対立遺伝子特異的プライマー。
【請求項３０】
S. cerevisiae シトクロムｂ残基１２９に対応する位置でアミノ酸をコードするトリプレット中の第一及び／又は第三塩基に対応するＤＮＡ中の位置で、シトクロムｂ遺伝子多型を検出することが可能な、請求項２９に記載の対立遺伝子特異的プライマー。
【請求項３１】
S. cerevisiae シトクロムｂ残基１２９に対応する位置でアミノ酸をコードするトリプレット中の第一若しくは第三塩基に対応するＤＮＡ中の位置で、真菌シトクロムｂ遺伝子多型を検出することが可能な、請求項２９又は３０に記載の対立遺伝子特異的プライマー。
【請求項３２】
S. cerevisiae シトクロムｂ残基１２９に対応する位置でアミノ酸をコードするトリプレット中の第三塩基に対応するＤＮＡ中の位置で、真菌シトクロムｂ遺伝子多型を検出することが可能な、請求項２９、３０、又は３１に記載の対立遺伝子特異的プライマー。
【請求項３３】
S. cerevisiae シトクロムｂ残基１２９に対応する位置でアミノ酸をコードするトリプレット中の第一塩基に対応するＤＮＡ中の位置で真菌シトクロムｂ遺伝子多型を検出することが可能な、請求項２９、３０、又は３１に記載の対立遺伝子特異的プライマー。
【請求項３４】
シトクロムｂタンパク質中でS. cerevisiae シトクロムｂの残基１２９に対応する位置でアミノ酸をコードするトリプレット中の第一及び／又は第三塩基に対応する位置に突然変異体型真菌シトクロムｂヌクレオチド配列を含む鋳型へ結合することが可能な診断プライマーであって、ここでそのプライマーの最終３’ヌクレオチドは、真菌シトクロムｂ遺伝子の前記突然変異体型に存在するヌクレオチドに対応し、そして前記ヌクレオチドの存在は、ストロビルリン類似体又はその同一交差耐性群にある他の化合物への真菌の耐性を生じさせる、前記プライマー。
【請求項３５】
シトクロムｂタンパク質中でS. cerevisiae シトクロムｂの残基１２９に対応する位置でアミノ酸をコードするトリプレット中の第一若しくは第三塩基に対応する位置に突然変異体型真菌シトクロムｂヌクレオチド配列を含む鋳型へ結合することが可能な診断プライマーであって、ここでその最終３’ヌクレオチドは、真菌シトクロムｂ遺伝子の前記突然変異体型に存在するヌクレオチドに対応し、そして前記ヌクレオチドの存在は、ストロビルリン類似体又はその同一交差耐性群にある他の化合物への真菌の耐性を生じさせる、前記プライマー。
【請求項３６】
請求項１〜１０、１５及び／又は１６のいずれか１項の方法における使用のためのキット。
【請求項３７】
以下の１つ以上を含んでなる、請求項３６に記載の診断用キット：診断用、野生型、対照、及び共通オリゴヌクレオチドプライマー；適正なヌクレオチド三リン酸、例えばｄＡＴＰ、ｄＣＴＰ、ｄＧＴＰ、ｄＴＴＰ、好適なポリメラーゼ、及び緩衝溶液。
【請求項３８】
対立遺伝子選択ハイブリダイゼーションプローブと、以下の１つ以上を含んでなる、請求項３６に記載のキット：ストロビルリン類似体又はその同一交差耐性群にある他の化合物へ耐性な野生型及び単離物の両方からのコドン１２９を含む、標的病原体シトクロムｂ遺伝子の領域を含んでなるＤＮＡのセグメントの選択増幅を可能にするオリゴヌクレオチドプライマー、診断用野生型（Ｆ１２９）及び耐性（Ａ１２９）選択ハイブリダイゼーションプローブ、適正なヌクレオチド三リン酸、例えばｄＡＴＰ、ｄＣＴＰ、ｄＧＴＰ、ｄＴＴＰ、上記のような好適なポリメラーゼ、及び緩衝溶液。
【発明の詳細な説明】
【技術分野】
【０００１】
本発明は、ストロビルリン類似体又はその同一交差耐性群にある化合物への耐性をもたらすような、Saccharomyces cerevisiae（サッカロミセス・セレビシエ）シトクロムｂ残基１２９に対応する位置での、真菌中における１つ以上のシトクロムｂ突然変異の検出のための診断方法に関し、該方法は、任意の（又は１つの）一塩基多型（single nucleotide polymorphism）の検出技術を使用し、好ましくは増幅拒否性突然変異系（amplification refractory mutation system；ＡＲＭＳ）のような対立遺伝子特異的増幅技術か又は好ましくはＭｏｌｅｃｕｌａｒ  Ｂｅａｃｏｎｓ若しくはＴａｑｍａｎのような対立遺伝子選択ハイブリダイゼーションプローブ技術のいずれかを使用する。本発明はまた、本発明の方法に使用への突然変異特異的オリゴヌクレオチドとこれらオリゴヌクレオチドを含有する診断用キットに関する。
【背景技術】
【０００２】
農業における殺真菌剤の広範な使用は比較的最近の現象であり、その主要な開発のほとんどはこの４０年の間に起こっている。かつて、農作業者は、真菌病原体がその作物の収量及び品質に及ぼす影響をしばしば無視したか、又は認識しなかった。しかしながら、今日では、その損失は受け入れがたく、農作業者は、真菌による病気を制御するのに殺真菌性化学品の使用に依存している。この結果、商業用殺真菌剤は農薬ビジネス全体の重要な構成因子となっていて、１９９６年度には約５９億ドルの全世界売上高で、全農薬市場の１８．９％に等しい（Wood Mackenzie, 1997a 「農薬製品−主要農薬製品群」Agrochemical Service, Update of the Products Section, １９９７年５月，1-74中）。多数の殺真菌剤がすでに農作業者に利用可能であり、「殺虫剤マニュアル」（Tomlin, １９９４，第１０版、英国作物保護協議会、ファーンハム、イギリス、及び王立化学協会、ケンブリッジ、イギリス）の最新版は、今日使用されている１５８種の様々な殺真菌性有効成分を掲載する。それでも、新規化合物の発見及び開発を目的としたさらなる工業研究はきわめて熱心であり、特有の作用様式を有する、及び／又は特有の化合物系列に属する殺真菌剤から最良かつ最長の長期パフォーマンスを確保することにおいて、製品管理法はきわめて重要である。特に、新たな作用様式をもった殺真菌剤が導入されるときには、有効な耐性管理戦略を開発することが必須である（「殺真菌剤耐性のマネジメント：次の百年間へ」（Russell）1999, Pesticide Outlook, 1999年10月（213-215）中）。
【０００３】
ストロビルリン類似体は、農業用殺真菌剤の主要な新系列を構成し、これは１９７０年代の１，２，４−トリアゾール類の発見以来最も興奮させる農業用殺真菌剤の開発とみなされている。
【０００４】
ストロビルリン類似体の殺真菌活性は、真菌においてミトコンドリアの呼吸を阻害するその能力の結果である。より特定すると、これらの化合物は、新規な単一部位への作用様式を有し、ユビキノール：シトクロムｃオキシドレダクターゼ複合体（シトクロムｂｃ１）を遮断することにより、真菌細胞における高エネルギーＡＴＰの産生を抑制することによって、真菌に対してその効果を発揮することが確証されている（Becker et al 1981 FEBS Letts. 132: 329-33）。この阻害剤のファミリーは、多量体シトクロムｂタンパク質のユビキノン酸化還元部位Ｑ0での電子伝達を阻害する（Esposti et al 1993 Biochim. et Biophys Acta 1143 (3): 243-271）。多くのミトコンドリアタンパク質とは異なり、シトクロムｂタンパク質は、ミトコンドリアによりコードされる。
【０００５】
文献の報告は、シトクロムｂ標的部位での特定のアミノ酸変化がストロビルリン類似体の活性に影響を及ぼすことが可能であることを示す。酵母サッカロミセス・セレビシエ（以下、S. cerevisiae として言及する）（JP Rago et al 1989 J. Biol. Chem. 264: 14543-14548）、マウス（Howell et al 1988 J. Mol. Biol. 203: 607-618）、緑藻Chlamydomonas reinhardtii（Bennoun et al 1991 Genetics 127: 335-343）、及び ロドバクター種（Rhodobacter）（Daldal et al 1989 EMBO J. 8(13): 3951-3961）において綿密な突然変異誘発試験が行われてきた。ウニ Paracentrotus lividus（Esposti et al 1990 FEBS 263: 245-247）と担子菌類の真菌 Mycena galopoda 及び Strobilurus tenacellus（Kraiczy et al 1996 Eur. J. Biochem. 235: 54-63）におけるストロビルリン類似体への耐性について天然の基本を研究することからも関連情報が集められた（いずれもがストロビルリン類似体の天然の変異体を産生する）。シトクロムｂ遺伝子には、アミノ酸変化がストロビルリン類似体の活性に劇的な効果を及ぼすような、２つの明瞭な領域が存在する。これらの領域は、（S. cerevisiae 残基の番号付けシステムに基づいて）アミノ酸残基１２５〜１４８及び２５０〜２９５を網羅する。より正確に言うと、残基１２６、１２９、１３２、１３３、１３７、１４２、１４３、１４７、１４８、２５６、２７５、及び２９５でのアミノ酸変化がストロビルリン類似体への耐性を生じさせることが示された（Brasseur et al 1996 Biochim. Biophys. Acta 1275: 61-69 及び Esposti et al (1993) Biochimica et Biophysica Acta, 1143: 243-271）。
【０００６】
国際特許出願公報第ＷＯ００／６６７７３号は、真菌シトクロムｂ遺伝子における突然変異であって、該遺伝子でコードされるタンパク質中のS. cerevisiae シトクロムｂ残基１４３に対応する位置でのグリシンからアラニンへの置換（Ｇ143Ａ）をもたらす変異の同定を記載する。本発明は、ストロビルリン類似体又はその同一交差耐性群にある化合物への耐性を示す、重要な植物病原性真菌の野外単離物（field isolates）のシトクロムｂ遺伝子におけるさらなる突然変異（単一又は複数）の重要性をはじめて同定する。
【発明の開示】
【０００７】
発明の要約
本発明の第一の側面によれば、ここで我々は、真菌シトクロムｂ遺伝子における１つ以上の突然変異であって、該遺伝子でコードされるタンパク質においてS. cerevisiae シトクロムｂの残基１２９に対応する位置でアミノ酸置換をもたらすような変異の存在又は非存在の検出の方法を提供し、ここで前記突然変異（単一又は複数）の存在は、ストロビルリン類似体又はその同一交差耐性群にある他の化合物への真菌の耐性を生じさせ、前記方法は、任意の（又は１つの）一塩基多型検出技術を使用して前記突然変異（単一又は複数）の真菌核酸における存在又は非存在を同定することを含んでなる。
【０００８】
本発明の第一の側面の好ましい態様によれば、ここで我々は、真菌シトクロムｂ遺伝子において、該遺伝子でコードされるタンパク質においてS. cerevisiae シトクロムｂの残基１２９に対応する位置でフェニルアラニンからロイシンへの置換をもたらす、１つ以上の突然変異の存在又は非存在の検出の方法を提供し、ここで前記突然変異（単一又は複数）の存在は、ストロビルリン類似体又はその同一交差耐性群にある他の化合物への真菌の耐性を生じさせ、前記方法は、任意の（又は１つの）一塩基多型検出技術を使用して前記突然変異（単一又は複数）の真菌核酸における存在又は非存在を同定することを含んでなる。
【０００９】
本発明において、ここで我々は、対立遺伝子特異的増幅を包含する一塩基多型検出法に基づいた、真菌シトクロムｂ遺伝子における１つ以上の点突然変異の検出のための診断法を考案した。本発明によれば、１つ以上の多型性の位置で変異ヌクレオチドの存在又は非存在を検出するために使用可能である多数の分析法があることが当業者に明らかになろう。一般に、対立遺伝子変異の検出は、突然変異識別技術、場合により増幅反応と、場合によりシグナル産生系を必要とする。対立遺伝子変異の検出についての多くの現行法は、Nollau et al, Clin. Chem. 43: 1114-1120, 1997 により、そして標準的な教科書、例えば「突然変異検出の実験プロトコール」U. Landegren 編、オックスフォード・ユニバーシティ・プレス、１９９６年、及び「ＰＣＲ」第２版、Newton と Graham による、ＢＩＯＳサイエンティフィック・パブリッシャーズ社、１９９７年に概説されている。対立遺伝子特異的増幅反応には、ＰＣＲに基づいた方法のようなプライマーに基づいた方法と、より特異的には、対立遺伝子特異的ポリメラーゼ連鎖反応（ＰＣＲ）伸長法（ＡＳＰＣＲ）が含まれる。そのようなＡＳＰＣＲに基づいた方法の１つが、ＡＲＭＳ法（Amplification Refractory Mutagenesis System: 増幅拒否性突然変異誘発法）である。ＡＳＰＣＲの技術は、米国特許第５６３９６１１号に記載され、ＡＲＭＳ技術はヨーロッパ特許第ＥＰ３３２４３５号に詳しく記載されている。
【００１０】
そのようなＰＣＲに基づいた方法はいずれも本発明の方法における使用に適していて、ＡＲＭＳに基づいた方法の使用は特に好ましい。本発明の方法にはまた、非識別ＰＣＲに後続する、産生されたアンプリコンの特異的プロービング（probing）の使用が含まれる。
【００１１】
これらの方法のすべてが、任意のストロビルリン類似体又はその同一交差耐性群にある他の化合物への耐性を与えうる特異的対立遺伝子の検出に適していて、ある範囲の真菌植物病原体においてそのような耐性を与える点突然変異の検出のためにロブスト（Robust）試験が開発されてきた。化合物が同一交差耐性群にあるとみなすことが可能であるのは、ある化合物への耐性機序が、たとえ作用様式が同一ではない場合でも、別の化合物への耐性を与えるときである。
【００１２】
１つ以上の突然変異を検出するために本明細書に記載される本発明のいずれの側面でも使用可能な他の一塩基多型（ＳＮＰ）検出技術には、例えば、制限フラグメント長多型（ＲＦＬＰ）、一本鎖コンホメーション多型、多重クローン分析、対立遺伝子特異的オリゴヌクレオチドハイブリダイゼーション、一塩基（single nucleotide）プライマー伸長法（Juvonen et al, (1994) Hum Genet 93 16-20; Huoponen et al, (1994) Hum Mutat 3 29-36; Mashima et al (1995), Invest Opthelmol. Vision. Sci 36, 1714-20; Howell et al (1994) Am J Hum Genet. 55 203-206; Kobayashi et al (1994) Am. J. Hum. Genet. 55 206-209; Johns and Neufeld (1993) Am J Hum Genet 53 916-920; Chomyn et al, (1992) Proc. Natl. Acad. Sci USA 89 4221-4225）、及びＩｎｖａｄｅｒTM技術（サード・ウェーブ・テクノロジーズ社、Ｓｏｕｔｈ  Ｒｏｓａ  Ｒｏａｄ  ５０２，マジソン、ウィスコンシン州５３７１９，アメリカから入手可能）が含まれる。
【００１３】
ＰＣＲに基づいた検出系の使用は、本明細書に記載される本発明のすべての側面及び態様における使用に好ましい。対立遺伝子選択ハイブリダイゼーションプローブ技術の使用もまた、しばしばＰＣＲに基づいた標的ＤＮＡフラグメント増幅と組み合わせて、本明細書に記載される本発明のすべての側面及び態様に好ましい。
【００１４】
本発明の第一の側面の好ましい態様において、ここで我々は、真菌シトクロムｂ遺伝子における、該遺伝子でコードされるタンパク質中でＦ１２９Ｌ置換をもたらす、１つ以上の突然変異（単一又は複数）の存在又は非存在の検出のための診断法を提供し、ここで前記突然変異（単一又は複数）の存在は、ストロビルリン類似体又はその同一交差耐性群にある他の化合物への真菌の耐性を生じさせ、前記方法は、ＰＣＲ反応の間に産生されるアンプリコンの存在を検出することを含んでなり、ここで前記ＰＣＲ反応は、真菌核酸を含んでなる試験サンプルを、適正なヌクレオチド三リン酸と重合化の薬剤の存在下で診断プライマーと接触させることを含み、ここで前記アンプリコンの検出は、前記核酸における前記突然変異（単一又は複数）の存在又は非存在に直接関連している。
【００１５】
ＰＣＲ反応の間に産生されるアンプリコンの検出は、該突然変異の存在に特異的なプライマーの伸長に直接依存してもよく［即ち、プライマー伸長が該突然変異の存在に依存する場合には、アンプリコンは、プライマーが結合するときにのみ産生される、及び／又は（ＡＲＭＳ技術のように）該突然変異が存在するときに伸長される］、同様に、該突然変異の非存在（例、野生型配列）に特異的なプライマーの伸長に直接依存してもよく、又は該突然変異体ＤＮＡ配列を含有するＰＣＲ伸長産物に直接関連付けてもよい［即ち、検出が当該突然変異体ＤＮＡ配列を含むアンプリコンの検出である場合］。第一の選択肢が特に好ましい。本発明の上記方法において対立遺伝子選択増幅を使用する場合、前記診断法は、ＰＣＲ反応の間に産生されるアンプリコンの存在を検出することを含み、ここで前記ＰＣＲ反応は、真菌核酸を含んでなる試験サンプルを、適正なヌクレオチド三リン酸と重合化の薬剤の存在下で診断プライマーと接触させることを含み、ここで前記アンプリコンの産生は、前記核酸における前記突然変異（単一又は複数）の存在又は非存在に直接関連している。
【００１６】
アンプリコンは、任意のＰＣＲサイクルに由来することが可能であり、これには第一の対立遺伝子特異的プライマー伸長産物が含まれる。
別の好ましい例において、本発明の方法は、（本明細書に記載されるように、実施例１８を参照のこと）Ｍｏｌｅｃｕｌａｒ  Ｂｅａｃｏｎｓ若しくはＴａｑＭａｎのような対立遺伝子選択ハイブリダイゼーションプローブ技術を使用する。
【００１７】
本発明の第一の側面の特に好ましい態様において、ここで我々は、真菌シトクロムｂ遺伝子における、該遺伝子でコードされるタンパク質中でＦ１２９Ｌ置換をもたらす、１つ以上の突然変異（単一又は複数）の存在又は非存在の検出のための診断法を提供し［ここで前記突然変異の存在は、ストロビルリン類似体又はその同一交差耐性群にある他の化合物への真菌の耐性を生じさせる］、前記診断法は、真菌核酸を含む試験サンプルを、適正なヌクレオチド三リン酸と重合化の薬剤の存在下で、前記コードされるタンパク質中でＦ１２９Ｌ置換をもたらす突然変異（単一又は複数）に適正な診断プライマーと接触させて、前記コードされるタンパク質中でＦ１２９Ｌ置換をもたらす突然変異（単一又は複数）がサンプル中に存在しているとき、又は野生型配列が存在しているときに診断プライマーが伸長されるようにすること；及び、診断プライマー伸長産物の存在又は非存在を基準として前記突然変異（単一又は複数）の存在又は非存在を検出することを含んでなる。
【００１８】
さらに好ましい態様において、本発明は、真菌シトクロムｂ遺伝子において、該遺伝子でコードされるタンパク質中でＦ１２９Ｌ置換をもたらす、１つ以上の突然変異（単一又は複数）の存在又は非存在を検出する方法を提供し、ここで前記突然変異（単一又は複数）の存在は、ストロビルリン類似体又はその同一交差耐性群にある他の化合物への真菌の耐性を生じさせ、前記方法は、真菌核酸を含んでなる試験サンプルを、適正なヌクレオチド三リン酸と重合化の薬剤の存在下で、特定の突然変異（単一又は複数）についての診断プライマーと接触させて、前記突然変異（単一又は複数）がサンプル中に存在しているときに診断プライマーが伸長されるようにすること；及び、診断プライマー伸長産物の存在又は非存在を基準として該突然変異（単一又は複数）の存在又は非存在を検出することを含む。
【００１９】
本発明の第一の側面の特に好ましい態様によれば、我々は、真菌シトクロムｂ遺伝子において、該遺伝子でコードされるタンパク質中でＦ１２９Ｌ置換をもたらす、１つ以上の突然変異（単一又は複数）の存在又は非存在を検出する方法を提供し、ここで前記突然変異（単一又は複数）の存在は、ストロビルリン類似体又はその同一交差耐性群にある他の化合物への真菌の耐性を生じさせ、前記方法は、真菌核酸を含んでなる試験サンプルを、適正なヌクレオチド三リン酸と重合化の薬剤の存在下で、特定の突然変異（単一又は複数）についての診断プライマーと接触させて、前記突然変異（単一又は複数）がサンプル中に存在しているときにのみ診断プライマーが伸長されるようにすること；及び、診断プライマー伸長産物の存在又は非存在を基準として該突然変異（単一又は複数）の存在又は非存在を検出することを含む。
【００２０】
本明細書において、用語「診断プライマー」は、突然変異若しくは野生型の配列の存在又は非存在を同定するために特に使用されるプライマーを指すために使用され、用語「共通プライマー」は、診断プライマーと、その診断プライマーにより認識される領域に対して３’にある、ＤＮＡの反対の鎖へ結合し、前記診断プライマーと協奏的に作用することによって、ＰＣＲの間にＤＮＡの介在域の増幅を可能にするプライマーを指すために使用される。診断プライマーがＡＲＭＳプライマーである場合、それは、突然変異体若しくは野生型の配列に比較したときに、３’ミスマッチを有する場合がある。
【００２１】
本発明のこの、及びさらなる側面及び態様においては、プライマー伸長産物の伸長を、診断プライマー又は反対の鎖への共通プライマーのいずれかの必須部分である検出系を使用して検出することが好ましい。他のやり方で、Ｔａｑｍａｎ（登録商標）若しくはＴａｑｍａｎ（登録商標）ＭＧＢを診断プライマー及び共通プライマーと一緒に使用する場合は、このＴａｑｍａｎ（登録商標）若しくはＴａｑｍａｎ（登録商標）ＭＧＢのプローブが検出手段を含むことになる。このことは本明細書においてより詳しく記載する。
【００２２】
化合物が同一交差耐性群にあるとみなすことができるのは、ある化合物への耐性機序がまた、たとえ作用様式が同一ではない場合でも、別の化合物への耐性をも与えるときである。ストロビルリン類似体とその同一交差耐性群にある化合物には、例えば、アゾキシストロビン、ピコキシストロビン、クレソキシム−メチル、トリフロキシストロビン、ピラクロストロビン、ファモキサドン、及びフェナミドンが含まれる（ピラクロストロビンの詳細は、２０００年１１月のブライトンにおけるＢＣＰＣカンファレンスで提示された−抄録５Ａ−２を参照のこと）。また、ストロビルリン類似体又はその同一交差耐性群にある化合物は、複合体ＩＩＩＱ0部位に対するその作用のために、今日ではしばしばＱ0部位阻害剤（Ｑ0Ｉｓ）と呼ばれていることにも注目すべきである。
【００２３】
我々は、、シトクロムｂをコードする真菌核酸における、S. cerevisiae 配列のシトクロムｂ中の１２９番目のコドン／アミノ酸に対応する位置が、ストロビルリン類似体耐性の植物病原性真菌の野外単離物において、ストロビルリン類似体又はその同一交差耐性群にある他の化合物への真菌の耐性の主要な決定因子であることを見出した。本明細書に記載される本発明の方法は、Saccharomyces cerevisiae シトクロムｂ残基１２９をコードする位置に対応する位置での突然変異の検出に特に適していて、ここではコードされたフェニルアラニン残基が別のアミノ酸に置き換えられ、それがストロビルリン類似体又はその同一交差耐性群にある他の化合物の活性を妨げて、この突然変異体シトクロムｂ遺伝子を有する真菌に耐性の表現型をもたらし、それによりストロビルリン類似体又はその同一交差耐性群にある他の化合物への真菌の耐性を生じさせる。
【００２４】
本方法は、好ましくは、S. cerevisiae シトクロムｂ残基１２９に対応する位置での前記フェニルアラニン残基の、イソロイシン、ロイシン、セリン、システイン、バリン、チロシンの群から選択されるアミノ酸での置換をもたらす突然変異の検出に使用される。検出されるべき突然変異（単一又は複数）は、フェニルアラニン残基をロイシンにより置き換えた結果となることが最も好ましい。
【００２５】
真菌シトクロムｂ遺伝子において、該遺伝子でコードされるタンパク質中でＦ１２９Ｌ置換をもたらす突然変異は、通常、コドンの第一位（塩基）でのチミンからシトシン塩基への変化か、又はこのコドンの第三位（塩基）でのチミン若しくはシトシンからアデニン若しくはグアニン塩基への変化であり、これらの一塩基多型の検出は、本明細書に記載される本発明のすべての側面及び態様に好ましい。このコドンの第一位でのチミンからシトシンへの変化と第三位（塩基）でのチミン若しくはシトシンからアデニン若しくはグアニン塩基への変化の稀な組み合わせも起こる可能性があり、これは本発明のすべての側面及び態様に網羅される。
【００２６】
本特許出願においては、ストロビルリン類似体又はその同一交差耐性群にある他の化合物への耐性を与える、シトクロムｂ遺伝子の突然変異と対立遺伝子変異体（対立遺伝子）の両方へしばしば言及がなされることに注目すべきである。そのような言及は本質的に同義であるが、用語「突然変異」が新規又は最近の遺伝子変化を示唆する傾向があるのに対し、対立遺伝子変異体は、ある別の（そしてこの場合は耐性供与性の）遺伝子の形態が分析対象の集団の中にしばらくの間存在してきた可能性があることを示唆する。この両者は、自然集団の分析の間は識別不能である。
【００２７】
ストロビルリン類似体又はその同一交差耐性群にある他の化合物への耐性を与える遺伝子によりコードされる、シトクロムｂタンパク質の野生型及び突然変異体／対立遺伝子変異体の特性における違いの本質は、シトクロムｂタンパク質から一部構成される、それぞれの呼吸複合体ＩＩＩ種のいわゆるＱ0部位内でのアミノ酸置換を必要とする。そのようなアミノ酸置換は、改変されるアミノ酸のコドンにおける変化により引き起こされる。典型的には、そして本明細書において考察される特定の例においては、問題のアミノ酸置換がそのコドン中の３つのヌクレオチド残基のただ１つにおける変化により引き起こされる。故に、そのような変化は、一塩基多型（ＳＮＰ）と記載される場合がある。
【００２８】
時には、遺伝コードの縮重性のために、一塩基多型により引き起こされうるアミノ酸置換はまた、（３つのヌクレオチド内で）緊密に連結した２つの置換により引き起こされる場合がある。そのような状況は、本明細書において「単純塩基多型（simple nucleotide polymorphisms）」と呼ばれる。その本質により、それを引き起こすのに必要とされる配列変化は、たった１つではなく、同一コドン内の少なくとも２つの別々の塩基の変化を必要とするので、そのような多型はＳＮＰよりもずっと稀であろうと予測される。
【００２９】
本明細書に使用されるように、用語「Ｆ１２９Ｌ」は、S. cerevisiae シトクロムｂ配列の１２９番目のコドン／アミノ酸の位置に相当する位置での、真菌シトクロムｂ配列における、フェニルアラニン残基のロイシン残基による置換を示すために使用される。この命名法は、本明細書において引用される他のあらゆる残基変化に使用される。即ち、すべての位置が、S. cerevisiaeシトクロムｂタンパク質配列に関連して引用される。S. cerevisiaeシトクロムｂ遺伝子とタンパク質配列は、ＥＭＢＬ及びＳＷＩＳＳＰＲＯＴのデータベースで利用可能である（ＥＭＢＬ受入れ番号Ｘ８４０４２とＳＷＩＳＳＰＲＯＴ受入れ番号Ｐ００１６３を参照のこと）。当業者は、様々な種由来の同等タンパク質の正確な長さと登録事項が、アミノ若しくはカルボキシル末端、及び／又は１つ以上の内部欠失若しくは挿入の結果として変化するであろうことを理解されよう。しかしながら、S. cerevisiae 中のＦ129に対応する残基を含有するアミノ酸域は良好に保存されている（Widger et al. Proc. Natl. Acad. Sci., U. S. A. 81 (1984) 674-678）ので、新たに入手される真菌シトクロムｂ配列中の正確に対応する残基を、目視か又は、Ｍｅｇａｌｉｇｎ又はＭａｃａｗを含むいくつかの配列並置プログラムの１つの使用のいずれかにより同定することは簡単であり、当業者の能力範囲内にある。本出願では（位置及び機能の同等性のために）Ｆ129と指定したが、このフェニルアラニンの新たなシトクロムｂにおける正確な位置は、そのアミノ末端の終末から１２９番目の残基ではない場合がある。S. cerevisiae シトクロムｂコンセンサス配列は、ＳＷＩＳＳＰＲＯＴ受入れ番号Ｐ００１６３に提供される。本明細書に記載される本発明のすべての側面及び態様において、シトクロムｂ配列中の位置は、好ましくは、ＥＭＢＬ受入れ番号Ｘ８４０４２において提供される S. cerevisiae シトクロムｂ配列に関連して定義される。他のやり方では、本明細書に記載される本発明のすべての側面及び態様において、シトクロムｂ配列中の位置は、好ましくは、ＳＷＩＳＳＰＲＯＴ受け入れ番号Ｐ００１６３において提供される S. cerevisiae シトクロムｂコンセンサス配列に関連して定義される。
【００３０】
本発明の１つの側面によれば、真菌シトクロムｂ遺伝子における１つ以上の塩基多型の診断の方法が提供され、該方法は、該シトクロムｂタンパク質中の S. cerevisiae シトクロムｂ残基１２９に対応する位置でアミノ酸をコードするトリプレット中の１つ以上の塩基に対応する位置で真菌核酸の配列を決定すること、及び、ストロビルリン類似体又はその同一交差耐性群にある化合物への真菌の耐性状態を、シトクロムｂ遺伝子中の１つ以上の多型を照会して決定することを含む。
【００３１】
本明細書に記載される本発明のすべての側面及び態様においては、該シトクロムｂタンパク質中の S. cerevisiae シトクロムｂ残基１２９に対応する位置でアミノ酸をコードするトリプレット中のただ１つの塩基が突然変異を示す、即ち、１つの位置でのみ起こる一塩基多型が存在することが好ましく、それがこのトリプレットの第一若しくは第三塩基であることがさらに好ましい。
【００３２】
本発明のこの側面の好ましい態様によれば、真菌シトクロムｂ遺伝子における一塩基多型の診断の方法が提供され、該方法は、該シトクロムｂタンパク質中の S. cerevisiae シトクロムｂ残基１２９に対応する位置でアミノ酸をコードするトリプレット中の第一若しくは第三塩基に対応する位置で真菌核酸の配列を決定すること、及び、ストロビルリン類似体又はその同一交差耐性群にある化合物への真菌の耐性状態を、シトクロムｂ遺伝子中の１つの多型を照会して決定することを含む。
【００３３】
本発明の上記側面の態様において、本明細書に記載される診断の方法は、該シトクロムｂタンパク質中の S. cerevisiae シトクロムｂ残基１２９に対応する位置でアミノ酸をコードするトリプレット中の第一若しくは第三塩基に対応するＤＮＡの位置での一塩基多型が、コドンの第一塩基ではＴ又はＣ、そしてコドンの第三塩基ではＴ、Ｃ、Ａ、又はＧの存在である方法である。
【００３４】
【表１】
2004533230.tif 000002
【００３５】
野生型シトクロムｂにおいて、１２９位のフェニルアラニン残基がＴＴＴ若しくはＴＴＣコドンのいずれかによりコードされるならば、このコドンの第一位でのＣ（シトシン）への一塩基突然変異は、ストロビルリン耐性突然変異体のＱ0部位におけるフェニルアラニン残基の置換をもたらすだろう。同様に、野生型シトクロムｂにおいて１２９位のフェニルアラニンがＴＴＴ若しくはＴＴＣコドンのいずれかによりコードされるならば、このコドンの第三位でのＡ（アデニン）若しくはＧ（グアニン）への一塩基突然変異は、ストロビルリン耐性突然変異体のＱ0部位におけるフェニルアラニン残基の置換をもたらすだろう。第三位での（Ｔ又はＣのいずれかからＡ又はＧのいずれかへの）置換と一緒の第一位での（ＴからＣへの）二重置換もまた、そのようなフェニルアラニンからロイシンアミノ酸への置換を引き起こすだろう（表１参照）。
【００３６】
ある一定の植物病原体又は植物病原体の集団が、１２９位でのロイシン残基の存在の結果として、Ｑ0部位阻害剤の殺真菌剤へ耐性があるか、又は有意なレベルの耐性対立遺伝子を含有するかどうかを明確にするためには、その病原体又は集団がそのコグネイトコドンの第一位にＣ残基、及び／又は第三位にＡ若しくはＧ残基を有するかどうかを確定する、及び／又は測定することがただ必要である。そのような評価を達成する１つの方法は、ＡＲＭＳプライマーのような診断プライマーに基づいた技術を使用することである。（ＡＲＭＳプライマーの概念は、Newton et al, Nucleic Acid Research 17 (7) 2503-2516 1989 に詳しく記載されている）。
【００３７】
フェニルアラニン及びロイシンのコドン（表１参照）の上記特徴の結果として、ＡＲＭＳ技術を使用して残基１２９の状況を検出する、及び／又は測定するときには、病原体シトクロムｂ遺伝子中のコグネイトコドンの第一若しくは第三位のいずれかにある特別の残基の同一性及び／又は量を明確にすることが可能である適正なＰＣＲプライマーを設計することが可能である。そのような設計は、野生型配列だけの知識を必要とする。耐性がＦ１２９Ｌ突然変異から生じる、注目の新しい真菌の耐性単離物へのアクセスを有する必要はない。関連する植物病原性真菌のいくつかの例を表２に列挙する。このリストは、決して完璧であるわけではない。熟練した植物病理学者ならば、本発明の方法が関連する真菌を容易に同定することが可能であろう。
【００３８】
【表２】
2004533230.tif 000003
【００３９】
本明細書に記載される本発明の方法は、植物病原性真菌に関連して、特に以下の真菌種のいずれにも関連して特に有用である：Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana、そして最も特に、以下の真菌種：Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola。
【００４０】
さらなる側面において、本発明は、ストロビルリン類似体又はその同一交差耐性群にある他の化合物への真菌の耐性を検出する方法を提供し、前記方法は、真菌シトクロムｂタンパク質をコードする真菌核酸における１つ以上の突然変異（単一又は複数）の存在又は非存在を同定することを含んでなり、ここで前記突然変異（単一又は複数）の存在は、ストロビルリン類似体又はその同一交差耐性群にある他の化合物への耐性を生じさせ、前記方法は、真菌シトクロムｂタンパク質中の S. cerevisiae シトクロムｂ残基１２９に対応する位置でアミノ酸をコードするトリプレット中の１つ以上の塩基に対応する位置で起こる一塩基多型の存在又は非存在を同定することを含んでなる。
【００４１】
この側面のさらに好ましい態様において、本発明は、ストロビルリン類似体又はその同一交差耐性群にある他の化合物への真菌の耐性を検出する方法を提供し、前記方法は、真菌シトクロムｂタンパク質をコードする真菌核酸における１つの突然変異の存在又は非存在を同定することを含んでなり、ここで前記突然変異の存在は、ストロビルリン類似体又はその同一交差耐性群にある他の化合物への耐性を生じさせ、前記方法は、真菌シトクロムｂタンパク質中の S. cerevisiae シトクロムｂ残基１２９に対応する位置でアミノ酸をコードするトリプレット中の第一及び／又は第三塩基に対応する位置で起こる一塩基多型の存在又は非存在を同定することを含んでなる。
【００４２】
本発明のこの側面の好ましい態様において、真菌核酸にあるシトクロムｂ遺伝子中の S. cerevisiae シトクロムｂ残基１２９に対応する位置でアミノ酸をコードするトリプレット中の第一及び／又は第三塩基に対応する位置での一塩基多型の存在又は非存在は、任意の（又は１つの）一塩基多型検出技術を使用して同定される。
【００４３】
さらに本発明は、野生型シトクロムｂタンパク質の全部若しくは一部をコードする真菌ＤＮＡ配列を提供し、ここで前記ＤＮＡ配列は、野生型タンパク質中の S. cerevisiae シトクロムｂ残基１２９に対応する位置でフェニルアラニン残基をコードし、ここで前記配列は、Plasmopara viticola, Rhynchosporium secalis, Pyrenophora teres, Mycosphaerella graminicola, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana からなる群から、好ましくは、Plasmopara viticola, Rhynchosporium secalis, Pyrenophora teres, Mycosphaerella graminicola, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される真菌から入手可能であるかまたは入手される。
【００４４】
本発明の上記側面による真菌ＤＮＡ配列は、好ましくは、当該タンパク質中でS. cerevisiaeシトクロムｂの残基１２９に対応する位置でアミノ酸をコードするトリプレット中の１つ以上の塩基（好ましくは第三塩基）に対応する当該ＤＮＡ中の位置の片側又は両側にある約３０ヌクレオチドを含むが、それはこの核酸の広がりが、当業者に、種及び突然変異に特異的な試薬、及び／又は本明細書に記載されるようなすべての一塩基多型検出技術における／と一緒の使用の方法を設計するのに必要なすべての情報を提供するからである。本明細書に使用されるように、用語「約３０」は、この配列が３０までのヌクレオチド、例えば、５、１０、１５、２０、又は２５までのヌクレオチドを含む場合があるか、又は３０より多いヌクレオチド、例えば、約５０のヌクレオチド、即ち、３５、４０、４５、又は５０までか、又はそれより多いヌクレオチドを含む場合があることを意味する。
【００４５】
すべてのＤＮＡ及びタンパク質の配列に関連して本明細書に使用されるように、用語「の全部又は一部」は、あるＤＮＡ配列又はタンパク質配列、又はそのフラグメントを示すために使用される。ＤＮＡ又はタンパク質のフラグメントは、例えば、配列全体の長さの１０％、２０％、２５％、３０％、４０％、５０％、６０％、７０％、７５％、８０％、８５％、８５％、９０％、又は９５％であり得る。
【００４６】
本発明は、本発明のＤＮＡ配列によりコードされる新規なタンパク質配列へも拡張される。
当業者には、ゲノム（ミトコンドリア）ＤＮＡやｃＤＮＡを含有する両方のサンプルが本発明により分析可能であることが明らかであろう。サンプルがゲノムＤＮＡを含有する場合、配列情報を使用するときには、イントロン組織を考慮に容れる必要がある。本発明の上記側面による野生型シトクロムｂ遺伝子配列の一部を含んでなる野生型真菌ＤＮＡ配列の例を以下の表３に提供し、前記配列は、本発明のさらなる側面を形成する。
【００４７】
【表３】
2004533230.tif 000004
【００４８】
【表４】
2004533230.tif 000005
【００４９】
【表５】
2004533230.tif 000006
【００５０】
上記の表において、適正に置換されるとき、正常なフェニルアラニン残基の代替アミノ酸での置換をもたらす（ここで前記置換は、ストロビルリン類似体又はその同一交差耐性群内の化合物への耐性を与える）、S. cerevisiae シトクロムｂ残基１２９に対応する位置でアミノ酸をコードするトリプレット中の第一及び第三塩基は、太字で下線を施されている。
【００５１】
本発明はまた、表３中の前記ＤＮＡ配列への相同性若しくは配列同一性を示す真菌ＤＮＡ配列へも拡張され、例えば、同一種の異なるサンプル若しくは単離物において見出されるＤＮＡ配列の変異を網羅する。これらの変異は、例えば、代替コドン用法の使用、変動するイントロン／エクソンのミトコンドリア組織、及びアミノ酸の置換による場合がある。
【００５２】
さらなる側面において、本発明は、真菌シトクロムｂタンパク質の全部又は一部をコードする真菌ＤＮＡ配列を提供し、ここでシトクロムｂタンパク質をコードする対応の野生型ＤＮＡ配列に対して前記真菌ＤＮＡ配列を整列させるとき、該真菌ＤＮＡ配列が、正常なフェニルアラニン残基の代替アミノ酸での置換をもたらす、S. cerevisiae シトクロムｂの該タンパク質中残基１２９に対応する位置でアミノ酸をコードするトリプレット中の１つ以上の塩基に対応する該ＤＮＡ中のある位置に一塩基多型突然変異を含有することが認められる。
【００５３】
この側面のさらに好ましい態様において、本発明は、シトクロムｂタンパク質の全部又は一部をコードする真菌ＤＮＡ配列を提供し、これは、シトクロムｂタンパク質をコードする対応の野生型ＤＮＡ配列に対して前記配列を整列させるとき、正常なフェニルアラニン残基の代替アミノ酸での置換をもたらす、該タンパク質中でS. cerevisiae シトクロムｂの残基１２９に対応する位置でアミノ酸をコードするトリプレット中の第一若しくは第三塩基に対応する該ＤＮＡ中のある位置に一塩基多型突然変異を含有することが認められる。
【００５４】
本発明の上記側面による真菌ＤＮＡ配列は、好ましくは、トリプレット中の１つ以上の塩基に対応する、好ましくは、該タンパク質中でS. cerevisiaeシトクロムｂの残基１２９に対応する位置でアミノ酸をコードするトリプレット中の第三塩基に対応する、ＤＮＡの当該位置の片側又は両側にある約３０ヌクレオチドを含むが、この核酸の広がりは、種及び突然変異特異的な試薬、及び／又はすべての一塩基多型技術における使用の方法を設計するのに必要なすべての情報を当業者に提供するからである。本明細書に使用されるように、用語「約３０」は、この配列が３０までのヌクレオチド、例えば、５、１０、１５、２０、又は２５までのヌクレオチドを含む場合があるか、又は３０より多くのヌクレオチドを含む場合があることを意味する。
【００５５】
さらに本発明は、突然変異体シトクロムｂタンパク質の全部又は一部をコードする真菌ＤＮＡ配列を提供し、ここで前記ＤＮＡにおける１つ以上の突然変異（単一又は複数）の存在は、ストロビルリン類似体又はその同一交差耐性群内の化合物への耐性を与え、前記突然変異（単一又は複数）は、該タンパク質中でS. cerevisiae シトクロムｂの残基１２９に対応する位置でアミノ酸をコードするトリプレット中の１つ以上の塩基に対応するＤＮＡ中の位置で起こる。
【００５６】
この側面の好ましい態様において、さらに本発明は、突然変異体シトクロムｂタンパク質の全部又は一部をコードする真菌ＤＮＡ配列を提供し、ここで前記ＤＮＡにおける１つの突然変異の存在は、ストロビルリン類似体又はその同一交差耐性群内の化合物への耐性を与え、前記突然変異は、該タンパク質中でS. cerevisiae シトクロムｂの残基１２９に対応する位置でアミノ酸をコードするトリプレット中の第一若しくは第三塩基に対応するＤＮＡ中の位置で起こる。
【００５７】
本発明の上記側面において、該タンパク質中でS. cerevisiae シトクロムｂの残基１２９に対応する位置でアミノ酸をコードするトリプレット中の第一及び第三塩基に対応するＤＮＡ中の位置で起こる突然変異は、好ましくは、チミンからシトシンへのものと、チミン若しくはシトシンからそれぞれアデニン若しくはグアニンへのものである。
【００５８】
突然変異体シトクロムｂタンパク質の全部又は一部をコードする真菌ＤＮＡ配列［ここで、前記ＤＮＡにおける１つ以上の突然変異（単一又は複数）の存在は、ストロビルリン類似体又はその同一交差耐性群内の化合物への耐性を与える］は、本発明の上記側面によれば、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana からなる群、好ましくは、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される真菌から入手可能であるか又は入手される。
【００５９】
本発明はまた、表４に提供される配列の全部又は一部を含んでなるＤＮＡ配列へ拡張され、ここででS. cerevisiae シトクロムｂの残基１２９に対応する該タンパク質中の位置でアミノ酸をコードするトリプレット中の第一塩基に対応する該ＤＮＡ中の位置にある残基は、シトシン残基である。そのような配列は、表４に記載される配列を含んでなるものを包含し、本発明のさらなる側面を形成する。
【００６０】
【表６】
2004533230.tif 000007
【００６１】
【表７】
2004533230.tif 000008
【００６２】
本発明はまた、表５に提供される配列の全部又は一部を含んでなるＤＮＡ配列へ拡張され、ここで S. cerevisiae シトクロムｂの残基１２９に対応する位置で該タンパク質中においてアミノ酸をコードするトリプレット中の第三塩基に対応する該ＤＮＡ中の位置にある残基は、アデニン残基である。そのような配列は、本発明のさらなる側面を形成する：
【００６３】
【表８】
2004533230.tif 000009
【００６４】
【表９】
2004533230.tif 000010
【００６５】
本発明はまた、表６に提供される配列の全部又は一部を含んでなるＤＮＡ配列へ拡張され、ここで S. cerevisiae シトクロムｂの残基１２９に対応する該タンパク質中の位置でアミノ酸をコードするトリプレット中の第三塩基に対応する該ＤＮＡ中の位置にある残基は、グアニン残基である。そのような配列は、本発明のさらなる側面を形成する。
【００６６】
【表１０】
2004533230.tif 000011
【００６７】
【表１１】
2004533230.tif 000012
【００６８】
本発明はまた、表７に提供される配列の全部又は一部を含んでなるＤＮＡ配列へ拡張され、ここで S. cerevisiae シトクロムｂ残基１２９に対応する位置でアミノ酸をコードするトリプレット中の第一塩基に対応する該ＤＮＡ中の位置にある残基はシトシンであり、対応するコドン中の第三塩基での残基はアデニンである。そのような配列は、本発明のさらなる側面を形成する。
【００６９】
【表１２】
2004533230.tif 000013
【００７０】
【表１３】
2004533230.tif 000014
【００７１】
【表１４】
2004533230.tif 000015
【００７２】
本発明はまた、表８に提供される配列の全部又は一部を含んでなるＤＮＡ配列へ拡張され、ここで S. cerevisiae シトクロムｂ残基１２９に対応する位置でアミノ酸をコードするトリプレット中の第一塩基に対応する該ＤＮＡ中の位置にある残基はシトシンであり、対応するコドン中の第三塩基での残基はグアニンである。そのような配列は、本発明のさらなる側面を形成する。
【００７３】
【表１５】
2004533230.tif 000016
【００７４】
【表１６】
2004533230.tif 000017
【００７５】
【表１７】
2004533230.tif 000018
【００７６】
本発明はまた、前記多型を含有する前記ＤＮＡ配列への相同性若しくは配列同一性を示す真菌ＤＮＡ配列へ拡張され、例えば、同一種の異なるサンプルにおいて見出されるＤＮＡ配列の変異を網羅する。これらの変異は、例えば、代替コドン用法の使用、イントロン／エクソン編成の変動、及びアミノ酸の置換による場合がある。
【００７７】
本明細書に記載される野生型若しくは突然変異体のシトクロムｂタンパク質の全部又は一部をコードするＤＮＡ配列は、好ましくは単離された形態にあり、例えば天然に一緒に存在するどんな物質からも部分精製される。このＤＮＡ配列は、本明細書に記載される真菌から単離可能（入手可能）であるか又は単離される（入手される）。
【００７８】
本明細書に提供される野生型配列の３’末端の下流のさらなる配列情報は、国際特許出願公報第ＷＯ００／６６７７３号に見出すことが可能であり、その教示は本明細書に援用される。提供される配列情報と本明細書に提供される教示は、国際特許出願公報第ＷＯ００／６６７７３号のそれと組み合わせて使用して、S. cerevisiae シトクロムｂ残基１２９及び／又は１４３に対応する位置での突然変異（単一又は複数）の存在及び非存在を同定する方法を設計することが可能であり、本発明はそのようないずれの方法にも拡張される。
【００７９】
さらに本発明は、本明細書において記載されて特許請求されるいずれの配列もそこに保存したコンピュータ可読媒体を提供し、それに含まれるのは、本明細書に記載されるような突然変異体シトクロムｂタンパク質をコードするＤＮＡ、好ましくはS. cerevisiae の残基１２９に同等の位置にあるアミノ酸残基がロイシンであり、当該１つ以上の突然変異の存在がストロビルリン類似体又はその同一交差耐性群にある化合物への真菌の耐性を生じさせるようなシトクロムｂタンパク質の配列、の全部又は一部［前記突然変異（単一又は複数）は S. cerevisiae シトクロムｂの残基１２９に対応する位置で該タンパク質中でアミノ酸をコードするトリプレット中の１つ以上の塩基に対応するＤＮＡ中の位置で起こる］；Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana の群から、好ましくは Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される真菌由来の、突然変異体シトクロムｂタンパク質をコードするＤＮＡ、又はそのアミノ酸配列の全部又は一部［前記突然変異（単一又は複数）は S. cerevisiae シトクロムｂの該タンパク質中残基１２９に対応する位置でアミノ酸をコードするトリプレット中の１つ以上の塩基に対応するＤＮＡ中の位置で起こり、ここで前記タンパク質はストロビルリン類似体又はその同一交差耐性群にある化合物への真菌の耐性を与える］；Plasmopara viticola, Rhynchosporium secalis, Pyrenophora teres, Mycosphaerella graminicola, Sphaerotheca fuliginea, Uncinula necator, Colletotrichum graminicola, Pythium aphanidermatum, Colletotrichum gloeosporioides, Oidium lycopersicum, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana の群から、好ましくは Plasmopara viticola, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される真菌由来の野生型シトクロムｂ配列をコードするＤＮＡ、又はそのアミノ酸配列の全部又は一部；又は、対立遺伝子特異的オリゴヌク��オチド；本明細書に開示される、対立遺伝子特異的オリゴヌクレオチドプローブ、対立遺伝子特異的プライマー、共通若しくは診断プライマーである。
【００８０】
コンピュータ可読媒体は、例えば、相同性検索、マッピング、ハプロタイプ決定（haplotyping）、遺伝子型決定（genotyping）、又は他のバイオインフォマティクス分析において使用可能である。例えば、コンパクトディスク、テープ、フロッピー（登録商標）ディスク、ハードドライブ、又はコンピュータチップといった、どんなコンピュータ可読媒体も使用可能である。
【００８１】
本発明のポリヌクレオチド配列、又はその一部、特に、本明細書において同定される一塩基多型、特に、コード化タンパク質においてＦ１２９Ｌ変化を引き起こす、真菌シトクロムｂにおけるＴからＣ（第一塩基）及び／又はＴからＡ若しくはＧと、ＣからＡ若しくはＧ（第三塩基）の変化に関連してそれを同定することは、貴重な情報源となる。この情報源の使用は、この配列情報をコンピュータ可読媒体に保存すること、そしてその後この情報を標準的なバイオインフォマティクスプログラムにおいて使用することによって、最も容易に促進される。本発明のポリヌクレオチド配列は、配列同一性や他の検索分析用のデータベースにおける構成要素として特に有用である。本明細書に使用されるように、配列情報のコンピュータ可読媒体における保存と本発明のポリヌクレオチド若しくはポリヌクレオチド配列に関連した配列データベースの使用には、コンピュータディスクのような有形の媒体、好ましくはコンピュータ可読の形態へ還元し、変換し、それに保存することが可能である、本発明のポリヌクレオチドの検出可能な化学的若しくは物理的特性が含まれる。例えば、クロマトグラフィーのスキャンデータ又はピークデータ、写真撮影のスキャン若しくはピークデータ、質量分析データ、配列ゲル（又は他の）データである。
【００８２】
コンピュータに基づいた方法はまた、配列同定を実施するために提供され、前記方法は、本発明の多型を含んでなるポリヌクレオチド配列をコンピュータ可読媒体において提供する工程と、前記多型含有ポリヌクレオチド配列を少なくとも１つの他のポリヌクレオチド若しくはポリペプチド配列へ比較して同一性（相同性）を同定する、即ち、多型の存在についてスクリーニングする工程を含んでなる。
【００８３】
さらに本発明は、ストロビルリン類似体又はその同一交差耐性群内の化合物への真菌の耐性を与える真菌シトクロムｂタンパク質を提供し、ここでは、前記タンパク質において、正常なフェニルアラニン残基が前記タンパク質をコードするＤＮＡ中の１つ以上の突然変異（単一又は複数）の存在により改変され、前記突然変異は、S. cerevisiae シトクロムｂの残基１２９に対応する該タンパク質中の位置でアミノ酸をコードするトリプレット中の第一及び／又は第三塩基に対応するＤＮＡ中の位置で起こる。
【００８４】
この側面の好ましい態様において、さらに本発明は、ストロビルリン類似体又はその同一交差耐性群内の化合物への真菌の耐性を与える真菌シトクロムｂタンパク質を提供し、ここでは、前記タンパク質において、正常なフェニルアラニン残基が前記タンパク質をコードするＤＮＡ中の１つの突然変異の存在により改変され、前記突然変異は、該タンパク質中でS. cerevisiae シトクロムｂの残基１２９に対応する位置でアミノ酸をコードするトリプレット中の第一若しくは第三塩基に対応するＤＮＡ中の位置で起こる。
【００８５】
本発明の上記側面によるタンパク質中のフェニルアラニン残基は、好ましくは、代替アミノ酸により置き換えられ、前記置換は、ストロビルリン類似体又はその同一交差耐性群にある他の化合物への耐性を示す真菌をもたらす。
【００８６】
本発明の上記側面による突然変異は、好ましくは、前記フェニルアラニン残基の、イソロイシン、ロイシン、システイン、セリン、バリン、チロシンの群から選択されるアミノ酸、及び最も好ましくはロイシンでの置換をもたらす。
【００８７】
さらなる側面において、本発明は、前記突然変異体シトクロムｂタンパク質を認識することが可能な抗体を提供する。
さらなる側面において、本発明は、S. cerevisiae シトクロムｂ残基１２９に対応する位置でのフェニルアラニン残基の該コード化タンパク質における置換をもたらす、真菌シトクロムｂ遺伝子における１つ以上の突然変異（単一又は複数）の存在又は非存在の検出の方法を提供し、前記方法は、任意又は１つの一塩基多型検出法を使用して真菌核酸のサンプルにおける前記突然変異（単一又は複数）の存在又は非存在を同定することを含んでなり、ここで前記一塩基多型検出法は、野生型又は突然変異体タンパク質のいずれか一方における、S. cerevisiae シトクロムｂ残基１２９に対応する位置でアミノ酸をコードするトリプレット中の１つ以上の塩基に対応する位置の約３０ないし９０ヌクレオチド上流及び／又は下流からの配列情報に基づく。
【００８８】
この側面のさらに好ましい態様において、本発明は、該コード化タンパク質においてＦ１２９Ｌ置換をもたらす、真菌シトクロムｂ遺伝子における１つ以上の突然変異（単一又は複数）の存在又は非存在の検出の方法を提供し、前記方法は、任意（又は１つ）の一塩基多型検出法を使用して真菌核酸のサンプルにおける前記突然変異（単一又は複数）の存在又は非存在を同定することを含んでなり、ここで前記一塩基多型検出法は、野生型又は突然変異体タンパク質のいずれか一方における、S. cerevisiae シトクロムｂ残基１２９に対応する位置でアミノ酸をコードするトリプレット中の第一若しくは第三塩基に対応する位置の約３０ないし９０ヌクレオチド上流及び／又は下流からの配列情報に基づく。
【００８９】
この側面のさらに好ましい態様において、本発明は、該コード化タンパク質においてＦ１２９Ｌ置換をもたらす、真菌シトクロムｂ遺伝子における第一塩基チミンのシトシンへの突然変異、及び／又は第三塩基チミンのアデニン若しくはグアニンへの突然変異、又はシトシンのアデニン若しくはグアニンへの突然変異の検出の方法を提供し、前記方法は、任意（又は１つ）の一塩基多型検出法を使用して真菌核酸のサンプルにおける前記突然変異（単一又は複数）の存在又は非存在を同定することを含んでなり、ここで前記一塩基多型検出法は、野生型又は突然変異体タンパク質のいずれか一方における、S. cerevisiae シトクロムｂ残基１２９に対応する位置でアミノ酸をコードするトリプレット中の第一若しくは第三塩基に対応する位置の約３０ないし９０ヌクレオチド上流及び／又は下流からの配列情報に基づく。
【００９０】
この側面のさらに特別に好ましい態様において、本発明は、該コード化タンパク質においてＦ１２９Ｌ置換をもたらす、真菌シトクロムｂ遺伝子における第一塩基チミンのシトシンへの突然変異、又は第三塩基チミンのアデニン若しくはグアニンへの突然変異、又はシトシンのアデニン若しくはグアニンへの突然変異の検出の方法を提供し、前記方法は、任意（又は１つ）の一塩基多型検出法を使用して真菌核酸のサンプルにおける前記突然変異（単一又は複数）の存在又は非存在を同定することを含んでなり、ここで前記一塩基多型検出法は、野生型又は突然変異体タンパク質のいずれか一方における、S. cerevisiae シトクロムｂ残基１２９に対応する位置でアミノ酸をコードするトリプレット中の第一若しくは第三塩基に対応する位置の約３０ないし９０ヌクレオチド上流及び／又は下流からの配列情報に基づく。
【００９１】
この側面のさらに特別に好ましい態様において、本発明は、該コード化タンパク質においてＦ１２９Ｌ置換をもたらす、真菌シトクロムｂ遺伝子における第三塩基シトシンのアデニンへの突然変異の検出の方法を提供し、前記方法は、任意（又は１つ）の一塩基多型検出法を使用して真菌核酸のサンプルにおける前記突然変異（単一又は複数）の存在又は非存在を同定することを含んでなり、ここで前記一塩基多型検出法は、野生型又は突然変異体タンパク質のいずれか一方における、S. cerevisiae シトクロムｂ残基１２９に対応する位置でアミノ酸をコードするトリプレット中の第一若しくは第三塩基に対応する位置の約３０ないし９０ヌクレオチド上流及び／又は下流からの配列情報に基づく。
【００９２】
本発明の上記側面において、一塩基多型検出法は、好ましくは、野生型又は突然変異体タンパク質のいずれか一方にある S. cerevisiae シトクロムｂ残基１２９に対応する位置でアミノ酸をコードするトリプレット中の第三塩基に対応する位置の約３０ないし９０ヌクレオチド上流及び／又は下流からの配列情報に基づく。
【００９３】
本明細書に使用されるように、用語「上流」は「５’への」配列を示し、用語「下流」は「３’への」配列を示すために使用される。
本発明の上記側面による配列情報は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana を含んでなる群から、好ましくは Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から、そしてより好ましくは、Plasmopara viticola, Erysiphe graminis f. sp. tritici/hordei, Rhynchosporium secalis, Pyrenophora teres, Mycosphaerella graminicola, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Leveillula taurica, Pseudoperonospora cubensis, Alternaria solani, Rhizoctonia solani, Didymella bryoniae, Didymella lycopersici, Mycosphaerella musicola, 及び Cercospora arachidola の群から選択される真菌から好ましくは導かれる。
【００９４】
本明細書に使用されるように、用語「約３０」は、配列が３０までのヌクレオチド、例えば、５、１０、１５、２０、又は２５までのヌクレオチドを含む場合があるか、又は３０より多いヌクレオチドを含む場合があることを意味する。本発明の上記側面においては、野生型又は突然変異体タンパク質のいずれか一方において、S. cerevisiae シトクロムｂ残基１２９に対応する位置でアミノ酸をコードするトリプレット中の第一若しくは第三塩基に対応する位置の約３０、好ましくは３０ヌクレオチド上流及び／又は下流の配列情報が使用されることが好ましい。
【００９５】
本発明による核酸は、好ましくはＤＮＡである。核酸の試験サンプルは、簡便には、真菌材料由来の全ＤＮＡ調製物、真菌材料由来のｃＤＮＡ調製物、又は真菌材料そのものであるか、又は真菌核酸を含有する植物若しくは種子のエキスである。本明細書において、我々は、全ゲノムＤＮＡ若しくはｃＤＮＡの調製物を使用することによって、Ｆ１２９Ｌ突然変異の検出を記載する。しかしながら、試験サンプルが同等に核酸であり、その配列が試験サンプルにおける配列に対応すればよいことは理解されよう。即ち、サンプル核酸中の領域の全部又は一部は、本発明の方法における使用の前に、ＰＣＲのような慣用技術を使用してはじめに単離又は増幅される場合がある。
【００９６】
本発明は、本明細書に記載される診断法がより一般的に使用されるヒトのサンプルに関わる類似の状況と比較して、その起源そのものにより、通常ほとんど明確に定義されない、農地サンプルのＤＮＡにおける突然変異を分析する手段を提供する。農地サンプルは、しばしばただ１人の個体に由来するＤＮＡを含有するヒトのサンプルと比較すると、処理することがきわめてより困難であり、ごく多量の野生型ＤＮＡ及び／又は、野外の単離物中に存在する他の生物由来の余剰ＤＮＡの間で低頻度に起こる突然変異事象を検出することはより技術的に要求が厳しい。
【００９７】
重合化に便利な酵素は、それが正常及び突然変異体の鋳型配列を有意な程度に識別するという固有の能力を有さなければ、どれでも使用可能である。簡便な酵素の例には、有意な３’−５’エクソヌクレアーゼ活性を有さない熱安定性の酵素、例えば、Ｔａｑ  ＤＮＡポリメラーゼ、特に「Ａｍｐｌｉ  Ｔａｑ  Ｇｏｌｄ」TMＤＮＡポリメラーゼ（アプライド・バイオシステムズ）、Ｓｔｏｆｆｅｌフラグメント、又は他の適切にＮ末端欠失されたＴａｑ（Thermus aquaticus）又はＴｔｈ（Thermus thermophilus）ＤＮＡポリメラーゼの改良品が含まれる。
【００９８】
さらなる側面において、本発明は、野生型シトクロムｂタンパク質をコードする真菌核酸へ結合することが可能な対立遺伝子特異的オリゴヌクレオチドを提供し、ここで前記オリゴヌクレオチドは S. cerevisiae シトクロムｂ残基１２９に対応する位置でフェニルアラニン残基をコードする核酸配列を認識する配列を含む。
【００９９】
好ましい態様において、前記真菌核酸配列は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana からなる群の真菌から選択される。
【０１００】
本発明のこの側面の好ましい態様において、前記真菌核酸配列は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択され、そして特に好ましい態様において、真菌核酸は、Plasmopara viticola, Erysiphe graminis f. sp. tritici/hordei, Rhynchosporium secalis, Pyrenophora teres, Mycosphaerella graminicola, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される。
【０１０１】
本発明の上記側面による真菌核酸は、好ましくはＤＮＡである。
本発明のさらなる側面において、我々は、突然変異体シトクロムｂタンパク質をコードする真菌核酸配列へ結合することが可能な対立遺伝子特異的オリゴヌクレオチドを提供し、ここで前記オリゴヌクレオチドは、S. cerevisiae シトクロムｂ残基１２９に対応する位置でイソロイシン、ロイシン、セリン、システイン、バリン、チロシンの群から選択されるアミノ酸、そして最も好ましくはロイシンをコードする核酸配列を認識する配列を含む。
【０１０２】
本発明のこの側面の好ましい態様において、我々は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana からなる群から選択される突然変異体シトクロムｂタンパク質をコードする真菌核酸配列へ結合することが可能な対立遺伝子特異的オリゴヌクレオチドを提供し、ここで前記オリゴヌクレオチドは、S. cerevisiae シトクロムｂ残基１２９に対応する位置でイソロイシン、ロイシン、セリン、システイン、バリン、チロシンの群から選択されるアミノ酸、そして最も好ましくはロイシンをコードする核酸配列を認識する配列を含む。
【０１０３】
本発明のこの側面のさらに好ましい態様において、我々は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される突然変異体シトクロムｂタンパク質をコードする真菌核酸配列へ結合することが可能な対立遺伝子特異的オリゴヌクレオチドを提供する。
【０１０４】
本発明の上記側面による真菌核酸は、好ましくはＤＮＡである。
さらなる側面において、本発明は、S. cerevisiae シトクロムｂの該タンパク質中残基１２９に対応する位置でアミノ酸をコードするトリプレット中の１つ以上の塩基に対応するＤＮＡ中の位置で野生型シトクロムｂ遺伝子配列を検出することが可能な対立遺伝子特異的オリゴヌクレオチドプローブを提供する。
【０１０５】
さらなる側面において、本発明は、S. cerevisiae シトクロムｂの該タンパク質中残基１２９に対応する位置でアミノ酸をコードするトリプレット中の１つ以上の塩基に対応するＤＮＡ中の位置で真菌シトクロムｂ遺伝子多型を検出することが可能な対立遺伝子特異的オリゴヌクレオチドプローブを提供する。
【０１０６】
この側面のさらに好ましい態様において、本発明は、S. cerevisiae シトクロムｂ残基１２９に対応する位置でアミノ酸をコードするトリプレット中の第一及び／又は第三塩基に対応するＤＮＡ中の位置で真菌シトクロムｂ遺伝子多型を検出することが可能な対立遺伝子特異的オリゴヌクレオチドプローブを提供する。
【０１０７】
この側面のさらに好ましい態様において、本発明は、S. cerevisiae シトクロムｂ残基１２９に対応する位置でアミノ酸をコードするトリプレット中の第一若しくは第三塩基に対応するＤＮＡ中の位置で真菌シトクロムｂ遺伝子多型を検出することが可能な対立遺伝子特異的オリゴヌクレオチドプローブを提供する。
【０１０８】
この側面のさらに好ましい態様において、本発明は、S. cerevisiae シトクロムｂ残基１２９に対応する位置でアミノ酸をコードするトリプレット中の第三塩基に対応するＤＮＡ中の位置で真菌シトクロムｂ遺伝子多型を検出することが可能な対立遺伝子特異的オリゴヌクレオチドプローブを提供する。
【０１０９】
本発明の上記側面のさらに好ましい態様において、前記多型は、該コドンの第一塩基でのチミンからシトシン塩基への変化、第三塩基でのチミン若しくはシトシンからアデニン若しくはグアニンへの変化であり、該突然変異は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana からなる群から選択される真菌において存在する。
【０１１０】
本発明の上記側面のさらに好ましい態様において、前記多型は、該コドンの第一塩基でのチミンからシトシン塩基への変化、第三塩基でのチミン若しくはシトシンからアデニン若しくはグアニンへの変化であり、該突然変異は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される真菌において存在する。
【０１１１】
この対立遺伝子特異的オリゴヌクレオチドプローブは、好ましくは１２ないし５０ヌクレオチドの長さであり、より好ましくは約１２〜３５ヌクレオチドの長さであり、そして最も好ましくは約１２〜３０ヌクレオチドの長さである。
【０１１２】
そのようなプローブの設計は、通常の技量のある分子生物学者には明らかであり、ＤＮＡ若しくはＲＮＡの配列情報に基づく場合がある。そのようなプローブは、５０塩基まで、４０塩基までといった簡便な長さであり、より簡便には、例えば８〜２５若しくは８〜１５塩基の長さといった、３０塩基までの長さである。一般に、そのようなプローブは、該遺伝子中の対応する野生型若しくは変異体の座に対して完全に相補的な塩基配列を含むものである。しかしながら、必要とされるならば、このオリゴヌクレオチドプローブの識別力が不適切には影響を受けない限りにおいて、１つ以上のミスマッチを導入してもよい。本発明のプローブは、検出を促進するために１つ以上のラベル（例、例えば、ＦＡＭとＶＩＣを含む蛍光ラベル）を担う場合がある。
【０１１３】
さらに本発明は、本発明による塩基多型を検出することが可能であるヌクレオチドプライマーを提供する。
本発明のもう１つの側面によれば、S. cerevisiae シトクロムｂの該タンパク質中残基１２９に対応する位置でアミノ酸をコードするトリプレット中の１つ以上の塩基に対応するＤＮＡ中の位置でシトクロムｂ遺伝子多型を検出することが可能な対立遺伝子特異的プライマーが提供される。
【０１１４】
本発明のこの側面の好ましい態様によれば、S. cerevisiae シトクロムｂ残基１２９に対応する位置でアミノ酸をコードするトリプレット中の第一及び／又は第三塩基に対応するＤＮＡ中の位置でシトクロムｂ遺伝子多型を検出することが可能な対立遺伝子特異的プライマーが提供される。
【０１１５】
本発明のこの側面のさらに好ましい態様によれば、S. cerevisiae シトクロムｂ残基１２９に対応する位置でアミノ酸をコードするトリプレット中の第一若しくは第三塩基に対応するＤＮＡ中の位置でシトクロムｂ遺伝子多型を検出することが可能な対立遺伝子特異的プライマーが提供される。
【０１１６】
本発明のこの側面のさらに好ましい態様によれば、S. cerevisiae シトクロムｂの該タンパク質中残基１２９に対応する位置でアミノ酸をコードするトリプレット中の第三塩基に対応するＤＮＡ中の位置でシトクロムｂ遺伝子多型を検出することが可能な対立遺伝子特異的プライマーが提供される。
【０１１７】
上記側面において、該ＤＮＡ配列中の前記突然変異は、好ましくは、該トリプレットの第一塩基でのチミンからシトシン塩基への変化と、該トリプレットの第三塩基でのチミン若しくはシトシンのアデニン若しくはグアニンへの変化であり、最も好ましくは、第三位でのシトシンからアデニンへの変化である。
【０１１８】
さらなる側面において、本発明は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana からなる群から選択される野生型シトクロムｂタンパク質をコードする真菌ＤＮＡ配列を検出することが可能な対立遺伝子特異的プライマーを提供し、ここで前記プライマーは、S. cerevisiae シトクロムｂ残基１２９に対応する位置でフェニルアラニン残基をコードするＤＮＡ配列を検出することが可能である。
【０１１９】
この側面の好ましい態様において、本発明は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される野生型シトクロムｂタンパク質をコードする真菌ＤＮＡ配列を検出することが可能な対立遺伝子特異的プライマーを提供し、ここで前記プライマーは、S. cerevisiae シトクロムｂ残基１２９に対応する位置でフェニルアラニン残基をコードするＤＮＡ配列を検出することが可能である。
【０１２０】
本発明のこの側面の好ましい態様において、前記真菌ＤＮＡ配列は、Plasmopara viticola, Erysiphe graminis f. sp. tritici/hordei, Rhynchosporium secalis, Pyrenophora teres, Mycosphaerella graminicola, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される。
【０１２１】
本発明のさらなる側面において、我々は、突然変異体シトクロムｂタンパク質の一部をコードする真菌ＤＮＡ配列を検出することが可能な対立遺伝子特異的プライマーを提供し、ここで前記対立遺伝子特異的プライマーは、S. cerevisiae シトクロムｂ残基１２９に対応する位置でイソロイシン、ロイシン、セリン、システイン、バリン、チロシンの群から選択されるアミノ酸、そして最も好ましくはロイシンをコードするＤＮＡ配列を検出することが可能である。
【０１２２】
本発明のこの側面のさらなる態様において、我々は、突然変異体シトクロムｂタンパク質の一部をコードする真菌ＤＮＡ配列を検出することが可能な対立遺伝子特異的プライマーを提供し、ここで前記対立遺伝子特異的プライマーは、S. cerevisiae シトクロムｂ残基１２９に対応する位置でイソロイシン、ロイシン、セリン、システイン、バリン、チロシンの群から選択されるアミノ酸、そして最も好ましくはロイシンをコードするＤＮＡ配列を検出することが可能である。
【０１２３】
本発明のこの側面の好ましい態様において、我々は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Mycosphaerella musicola, Cercospora arachidola, Colletotrichum acutatum, Wilsonomyces carpophillum, Didymella bryoniae, Didymella lycopersici, Peronospora tabacina, Puccinia recondita, 及び Puccinia horiana からなる群から選択される突然変異体シトクロムｂタンパク質の一部をコードする真菌ＤＮＡ配列を検出することが可能な対立遺伝子特異的プライマーを提供し、ここで前記プライマーは、S. cerevisiae シトクロムｂ残基１２９に対応する位置でイソロイシン、ロイシン、セリン、システイン、バリン、チロシンの群から選択されるアミノ酸、そして最も好ましくはロイシンをコードするＤＮＡ配列を検出することが可能である。
【０１２４】
本発明のこの側面の好ましい態様において、我々は、Plasmopara viticola, Erysiphe graminis f. sp. tritici/hordei, Rhynchosporium secalis, Pyrenophora teres, Mycosphaerella graminicola, Venturia inaequalis, Mycosphaerella fijiensis var. difformis, Sphaerotheca fuliginea, Uncinula necator, Colletotrichum graminicola, Pythium aphanidermatum, Colletotrichum gloeosporioides, Oidium lycopersicum, Phytophthora infestans, Leveillula taurica, Pseudoperonospora cubensis, Alternaria solani, Rhizoctonia solani, Didymella bryoniae, Didymella lycopersici, Mycosphaerella musicola, 及び Cercospora arachidola からなる群から選択される突然変異体シトクロムｂタンパク質の一部をコードする真菌ＤＮＡ配列を検出することが可能な対立遺伝子特異的プライマーを提供し、ここで前記プライマーは、S. cerevisiae シトクロムｂ残基１２９に対応する位置でイソロイシン、ロイシン、セリン、システイン、バリン、チロシンの群から選択されるアミノ酸、そして最も好ましくはロイシンをコードするＤＮＡ配列を検出することが可能である。
【０１２５】
一般に、対立遺伝子特異的プライマーは、ＰＣＲ反応のような増幅反応において共通プライマーと一緒に使用され、例えばＡＲＭＳアッセイにおいて使用されるように、特別な配列位置での１つの対立遺伝子の選択増幅により、対立遺伝子間での識別を提供する。
【０１２６】
今や我々は、信頼可能的かつ確実に特定の突然変異群を検出することが示された、上記に列挙した真菌種におけるＦ１２９Ｌ突然変異へのプライマーを設計することが可能である。このプライマーは、S. cerevisiae シトクロムｂの該タンパク質中残基１２９に対応する位置でアミノ酸をコードするトリプレット中の第一塩基に対応するＤＮＡ中の位置でのチミンからシトシン塩基への変化、及び／又は S. cerevisiae シトクロムｂの該タンパク質中残基１２９に対応する位置でアミノ酸をコードするトリプレット中の第三塩基に対応するＤＮＡ中の位置でのチミン若しくはシトシンからアデニン若しくはグアニン塩基への変化のいずれか一方を検出する。この対立遺伝子特異的プライマーを本明細書では診断プライマーと呼ぶ。
【０１２７】
故に、さらなる側面において、本発明は、S. cerevisiae シトクロムｂの該シトクロムｂタンパク質中残基１２９に対応する位置でアミノ酸をコードするトリプレット中の第一及び／又は第三塩基で対応する位置に突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、前記ヌクレオチドの存在は、ストロビルリン類似体又はその同一交差耐性群にある他の化合物への真菌の耐性を生じさせる。
【０１２８】
故に、この側面のさらなる態様において、本発明は、S. cerevisiae シトクロムｂの該シトクロムｂタンパク質中残基１２９に対応する位置でアミノ酸をコードするトリプレット中の第一若しくは第三塩基に対応する位置で突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、前記ヌクレオチドの存在は、ストロビルリン類似体又はその同一交差耐性群にある他の化合物への真菌の耐性を生じさせる。
【０１２９】
故に、この側面のさらなる態様において、本発明は、S. cerevisiae シトクロムｂの該シトクロムｂタンパク質中残基１２９に対応する位置でアミノ酸をコードするトリプレット中の第一及び／又は第三塩基に対応する位置で突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、前記ヌクレオチドの存在は、ストロビルリン類似体又はその同一交差耐性群にある他の化合物への真菌の耐性を生じさせる。
【０１３０】
故に、この側面のさらに好ましい態様において、本発明は、S. cerevisiae シトクロムｂの該シトクロムｂタンパク質中残基１２９に対応する位置でアミノ酸をコードするトリプレット中の第一若しくは第三塩基に対応する位置に突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、前記ヌクレオチドの存在は、ストロビルリン類似体又はその同一交差耐性群にある他の化合物への真菌の耐性を生じさせる。
【０１３１】
故に、さらなる側面において、本発明は、S. cerevisiae シトクロムｂの該シトクロムｂタンパク質中残基１２９に対応する位置でアミノ酸をコードするトリプレット中の第三塩基に対応する位置で突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、前記ヌクレオチドの存在は、ストロビルリン類似体又はその同一交差耐性群にある他の化合物への真菌の耐性を生じさせる。
【０１３２】
故に、さらなる側面において、本発明は、S. cerevisiae シトクロムｂの該シトクロムｂタンパク質中残基１２９に対応する位置でアミノ酸をコードするトリプレット中の第一塩基に対応する位置で突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、前記ヌクレオチドの存在は、ストロビルリン類似体又はその同一交差耐性群にある他の化合物への真菌の耐性を生じさせる。
【０１３３】
本発明の診断プライマーは、好ましくは少なくとも２０ヌクレオチドの長さであり、最も好ましくは約２６ヌクレオチドの長さである。しかしながら、本発明の診断プライマーはまた、１５と２０の間のヌクレオチドの長さであってよい。当業者に理解されるように、本発明の診断プライマーは、真菌シトクロムｂタンパク質をコードする核酸のセンス若しくはアンチセンス鎖のいずれかへハイブリダイズするようなものであってよい。
【０１３４】
本発明の上記側面の好ましい態様において、該プライマーの最後から二番目のヌクレオチド（−２）は、野生型シトクロムｂ配列中の対応する位置に存在するものと同じではない。
【０１３５】
さらに好ましい態様において、野生型シトクロムｂ配列中の対応する位置に存在するものと同じでないのは、該プライマーの−３ヌクレオチドである。
他の不安定化要素を、−２若しくは−３のヌクレオチドとともに取り込むことが可能である。
【０１３６】
本発明の上記側面のさらに特に好ましい態様において、我々は、S. cerevisiae シトクロムｂの該シトクロムｂタンパク質中残基１２９に対応する位置でアミノ酸をコードするトリプレット中の第一及び／又は第三塩基に対応する突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、残るヌクレオチドの８、６、４、２、１までのように１０までは、診断プライマーの特性に有意に影響を及ぼすことなく、野生型配列に関して変化させることが可能である。
【０１３７】
本発明の上記側面のさらに特に好ましい態様において、我々は、S. cerevisiae シトクロムｂの該シトクロムｂタンパク質中残基１２９に対応する位置でアミノ酸をコードするトリプレット中の第一若しくは第三塩基に対応する突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、残るヌクレオチドの８、６、４、２、１までのように１０までは、診断プライマーの特性に有意に影響を及ぼすことなく、野生型配列に関して変化させることが可能である。
【０１３８】
本発明の上記側面のさらに特に好ましい態様において、我々は、S. cerevisiae シトクロムｂの該シトクロムｂタンパク質中残基１２９に対応する位置でアミノ酸をコードするトリプレット中の第三塩基に対応する突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、残るヌクレオチドの８、６、４、２、１までのように１０までは、診断プライマーの特性に有意に影響を及ぼすことなく、野生型配列に関して変化させることが可能である。
【０１３９】
本発明の上記側面のさらに特に好ましい態様において、我々は、S. cerevisiae シトクロムｂの該シトクロムｂタンパク質中残基１２９に対応する位置でアミノ酸をコードするトリプレット中の第一塩基に対応する突然変異体型真菌シトクロムｂヌクレオチド配列を含んでなる鋳型へ結合することが可能な診断プライマーを提供し、ここで該プライマーの最終３’ヌクレオチドは、真菌シトクロムｂ遺伝子の前記突然変異体型に存在するヌクレオチドに対応し、残るヌクレオチドの８、６、４、２、１までのように１０までは、診断プライマーの特性に有意に影響を及ぼすことなく、野生型配列に関して変化させることが可能である。
【０１４０】
本発明の上記側面のさらに特に好ましい態様において、我々は、以下に示す配列とその誘導体を含んでなる診断プライマーを提供し、ここで３’末端の最終ヌクレオチドは以下に示す配列に同一であり、ここで残るヌクレオチドの８、６、４、２、１までのように１０までは、診断プライマーの特性に有意に影響を及ぼすことなく、野生型配列に関して変化させることが可能である。
【０１４１】
診断（例、ＡＲＭＳ）プライマーは、当業者により理解されるように、高いＴｍを有するものであり、本発明のあらゆる側面において、ＡＲＭＳプライマーは約２６ヌクレオチドの長さであることが好ましい。簡便には、診断プライマーの配列は、以下に提供される通りであってよい（表９〜１３を参照のこと）。表９〜１３において以下に列挙されるすべてのプライマーでは、最後から二番目のヌクレオチドが野生型ｃｙｔ  ｂ配列から改変されて、鋳型／プライマーハイブリッドを不安定化することにより、所望の鋳型についてそれをより選択的なものとするので、これらのプライマーは本発明により特に好ましい。当業者に明らかなように、プライマー設計の技術においては、上記に論じたものに代わる塩基やそれに加える塩基もまた、鋳型へ結合するプライマーの能力に影響を及ぼすことなく変化させることが可能である。
【０１４２】
【表１８】
2004533230.tif 000019
【０１４３】
【表１９】
2004533230.tif 000020
【０１４４】
【表２０】
2004533230.tif 000021
【０１４５】
【表２１】
2004533230.tif 000022
【０１４６】
【表２２】
2004533230.tif 000023
【０１４７】
例示の目的のために、表９〜１３に含まれるプライマーには：
・ゲノムＤＮＡ調製物、又は真菌単離物、真菌培養物、真菌胞子、又は感染された植物材料を含む生物学的サンプルのいずれかに有効に使用することが可能である、P. teres, C. graminicola-Cgr3 及び V. ineaqualis 用のＡＲＭＳプライマー；
・ｃＤＮＡにのみ有効であり得る、S. fulginea, O. lycopersicon, L. taurica Lt1, Lt2, Lt3 及び Lt4, U. necator, Phytopthora infestans, R. solani, D. bryoniae Db1 及び Db2, 及び D. lycopersici 用のＡＲＭＳプライマー；
・ゲノムＤＮＡ調製物、ｃＤＮＡ調製物、又は真菌単離物、真菌培養物、真菌胞子、又は感染された植物材料を含む生物学的サンプルのいずれかに有効に使用することが可能である、P. viticola, R. secalis, M. graminicola, M. fijiensis var. difformis, C. graminicola Cgr1 及び Cgr2, P. aphanidermatum, C. gloesporoides-chilli 及び mango, P. cubensis, C. arachidola, Mycosphaerella musicola 及び A. solani 用のＡＲＭＳプライマーが含まれる。
【０１４８】
注目の塩基多型の周囲にあるイントロン／エクソン組織が現行では特徴づけられていない種では、ｃＤＮＡ材料が推奨される。
上記の表９〜１３に記載されるＡＲＭＳプライマーは、本発明による診断プライマーの特定の実施例を提供する。
【０１４９】
上記の表に示されるプライマーを標準ＡＳＰＣＲ反応における使用に適用するには、３’末端の最終塩基が、導入される不安定化塩基のない点突然変異に対応するべきである。
そのようなプライマーは、簡便な合成の方法を使用して、製造することが可能である。そのような方法の例は、標準的な教科書、例えば「オリゴヌクレオチド及び類似体のプロトコール：合成と特性」、分子生物学の方法シリーズ；２０巻、Sudhir Agrawal 編、ヒューマナ  ＩＳＢＮ：０−８９６０３−２４７−７；１９９３；第１版に見出すことが可能である。
【０１５０】
診断プライマーは、コード化タンパク質においてＦ１２９Ｌ置換をもたらす１つ以上の突然変異（単一又は複数）の非存在を示すように、即ち、フェニルアラニンをコードする野生型配列を検出するか、又は S. cerevisiae シトクロムｂのコドン１２９に対応する位置でロイシンをコードする配列の存在を確認するように、設計することが可能である。コード化タンパク質においてＦ１２９Ｌ置換をもたらす突然変異（単一又は複数）の非存在の検出へのＡＲＭＳプライマーの使用が好ましい。その目的のために設計されたプライマーを本明細書に記載する。
【０１５１】
野生型配列の検出は、突然変異の検出に関連した対照として有用であり、サンプル中に存在する野生型及び突然変異の対立遺伝子の定量が所望される場合は必要でもある。
故に、さらなる側面において、本発明は、S. cerevisiae シトクロムｂの該シトクロムｂタンパク質中残基１２９に対応する位置でアミノ酸をコードするトリプレット中の第一及び／又は第三塩基に対応する野生型真菌シトクロムｂヌクレオチド配列を含んでなる鋳型へ結合することが可能な診断プライマーを提供し、ここで該プライマーの最終３’ヌクレオチドは、野生型真菌シトクロムｂ遺伝子に存在するヌクレオチドに対応し、前記野生型真菌は、ストロビルリン類似体又はその同一交差耐性群にある他の化合物へ感受性を示す。
【０１５２】
故に、この側面のさらなる態様において、本発明は、S. cerevisiae シトクロムｂの該シトクロムｂタンパク質中残基１２９に対応する位置でアミノ酸をコードするトリプレット中の第一若しくは第三塩基に対応する野生型真菌シトクロムｂヌクレオチド配列を含んでなる鋳型へ結合することが可能な診断プライマーを提供し、ここで該プライマーの最終３’ヌクレオチドは、野生型真菌シトクロムｂ遺伝子に存在するヌクレオチドに対応し、前記野生型真菌は、ストロビルリン類似体又はその同一交差耐性群にある他の化合物へ感受性を示す。
【０１５３】
故に、さらなる側面において、本発明は、S. cerevisiae シトクロムｂの該シトクロムｂタンパク質中残基１２９に対応する位置でアミノ酸をコードするトリプレット中の第三塩基に対応する野生型真菌シトクロムｂヌクレオチド配列を含んでなる鋳型へ結合することが可能な診断プライマーを提供し、ここで該プライマーの最終３’ヌクレオチドは、野生型真菌シトクロムｂ遺伝子に存在するヌクレオチドに対応し、前記野生型真菌は、ストロビルリン類似体又はその同一交差耐性群にある他の化合物へ感受性を示す。
【０１５４】
本発明のこの側面の好ましい態様において、該プライマーの最後から二番目のヌクレオチド（−２）は、野生型シトクロムｂ配列中の対応する位置に存在するものと同じではない。
【０１５５】
さらに好ましい態様において、該プライマーの−３ヌクレオチドは、野生型シトクロムｂ配列中の対応する位置に存在するものと同じではない。
他の不安定化要素を、−２若しくは−３のヌクレオチドとともに取り込むことが可能である。
【０１５６】
本発明の診断プライマーは、好ましくは少なくとも２０ヌクレオチドの長さであり、最も好ましくは２６ヌクレオチドの長さであるが、１５と２０の間のヌクレオチドの長さであってよい。
【０１５７】
本発明の上記側面のさらに特に好ましい態様において、我々は、S. cerevisiae シトクロムｂの該シトクロムｂタンパク質中残基１２９に対応する位置でアミノ酸をコードするトリプレット中の第一及び／又は第三塩基に対応する野生型真菌シトクロムｂヌクレオチド配列を含んでなる鋳型へ結合することが可能な診断プライマーを提供し、ここで該プライマーの最終３’ヌクレオチドは、野生型真菌シトクロムｂに存在するヌクレオチドに対応し、そして残るヌクレオチドの８、６、４、２、１までのように１０までは、診断プライマーの特性に有意に影響を及ぼすことなく、野生型配列に関して変化させることが可能である。
【０１５８】
本発明の上記側面のさらに特に好ましい態様において、我々は、S. cerevisiae シトクロムｂの該シトクロムｂタンパク質中残基１２９に対応する位置でアミノ酸をコードするトリプレット中の第一若しくは第三塩基に対応する野生型真菌シトクロムｂヌクレオチド配列を含んでなる鋳型へ結合することが可能な診断プライマーを提供し、ここで該プライマーの最終３’ヌクレオチドは、野生型真菌シトクロムｂに存在するヌクレオチドに対応し、そして残るヌクレオチドの８、６、４、２、１までのように１０までは、診断プライマーの特性に有意に影響を及ぼすことなく、野生型配列に関して変化させることが可能である。
【０１５９】
本発明のこの側面のさらに特に好ましい態様において、我々は、以下に示す配列を含んでなる診断プライマーとその誘導体を提供し、ここで３’末端での最終ヌクレオチドは、以下に示す配列と同一であり、そして残るヌクレオチドの８、６、４、２、１までのように１０までは、診断プライマーの特性に有意に影響を及ぼすことなく変化させることが可能である。簡便には、診断プライマーの配列は、以下に提供される通りであってよい（表１４及び１５）。以下に列挙されるプライマーの多数においては、最後から二番目のヌクレオチドが野生型ｃｙｔ  ｂ配列から改変されて、鋳型／プライマーハイブリッドを不安定化することにより、所望の鋳型についてそれをより選択的なものとする。当業者に明らかなように、プライマー設計の技術においては、上記に論じたものに代わる塩基やそれに加える塩基もまた、鋳型へ結合するプライマーの能力に影響を及ぼすことなく変化させることが可能である。
【０１６０】
【表２３】
2004533230.tif 000024
【０１６１】
【表２４】
2004533230.tif 000025
【０１６２】
上記の表に示すプライマーを標準ＡＳＰＣＲ反応における使用に適用するには、３’末端の最終塩基が、不安定化塩基の導入がない野生型配列に対応するべきである。
上記に記載の例は、ＤＮＡの前向き鎖（forward strand）に基づいたＡＲＭＳプライマーに関する。ＤＮＡの前向き鎖に基づいたＡＲＭＳプライマーの使用は特に好ましい。しかしながら、逆向きの（アンチセンス）鎖に基づいたＡＲＭＳプライマーも使用可能である。
【０１６３】
ＡＲＭＳプライマーはまた、そのように所望されるならば、ＤＮＡの逆向き鎖（reverse strand）に基づいてもよい。そのような逆向き鎖プライマーは、前向き鎖プライマーについての上記と同じ原理に従って設計される。つまり、このプライマーは、少なくとも２０ヌクレオチドの長さ、最も好ましくは２６ヌクレオチドの長さであり得るが、１５と２０の間のヌクレオチドの長さであってよく、該プライマーの３’末端の最終ヌクレオチドは、関連の鋳型、即ち突然変異体又は野生型に適合し、好ましくは、最終から二番目の残基は、最適にも、それが関連の鋳型に適合しないように変化している。さらに、プライマー中の残るヌクレオチドの８、６、４、２、１までのように１０までは、診断プライマーの特性に有意に影響を及ぼすことなく変化させることが可能である。
【０１６４】
多くの状況において、ＰＣＲ増幅の１つ以上のサイクルでは、共通プライマーとして本明細書において言及されるさらなる増幅プライマーと一緒に本発明の診断プライマーを使用することが簡便であろう。この側面の簡便な例がヨーロッパ特許出願番号ＥＢ−Ｂ１−０３３２４３５に説明されている。このさらなる増幅プライマーは、前向き又は逆向きのいずれかの共通プライマーである。特殊な植物病原体について使用可能である、そのような共通プライマーの例を以下の表１６に示す。
【０１６５】
【表２５】
2004533230.tif 000026
【０１６６】
【表２６】
2004533230.tif 000027
【０１６７】
表１６にある、Rhynchosporium secalis, Mycosphaerella fijiensis var. difformis, Sphaerotheca fuliginea(ｃＤＮＡ), Uncinula necator(ｃＤＮＡ), Colletotrichum graminicola Cgr1, Colletotrichum gloeosporioides-chilli, Oidium lycopersicum, Leveillula taurica Lt4, Pseudoperonospora cubensis, Alternaria solani, Cercospora arachidola, Rhizoctonia solani, Phytopthora infestans 及び Mycospharella musicola への共通プライマーは、国際特許出願公報第ＷＯ００／６６７７３号にすでに記載されている。
【０１６８】
表３〜８と国際特許出願公報第ＷＯ００／６６７７３号に提供される、より長い配列の場合、当業者は、この情報を使用して適正なプライマーを設計することが可能であろう。当業者に明らかなように、共通プライマーは、突然変異選択プライマーの３’に存在するシトクロムｂ遺伝子（又は注目の他の遺伝子）の相補鎖を認識する、任意の簡便な病原体特異配列であり得る。
【０１６９】
ＰＣＲアンプリコンのサイズは、選好的に５０〜４００ｂｐの長さであるが、３０〜２５００ｂｐの長さであるか、又は、潜在的には３０〜１０，０００ｂｐの長さであり得る。
【０１７０】
Ｆ１２９Ｌ位置から上流に設計される、簡便な対照プライマーを使用することが可能である。当業者に明らかなように、この対照プライマーは、突然変異若しくは野生型の配列の増幅に特異的でないどんなプライマーでもよい。これらのプライマーを上記に記載の対応する逆向きの（「共通」）プライマーとともに使用すると、Ｆ１２９Ｌ点突然変異が存在するか又はしないにかかわらず、増幅が起こるものである。
【０１７１】
【表２７】
2004533230.tif 000028
【０１７２】
本発明は、上記の表に開示されるすべての新規オリゴヌクレオチド（プライマーとして使用可能である）へ拡張されると考えられる。
診断プライマー伸長産物及び／又は増幅産物の存在若しくは非存在を検出するために多様な方法が使用可能である。これらは、核酸検出法の技術分野に精通した当業者に明らかであろう。好ましい方法は放射標識リガンドの必要性を回避する。特に好ましい検出法は、診断プライマー伸長産物の存在及び／又は非存在の蛍光検出に基づくものである。特別の検出法には、ゲル電気泳動分析、「Ｓｃｏｒｐｉｏｎｓ」TM（１９９８年１１月２５日にゼネカ株式会社の名称で出願された、ＰＣＴ出願番号ＰＣＴ／ＧＢ９８／０３５２１に記載されている産物検出法。この教示は本明細書に援用される）が含まれる。さらに好ましい検出法には、ＡＲＭＳ線形伸長（linear extension: ＡＬＥＸ）と、ＰＣＴ出願公報番号ＷＯ９９／０４０３７に記載されるＡＬＥＸと一緒のＰＣＲが含まれる。簡便には、リアルタイム検出を利用する。ＰＣＴ出願番号ＰＣＴ／ＧＢ９８／０３５２１と、イギリス特許出願公報番号ＧＢ２３３８３０１に記載されている、「Ｓｃｏｒｐｉｏｎｓ」TM産物検出の使用は、本明細書に記載の本発明のすべての側面における使用に特に好ましい。本明細書に記載されるようなＡＲＭＳ及びＳｃｏｒｐｉｏｎ技術の組み合わせは、本明細書に記載の本発明のすべての側面における使用に特に好ましく、好ましい検出法は、蛍光に基づいた検出法である。これら検出法の多くは、上記プライマーのすべてを使用する定量的な研究に適している。これら異なるＰＣＲは、異なる試験管において行うことが可能であるか、又は１つの試験管において多重複合化（multiplexed）させることが可能である。このような方法を使用して、野生型分子のバックグラウンドに存在する点突然変異分子の頻度について評価をすることが可能である。
【０１７３】
当業者に明らかなように、ＡＲＭＳプライマーに基づいた技術は、３’残基がある１つの、又は別のＳＮＰ代替物に正確に適合する対立遺伝子選択ハイブリダイゼーションプローブのハイブリダイゼーションに後続した、近接配列のコピーのために選択的にプライムする能力を提供する。例えばコドン１２９の第一位にＣ残基が存在する場合に、例えば、きわめて選択的な増幅を与えることが可能なＡＲＭＳプライマーは、３’と最後から二番目の残基と離れたところで完全な適合があるので、他の、野生型、Ｔ残基含有遺伝子のｃｙｔ  ｂ遺伝子へ十分結合するだろう。ＡＲＭＳの主要特性は、重要な３’残基でのミスマッチのために近接領域をコピーし得ないことである。
【０１７４】
当業者はまた、本特許出願に含まれる植物病原性真菌のシトクロムｂ配列データが与えられれば、他の一塩基ポリヌクレオチド（ＳＮＰ）若しくは単純塩基多型検出技術を利用してＦ１２９Ｌ突然変異を検出することが可能であることを理解されよう。そのような方法には、例えば、特許番号ＵＳ−Ａ−５４８７９７２及びＵＳ−Ａ−５２１００１５に記載されるような「ＴａｑＭａｎ」TM産物検出；例えば、アプライド・バイオシステムズ（８５０  リンカーン・センター・ドライブ、フォスターシティ、カリフォルニア州９４４０４、アメリカ）より入手可能な「アプライド・バイオシステムズ・ユーザー会報：プライマー発現バージョン１．５と対立遺伝子識別用のＴａｑＭａｎ  ＭＧＢプローブ（２０００年５月）」に記載され、本明細書（実施例も参照のこと）に記載される「ＴａｑＭａｎ（登録商標）ＭＧＢ」及び「ターボＴａｑＭａｎ（登録商標）」プローブのような、対立遺伝子選択ハイブリダイゼーション技術が含まれる。Ｆ１２９Ｌ突然変異（単一又は複数）を検出することにも使用可能であるさらなるＳＮＰ若しくは単純塩基多型検出技術には、特許番号ＷＯ９５／１３３９９に概説されるような「分子ビーコン（Ｍｏｌｅｃｕｌａｒ  Ｂｅａｃｏｎｓ）」（登録商標）産物検出と、特許出願ＷＯ９７／０５２８０に概説されるような表面増強ラマン共鳴分光学（ＳＥＲＲＳ）が含まれ、これらはいずれも本明細書に援用される。コドン１２９に存在する対立遺伝子を明確化するために使用可能である他のＳＮＰ及び／又は単純ポリヌクレオチド検出技術には、限定されないが、「ＰｙｒｏｓｅｑｕｅｎｃｉｎｇTM」（Ｐｙｒｏｓｅｑｕｅｎｃｉｎｇ  ＡＢ，ウプサラ、スウェーデン）、Ｌｏｃｋｅｄ  Ｎｕｃｌｅｉｃ  Ａｃｉｄ（固定化核酸；ＬＮＡ）技術（Ｅｘｉｑｏｎ  Ａ／Ｓ，Ｂｙｇｓｔｕｂｂｅｎ  ９，２９５０  ヴェドベック、デンマーク）、Ｄｙｎａｍｉｃ  Ａｌｌｅｌｅ  Ｓｐｅｃｉｆｉｃ  Ｈｙｂｒｉｄｉｓａｔｉｏｎ（動的対立遺伝子特異的ハイブリダイゼーション；ＤＡＳＨ）（Ｈｙｂａｉｄ  ＵＳ，８  Ｅａｓｔ  Ｆｏｒｇｅ  Ｐａｒｋｗａｙ，フランクリン、マサチューセッツ州０２０３８、アメリカ）、及び変性高速液体クロマトグラフィー（ｄＨＰＬＣ）（Giordano M. et al. Genomics 56 (1999) 247-253; Oefner P. J. J. Chromatogr., B: Biomed. Sci. Appl. 739 (2000) 345-355）が含まれ、これらもまた本明細書に援用される。
【０１７５】
当業者はまた、ＳＮＰ及び／又は単純塩基認識配列技術のいくつかは、例えば、両方の置換を含む変異体配列を認識することが可能なＴａｑＭａｎ  ＭＧＢプローブの設計によるか、又はＰｙｒｏｓｅｑｕｅｎｃｉｎｇ技術の場合と同様に、この技術がいくつかの密に連結した位置で配列を直接決定するので、野生型フェニルアラニンコドンとは２つの変化（例、ＴＴＴ→ＣＴＡ）により異なるコドン１２９でロイシンをコードする対立遺伝子を検出するために容易に適用可能であることを理解されよう。他の場合、特に対立遺伝子特異的増幅法（例、ＡＲＭＳ、等）に依存する場合は、センス及びアンチセンス配列に作用して一及び二塩基多型を差別化するプライマーをおそらくは含む、いくつかの検出法を開発することが望ましいかもしれない。また、一及び二塩基多型の間の最も鋭敏で特異的な検出及び識別を可能にするために、異なるＳＮＰ検出技術を組み合わせる（例、ＡＲＭＳをＰｙｒｏｓｅｑｕｅｎｃｉｎｇと組み合わせる）ことも可能であるかもしれない。本発明は、本明細書に記載の本発明の適正な側面及び態様における使用への異なるＳＮＰ検出技術の組合せへ拡張される。例えば、Ｔａｑｍａｎ（登録商標)（又はＴａｑｍａｎ（登録商標）ＭＧＢ）プローブは、ＡＲＭＳプライマー及び共通プライマーと組み合わせて使用することが可能である。これがその状況である場合、ＡＲＭＳプライマーがＳＮＰ突然変異の検出への特異性を提供し、Ｔａｑｍａｎ（登録商標）（又はＴａｑｍａｎ（登録商標）ＭＧＢ）プローブが検出手段（例、検出されるフルオロフォア）を提供することが好ましい。
【０１７６】
本明細書に例示されるように、我々は、ＤＮＡの逆向き鎖に基づいたＳｃｏｒｐｉｏｎ検出と組み合わせた、ＤＮＡの前向き鎖に基づいたＡＲＭＳプライマーを検出法として使用した。我々はまた、本明細書において、ＤＮＡの前向き鎖に基づいたＳｃｏｒｐｉｏｎ検出と組み合わせた、ＤＮＡの逆向き鎖に基づいたＡＲＭＳプライマーを検出法として例示した。当業者に容易に明らかなように、ＡＲＭＳプライマー及びＳｃｏｒｐｉｏｎ検出要素の代替可能な組み合わせも使用することが可能であろう。例えば、ＤＮＡの前向き鎖に基づいたプライマーがＡＲＭＳプライマーのＳｃｏｒｐｉｏｎ検出系との組合せであり得て、これはＤＮＡの逆向き鎖に基づいた共通プライマーとともに使用可能であるか、又は、ＤＮＡの逆向き鎖に基づいたプライマーがＡＲＭＳプライマーのＳｃｏｒｐｉｏｎ検出系との組合せであり得て、これはＤＮＡの前向き鎖に基づいた共通プライマーとともに使用可能であろう。
【０１７７】
本明細書に記載の実施例において、Ｓｃｏｒｐｉｏｎ検出要素は共通プライマー上にある。該突然変異に特異的なＡＲＭＳプライマーと野生型配列を、共通の蛍光標識プライマーと組み合わせて使用する。これら２つの反応を異なるＰＣＲ管において行うと、産生されるアンプリコンへプローブが結合するときに、蛍光が放出される。他のやり方では、Ｓｃｏｒｐｉｏｎ要素をＡＲＭＳプライマーに取り込ませてもよい。この場合、２つのＡＲＭＳプライマーを異なるフルオロフォアで標識化し、（このときは非標識の）共通プライマーとともに使用することが可能である。これら３つのプライマーは、生じる突然変異体及び野生型のアンプリコンが放出される異なる蛍光をもたらすので、同一の反応に含めてよい。そのようなアッセイは、通常、多重複合化アッセイと呼ばれる。
【０１７８】
英国特許出願公報番号ＧＢ２３３８３０１に記載されるように、Ｓｃｏｒｐｉｏｎ技術は、二本鎖核酸分子の塩基の間に取り込まれることが可能であり、そこできわめて蛍光性になる挿入色素をＳｃｏｒｐｉｏｎプライマーのテールが担う挿入の態様；プライマーに含まれる色素がエネルギー転移対を形成するＦＲＥＴの態様；フルオロフォアがＳｃｏｒｐｉｏｎプライマーのテールへ付く消光物質がない（Ｎｏ−Ｑｕｅｎｃｈｅｒ）態様；別々であるが相補的な２つの分子にフルオロフォアと消光物質（クエンチャー）を導入することが可能であるバイオモレキュラー（Ｂｉｏｍｏｌｅｃｕｌａｒ）の態様；アンプリコンが特異的に細くされ、同一の非増幅可能テールを使用してプローブされる場合がある捕捉プローブ（Capture Probe）の態様；及び、プライマーテールが自己の相補的なステムを含むステム（Stem）態様のような、いくつかの異なる方法において使用可能である。これらの態様は、英国特許出願公報番号ＧＢ２３３８３０１に詳しく記載されていて、その教示は本明細書に援用される。
【０１７９】
上記に言及されるように、Ｔａｑｍａｎ（登録商標）プローブ又はＴａｑｍａｎ（登録商標）ＭＧＢプローブは、突然変異の存在及び／又は非存在の検出の対立遺伝子特異的ハイブリダイゼーションプローブとして使用することが可能である。これらの状況下では、そのようなプローブが、該突然変異から上流及び下流にあるＤＮＡ配列にそれぞれ特異的である、共通の前向き及び逆向きプライマーと組み合わせて使用される。特定すると、第一の蛍光レポーター色素（例、ＶＩＣTM）で標識した第一のＴａｑｍａｎ（登録商標）（又は第一のＴａｑｍａｎ（登録商標）ＭＧＢ）プローブを、野生型配列へハイブリダイズするように設計する。第二の異なる蛍光レポーター色素（例、ＦＡＭ）で標識した第二のＴａｑｍａｎ（登録商標）（又はＴａｑｍａｎ（登録商標）ＭＧＢ）プローブを、該突然変異へハイブリダイズするように設計する。第一及び第二プローブの両方を消光物質分子で標識化する。それぞれのプローブを、前向き及び逆向きプライマー部位の間にある相補配列へ特異的にアニールすると、プローブがアニールされるときに、蛍光レポーター色素の蛍光が、消光物質分子の緊密な接近の結果として消光される。ＰＣＲの間、５’から３’へのエクソヌクレアーゼ活性を有するＴａｑ  ＤＮＡポリメラーゼは、その特異的な標的配列へハイブリダイズするプローブだけからレポーター色素を切り離す。このことがレポーター色素の消光物質分子からの物理的な分離をもたらし、それによりレポーター色素の蛍光の増加をもたらす。プローブは異なる蛍光レポーター色素で標識化されるので、それらは別々の反応において使用して野生型か突然変異体の配列のいずれかを適宜検出することが可能であるか、又は他のやり方では、それらは、同一の反応管において同時に使用することも可能である。同一の反応において使用される場合、そのようなアッセイは、多重複合化アッセイと呼ばれる場合がある。ＴａｑＭａｎ  ＭＧＢプローブは、アプライド・バイオシステムズ（８５０  リンカーン・センター・ドライブ、フォスターシティ、カリフォルニア州９４４０４、アメリカ）より入手可能な「アプライド・バイオシステムズ・ユーザー会報：プライマー発現バージョン１．５と対立遺伝子識別用のＴａｑＭａｎ  ＭＧＢプローブ（２０００年５月）」に記載されている。ＴａｑＭａｎ（登録商標）に基づいたアッセイは、試験サンプルにおける突然変異の存在又は非存在について比較的迅速な「イエス／ノー」の答えを提供するのに特に有用である。
【０１８０】
本明細書に記載される本発明の方法は、信頼可能にも、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における１つ以上の一塩基多型突然変異（単一又は複数）（ここで前記突然変異（単一又は複数）の存在は、ストロビルリン類似体又はその同一交差耐性群にある他の化合物への真菌の耐性を生じさせる）を、１，０００，０００の野生型対立遺伝子につき１つの突然変異対立遺伝子〜１０，０００の野生型対立遺伝子につき１つの突然変異対立遺伝子の範囲、そして好ましくは、１００，０００の野生型対立遺伝子につき１つの突然変異対立遺伝子〜１０，０００の野生型対立遺伝子につき１つの突然変異対立遺伝子の範囲にある検出レベルで検出する。本発明の方法はまた、より高い頻度で、例えば、１００の野生型対立遺伝子につき１つの突然変異対立遺伝子、１０の野生型対立遺伝子につき１つの突然変異対立遺伝子、又は突然変異対立遺伝子だけが存在する場合に起こる突然変異を検出することも可能である。同様に、本発明の方法は、突然変異対立遺伝子のバックグラウンドにおける野生型対立遺伝子の頻度を検出するために使用することも可能である。
【０１８１】
より鋭敏になった対立遺伝子特異的プライマー伸長を、ＡＲＭＳ技術と本発明において使用される定量検出法の使用と組み合わせると、これは、低頻度で起こる真菌の単一及び／又は単純ポリヌクレオチド多型突然変異の検出へのきわめて有用な技術となる。
【０１８２】
ある単離物中に存在する、ストロビルリン類似体又はその同一交差耐性群にある他の化合物への真菌の耐性を生じさせる原因となる対立遺伝子の検出は、表現型バイオアッセイの結果を標的遺伝子のＤＮＡプロフィールへ関連付けることを可能にする。単一の点突然変異の耐性機序としての発見はこの耐性の定性的な本質を説明し、単一胞子単離物の配列を確定することにより、試験サンプル中の耐性及び感受性単離物の頻度を決定するスクリーニングの精度が実証される。
【０１８３】
本明細書に例示される、対立遺伝子特異的プライマー伸長、ＡＲＭＳ及びリアルタイム蛍光検出の特異性をＳｃｏｒｐｉｏｎ系と組み合わせる方法の開発は、バイオアッセイプログラムにおいて実施可能であるよりも多くの数のサンプルを耐性突然変異の存在について分析することを可能にする。より多くのサンプル数は、バイオアッセイにより容易に検出されるよりも低い比率の頻度での耐性突然変異の同定を可能にする。このことにより、野外データから明らかになる可能性がある前に、耐性を集団において同定することが可能になる。本方法のハイスループット特性は、バイオアッセイを使用して可能となるよりも広い地域とより地理的に異なる地域で標本を採取して試験することを可能にする。リアルタイム蛍光検出に連結したＡＲＭＳのような対立遺伝子特異的プライマー伸長は、体制遺伝子の集団における存在の検出を、その遺伝子の効果がヘテロプラスミー及び／又は異核共存細胞におけるバイオアッセイにより表現型で評価可能になる以前に可能にし、それにより、サンプルが低頻度の耐性遺伝子型を担う場合にそれを感受性として分類するエラーを減らすことが可能になる。同時読み出しリアルタイム技術では、in planta で病気の発現を待つことに比較してずっと早く結果が得られるので、野外の状況へのより速やかな対応と、耐性管理に対する助言をより速やかに与えることが可能になる。
【０１８４】
本発明の１つ以上の診断プライマーは、簡便にも、本発明の方法における使用についての手引きと一緒に適切なパッケージで包装して、キットとして販売することが可能である。キットには、簡便にも、以下の１つ以上が含まれる：診断、野生型、対照、及び共通のオリゴヌクレオチドプライマー；適正なヌクレオチド三リン酸、例えばｄＡＴＰ、ｄＣＴＰ、ｄＧＴＰ、ｄＴＴＰ；すでに記載した好適なポリメラーゼ、及び緩衝溶液。
【０１８５】
本発明の１つ以上の対立遺伝子選択ハイブリダイゼーションプローブもまた、簡便にも、本発明の方法に使用の手引きと一緒に適切なパッケージで包装して、キットとして販売することが可能である。キットには、簡便にも、以下の１つ以上が含まれる：野生型とストロビルリン類似体又はその同一交差耐性群にある他の化合物へ耐性な単離物の両方に由来する、コドン１２９を含む標的病原体シトクロムｂ遺伝子の領域を含んでなるＤＮＡのセグメントの選択増幅を可能にするオリゴヌクレオチドプライマー、診断用野生型（Ｆ129）及び耐性（Ａ129）選択ハイブリダイゼーションプローブ、適正なヌクレオチド三リン酸、例えばｄＡＴＰ、ｄＣＴＰ、ｄＧＴＰ、ｄＴＴＰ；すでに記載したような好適なポリメラーゼ、及び緩衝溶液。
【０１８６】
さらなる側面において、本発明は、殺真菌剤への植物病原性真菌の耐性を検出する方法を提供し、前記方法は、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における１つ以上の突然変異を検出することを含んでなり、ここで前記突然変異（単一又は複数）の存在は、ストロビルリン類似体又はその同一交差耐性群にある他の化合物への真菌の耐性を生じさせ、前記方法は、任意の（又は１つの）一塩基多型検出技術を使用して前記突然変異（単一又は複数）の真菌核酸における存在又は非存在を同定することを含んでなる。
【０１８７】
この側面のさらなる態様において、本発明は、殺真菌剤への植物病原性真菌の耐性を検出する方法を提供し、前記方法は、対立遺伝子特異的ハイブリダイゼーションプローブのハイブリダイゼーションを検出することを含んでなり、ここで前記プローブのハイブリダイゼーションの検出は、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における突然変異（単一又は複数）の存在又は非存在に直接関連し、ここで前記突然変異（単一又は複数）の存在は、その標的タンパク質がミトコンドリア遺伝子によりコードされる殺真菌剤への真菌の耐性を生じさせる。
【０１８８】
この側面のさらなる態様において、本発明は、殺真菌剤への植物病原性真菌の耐性を検出する方法を提供し、前記方法は、ＰＣＲ反応の間に産生されるアンプリコンの存在を検出することを含んでなり、ここで前記ＰＣＲ反応は、真菌核酸を含んでなる試験サンプルを、適正なヌクレオチド三リン酸と重合化の薬剤の存在下で診断プライマーと接触させることを含み、ここで前記アンプリコンの検出は、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における突然変異（単一又は複数）の存在又は非存在に直接関連し、ここで前記突然変異（単一又は複数）の存在は、その標的タンパク質がミトコンドリア遺伝子によりコードされる殺真菌剤への真菌の耐性を生じさせる。
【０１８９】
この側面の好ましい態様において、本発明は、その標的タンパク質がシトクロムｂ遺伝子によりコードされる殺真菌剤への植物病原性真菌の耐性を検出する方法を提供し、前記方法は、真菌核酸を含んでなる試験サンプルを、適正なヌクレオチド三リン酸と重合化の薬剤の存在下で、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における１つ以上の特定の突然変異（単一又は複数）についての診断プライマーと、前記突然変異（単一又は複数）がサンプル中に存在するときに診断プライマーが伸長されるように、接触させること（ここで前記突然変異（単一又は複数）の存在は前記殺真菌剤への真菌の耐性を生じさせる）；及び、診断プライマー伸長産物の存在又は非存在を参照にして前記突然変異の存在又は非存在を検出することを含んでなる。
【０１９０】
この側面のさらに好ましい態様において、本発明は、その標的タンパク質がミトコンドリア遺伝子によりコードされる殺真菌剤への植物病原性真菌の耐性を検出する方法を提供し、前記方法は、真菌核酸を含んでなる試験サンプルを、適正なヌクレオチド三リン酸と重合化の薬剤の存在下で、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における１つ以上の特定の突然変異（単一又は複数）についての診断プライマーと、前記突然変異がサンプル中に存在するときにのみ診断プライマーが伸長されるように、接触させること（ここで前記突然変異（単一又は複数）の存在は前記殺真菌剤への真菌の耐性を生じさせる）；及び、診断プライマー伸長産物の存在又は非存在を参照にして前記突然変異の存在又は非存在を検出することを含んでなる。
【０１９１】
上記の側面及び態様に記載される本発明の方法が植物病原性真菌株を用いた使用に特に適しているのは、シトクロムｂ遺伝子における１つ以上の突然変異（単一又は複数）の存在が殺真菌剤耐性、最も特別には、ストロビルリン類似体又はその同一交差耐性群にある他の化合物への耐性を生じさせる場合、真菌ＤＮＡにおける突然変異が S. cerevisiae シトクロムｂ残基１２９に対応する位置でのフェニルアラニン残基の置換、より特別にはコード化タンパク質におけるＦ１２９Ｌ置換を生じさせる場合、そして特に、該突然変異が S. cerevisiae シトクロムｂ残基１２９に対応する位置にあるコドン中の第一位でのＴからＣ塩基への置換であるか、又は該突然変異が S. cerevisiae シトクロムｂ残基１２９に対応する位置にあるコドン中の第三位でのＴ若しくはＣからＡ若しくはＧ塩基への置換である場合である。
【０１９２】
さらなる側面において、本発明は、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における１つ以上の突然変異を検出してその頻度を定量する方法を提供し、ここで前記突然変異（単一又は複数）の存在はストロビルリン類似体への真菌の耐性を生じさせ、前記方法は、真菌遺伝子における突然変異（単一又は複数）の存在又は非存在を検出することを含んでなり、ここで前記突然変異（単一又は複数）の存在は前記殺真菌剤への真菌の耐性を生じさせ、前記方法は、任意の（又は１つの）一塩基多型検出技術を使用して前記突然変異（単一又は複数）の真菌核酸における存在又は非存在を同定して定量することを含んでなる。
【０１９３】
この側面のさらに好ましい態様において、本発明は、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における１つ以上の突然変異を検出してその頻度を定量する方法を提供し、ここで前記突然変異（単一又は複数）の存在は、その標的タンパク質がミトコンドリア遺伝子によりコードされる殺真菌剤への真菌の耐性を生じさせ、前記方法は、真菌遺伝子における突然変異（単一又は複数）の存在又は非存在を検出することを含んでなり、ここで前記突然変異（単一又は複数）の存在はストロビルリン類似体又はその同一交差耐性群にある他の化合物への真菌の耐性を生じさせ、前記方法は、任意の（又は１つの）一塩基多型検出技術を使用して前記突然変異（単一又は複数）の真菌核酸における存在又は非存在を同定して定量することを含んでなる。
【０１９４】
この側面のさらなる態様において、本発明は、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における１つ以上の突然変異を検出してその頻度を定量する方法を提供し、ここで前記突然変異（単一又は複数）の存在は、その標的タンパク質がミトコンドリア遺伝子によりコードされる殺真菌剤への植物病原性真菌の耐性を生じさせ、前記方法は、真菌核酸を含んでなる試験サンプルを、適正な診断用野生型（Ｆ129）及び耐性（Ａ129）選択ハイブリダイゼーションプローブと接触させることによって対立遺伝子選択プローブのハイブリダイゼーションを検出すること（ここで、前記対立遺伝子特異的ハイブリダイゼーションプローブのハイブリダイゼーションの検出は前記核酸における前記突然変異の存在及び非存在の両方へ直接関連づけられ、ここで前記突然変異（単一又は複数）の存在はその標的タンパク質がミトコンドリア遺伝子によりコードされる殺真菌剤への耐性を生じさせる）、及び前記突然変異（単一又は複数）の相対的な存在及び非存在を、ＰＣＲ反応の間に産生されるアンプリコンの存在又は非存在を参照に検出して定量することを含んでなる。
【０１９５】
この側面のさらなる態様において、本発明は、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における１つ以上の突然変異を検出してその頻度を定量する方法を提供し、ここで前記突然変異（単一又は複数）の存在は、その標的タンパク質がミトコンドリア遺伝子によりコードされる殺真菌剤への植物病原性真菌の耐性を生じさせ、前記方法は、ＰＣＲ反応の間に産生されるアンプリコンの存在を検出すること（ここで前記ＰＣＲ反応は、真菌核酸を含んでなる試験サンプルを、適正なヌクレオチド三リン酸と重合化の薬剤の存在下で適正なプライマーと接触させることを含み、ここで前記アンプリコンの検出は、前記核酸における突然変異の存在及び非存在の両方に直接関連づけられ、ここで前記突然変異（単一又は複数）の存在はその標的タンパク質がミトコンドリア遺伝子によりコードされる殺真菌剤への耐性を生じさせる）、及び前記突然変異（単一又は複数）の相対的な存在及び非存在を、ＰＣＲ反応の間に産生されるアンプリコンの存在又は非存在を参照に検出して定量することを含んでなる。
【０１９６】
この側面のさらに好ましい態様において、本発明は、S. cerevisiae シトクロムｂの該コード化タンパク質中残基１２９に対応する位置でフェニルアラニンからロイシンへの置換（Ｆ１２９Ｌ）をもたらす、真菌シトクロムｂ遺伝子における１つ以上の突然変異を検出してその頻度を定量する方法を提供し、ここで前記突然変異（単一又は複数）の存在は、その標的タンパク質がミトコンドリア遺伝子によりコードされる殺真菌剤への植物病原性真菌の耐性を生じさせ、前記方法は、真菌核酸を含んでなる試験サンプルを、適正なヌクレオチド三リン酸と重合化の薬剤の存在下で、その存在が前記殺真菌剤への耐性を生じさせる前記核酸における特定の突然変異の存在及び非存在の両方を検出する診断プライマーと、適正な真菌の鋳型が該サンプル中に存在するときにのみ特異的突然変異（単一又は複数）の非存在及び存在に関連する診断プライマーが伸長されるように、接触させること；及び、前記突然変異（単一又は複数）の相対的な存在及び非存在を、診断プライマー伸長産物の存在又は非存在を参照に検出して定量することを含んでなる。
【０１９７】
上記の側面及び態様に記載される本発明の方法が植物病原性真菌株を用いた使用に特に適しているのは、シトクロムｂ遺伝子における１つの突然変異の存在が殺真菌剤耐性、最も特別には、ストロビルリン類似体又はその同一交差耐性群にある他の化合物への耐性を生じさせる場合、そして最も特別には、真菌ＤＮＡにおける該突然変異が、S. cerevisiae シトクロムｂ残基１２９に対応する位置にあるコドン中の第一位でのＴからＣ塩基への変化の突然変異、及び／又は S. cerevisiae シトクロムｂ残基１２９に対応する位置にあるコドン中の第三位でのＴ若しくはＣからＡ若しくはＧ塩基への変化の突然変異により、好ましくは、S. cerevisiae シトクロムｂ残基１２９に対応する位置にあるコドン中の第一位でのＴからＣ塩基への変化の突然変異によるか、又は好ましくは S. cerevisiae シトクロムｂ残基１２９に対応する位置にあるコドン中の第三位でのＴ若しくはＣからＡ若しくはＧ塩基への変化の突然変異により、最も好ましくは S. cerevisiae シトクロムｂ残基１２９に対応する位置にあるコドン中の第三位でのＣからＡ塩基への変化により、S. cerevisiae シトクロムｂ残基１２９に対応する位置でフェニルアラニン残基の置換を生じさせる場合である。
【０１９８】
なおさらなる態様において、本発明は、活性のある殺真菌剤と作物への適用についてのその最適な適用レベルを選択する方法を提供し、前記方法は、前記作物へ感染することが可能な真菌のサンプルを分析すること、及び、S. cerevisiae シトクロムｂの該コード化タンパク質中残基１２９に対応する位置でフェニルアラニンからロイシンへの置換（Ｆ１２９Ｌ）をもたらす、前記真菌由来のシトクロムｂ遺伝子における１つ以上の突然変異（単一又は複数）の存在及び／又は非存在を検出すること、及び／又は定量すること（ここで、前記突然変異（単一又は複数）の存在は、その標的タンパク質がミトコンドリア遺伝子によりコードされる殺真菌剤への耐性を生じさせる）、そして、活性のある殺真菌剤とその最適な適用レベルを選択することを含んでなる。このことは、例えば、本発明の方法を使用して、注目の植物病原性真菌におけるＦ１２９Ｌ突然変異の発生の頻度についてはじめに試験することによって達成可能である。Ｆ１２９Ｌ突然変異の天然に存在する発生頻度の初期評価がなされたならば、様々な真菌制御戦略を試験することが可能である。例えば、殺真菌剤（好ましくは、ストロビルリン殺真菌剤）を、様々な割合、及び／又は数、及び／又は適用頻度の範囲で（好ましくは一定の病気選択圧を維持するように留意しながら）さらなる真菌の試験サンプルへ適用することが可能であり、それぞれの戦略について、Ｆ１２９Ｌ突然変異の発現の頻度を、本発明の方法を使用して評価することが可能である。次いで、利用した真菌制御戦略とＦ１２９Ｌ突然変異により仲介される耐性の発現の頻度との相関性を導くことが可能である。当業者は、この相関性から、真菌制御と利用される殺真菌剤への低レベルの耐性を維持するのにどれが最良の真菌制御戦略であるかを容易に評価することが可能であろう。
【０１９９】
本発明のこの側面の特に好ましい態様において、本検出法は、任意の（又は１つの）一塩基多型検出技術を含み、より好ましくは、真菌核酸を含んでなる試験サンプルを、適正なヌクレオチド三リン酸と重合化の薬剤の存在下で、特定の突然変異（単一又は複数）についての診断プライマーと、前記突然変異（単一又は複数）がサンプル中に存在するときに診断プライマーが伸長されるように、接触させること；及び、診断プライマー伸長産物の存在又は非存在を参照にして前記突然変異（単一又は複数）の存在又は非存在を検出することを含み、そして定量は、真菌核酸を含んでなる試験サンプルを、適正なヌクレオチド三リン酸と重合化の薬剤の存在下で、標的タンパク質がミトコンドリア遺伝子によりコードされる殺真菌剤への耐性をその存在が生じさせる前記核酸における特定の突然変異（単一又は複数）の存在及び非存在の両方を検出する診断プライマーと、適正な真菌鋳型がサンプル中に存在するときに特定の突然変異（単一又は複数）の非存在及び存在に関連する診断プライマーが伸長されるように、接触させること；及び、診断プライマー伸長産物の存在又は非存在を参照にして前記突然変異（単一又は複数）の相対的な存在及び非存在を検出して定量することによって達成される。
【０２００】
本発明のこの側面のさらに特に好ましい態様において、本検出法は、真菌核酸を含んでなる試験サンプルを、適正なヌクレオチド三リン酸と重合化の薬剤の存在下で、特定の突然変異（単一又は複数）についての診断プライマーと、前記突然変異（単一又は複数）がサンプル中に存在するときにのみ診断プライマーが伸長されるように、接触させること；及び、診断プライマー伸長産物の存在又は非存在を参照にして前記突然変異（単一又は複数）の存在又は非存在を検出することを含み、そして定量は、真菌核酸を含んでなる試験サンプルを、適正なヌクレオチド三リン酸と重合化の薬剤の存在下で、標的タンパク質がミトコンドリア遺伝子によりコードされる殺真菌剤への耐性をその存在が生じさせる前記核酸における特定の突然変異（単一又は複数）の存在及び非存在の両方を検出する診断プライマーと、適正な真菌鋳型がサンプル中に存在するときにのみ特定の突然変異（単一又は複数）の非存在及び存在に関連する診断プライマーが伸長されるように、接触させること；及び、診断プライマー伸長産物の存在又は非存在を参照にして前記突然変異（単一又は複数）の相対的な存在及び非存在を検出して定量することによって達成される。
【０２０１】
本発明のこの側面の特に好ましい態様において、本検出法は、任意の（又は１つの）一塩基多型検出技術を含み、より好ましくは、真菌核酸を含んでなる試験サンプルを、特定の突然変異（単一又は複数）についての対立遺伝子特異的ハイブリダイゼーションプローブと、前記突然変異（単一又は複数）がサンプル中に存在するときにハイブリダイゼーションプローブがハイブリダイズするように、接触させること；及び、試験サンプル中の野生型（Ｆ129）植物病原体シトクロムｂ遺伝子の検出とその量の定量により、前記突然変異（単一又は複数）の存在又は非存在を検出することを含み、定量は、真菌核酸を含んでなる試験サンプルを、適正なヌクレオチド三リン酸と重合化の薬剤の存在下で、標的タンパク質がミトコンドリア遺伝子によりコードされる殺真菌剤への耐性をその存在が生じさせる前記核酸における特定の突然変異（単一又は複数）の存在及び非存在の両方を検出する対立遺伝子特異的ハイブリダイゼーションプローブと、適正な真菌鋳型がサンプル中に存在するときに特定の突然変異（単一又は複数）の非存在及び存在に関連するハイブリダイゼーションプローブがハイブリダイズするように、接触させること；及び、ハイブリダイゼーション産物の存在又は非存在を参照にして前記突然変異（単一又は複数）の相対的な存在及び非存在を検出して定量することによって達成される。
【０２０２】
本明細書に記載される本発明の方法が植物病原性真菌株を用いた使用に特に適しているのは、シトクロムｂ遺伝子における１つの突然変異の存在が殺真菌剤耐性、最も特別には、ストロビルリン類似体又はその同一交差耐性群にある他の化合物への耐性を生じさせる場合、そして、真菌ＤＮＡにおける該突然変異が、S. cerevisiae シトクロムｂ残基１２９に対応する位置でフェニルアラニン残基の置換、より特定すると、該コード化タンパク質においてＦ１２９Ｌ置換を生じさせる場合、そして特に、該突然変異が、S. cerevisiae シトクロムｂ残基１２９に対応する位置にあるコドン中の第一位でのＴからＣ塩基への変化であるか、又は該突然変異が、S. cerevisiae シトクロムｂ残基１２９に対応する位置にあるコドン中の第三位でのＴ若しくはＣからＡ若しくはＧ塩基への変化、好ましくはＣからＡ塩基への変化である場合である。
【０２０３】
なおさらなる側面において、本発明は、殺真菌剤を作物へ適用することを含んでなる、作物の真菌感染を制御する方法を提供し、ここで前記殺真菌剤は、上記に記載される本発明の選択法のいずれかに従って選択される。
【０２０４】
上記に記載される本発明の方法が植物病原性真菌株への使用に特に適しているのは、真菌シトクロムｂ遺伝子における１つ以上の突然変異（単一又は複数）の存在がコード化タンパク質においてＦ１２９Ｌ置換を生じる場合であり、ここで前記突然変異（単一又は複数）の存在は、殺真菌剤耐性、及び最も好ましくは、ストロビルリン類似体又はその同一交差耐性群にある化合物への耐性を生じさせる。
【０２０５】
なおさらなる側面において、本発明は、殺真菌活性化合物の検出についてのアッセイを提供し、前記方法は、その標的タンパク質がミトコンドリア遺伝子によりコードされる殺真菌剤への耐性を生じさせるコード化タンパク質においてＦ１２９Ｌ置換をもたらす、真菌シトクロムｂ遺伝子における１つ以上の突然変異（単一又は複数）の存在又は非存在について本明細書に記載される本発明の方法に従ってすでに試験した真菌の株に抗する化合物をスクリーニングすること、そして次いで、前記真菌の株に抗する殺真菌活性を決定することを含んでなる。
【０２０６】
上記に記載される本発明の方法が植物病原性真菌株を用いた使用に特に適しているのは、真菌シトクロムｂ遺伝子における１つ以上の突然変異（単一又は複数）の存在が殺真菌剤耐性、最も特別には、ストロビルリン類似体又はその同一交差耐性群にある化合物への耐性を生じさせる場合、真菌ＤＮＡにおける突然変異が S. cerevisiae シトクロムｂ残基１２９に対応する位置でのフェニルアラニン残基の置換、より特別には該コード化タンパク質におけるＦ１２９Ｌ置換を生じさせる場合、そして特別には、該突然変異が S. cerevisiae シトクロムｂ残基１４３に対応する位置にあるコドン中の第一位でのＴからＣ塩基への変化であるか、又は該突然変異が S. cerevisiae シトクロムｂ残基１２９に対応する位置にあるコドン中の第三位でのＴ若しくはＣからＡ若しくはＧ塩基への変化、好ましくはＣからＡ塩基への変化である場合である。
【０２０７】
本明細書に記載される本発明の方法を適用することによって、殺真菌剤の適用の適正な比率、及び／又は作物へ適用すべき殺真菌剤の適正な組み合わせを決定することが可能である。
【０２０８】
本明細書に記載される本発明の方法は、ナタネ、ヒマワリ、タバコ、サトウダイコン、ワタ、ダイズ、トウモロコシ、小麦、大麦、イネ、サトウモロコシ、トマト、マンゴー、モモ、リンゴ、ナシ、イチゴ、バナナ、メロン、ジャガイモ、ニンジン、レタス、キャベツ、タマネギ、つる植物、及び芝生のような、穀物、果物、及び野菜のような作物において、ストロビルリン類似体又はその同一交差耐性群にある化合物への真菌の耐性をモニターすることに特に適している。
【０２０９】
本明細書に記載される本発明の方法は、コード化タンパク質においてＦ１２９Ｌ置換をもたらす、真菌シトクロムｂ遺伝子における、低頻度の１つ以上の突然変異（単一又は複数）を検出することに特に鋭敏であり（ここで前記突然変異（単一又は複数）の存在はストロビルリン類似体への真菌の耐性を生じさせる）、又は、これは、上記に同定した突然変異による真菌の耐性の発現について植物病原性真菌をスクリーニングする特に有用で商業的に重要な方法となる。
【０２１０】
ＡＲＭＳ、他の対立遺伝子選択増幅に基づいた定量的ＰＣＲ検出系、及び、ＴａｑｍａｎやＭｏｌｅｃｕｌａｒ  Ｂｅａｃｏｎｓのような技術の主要な違いは、後者の方法が、その時点で存在する標的ＰＣＲ産物の量に比例的に相関する蛍光シグナルを提供する対立遺伝子識別ハイブリダイゼーションプローブの能力に依存することである。このことは、単一の非選択的な慣用プライマー対を使用して、標的遺伝子の野生型／親対立遺伝子と変異体／突然変異体対立遺伝子の両方を増幅することが可能であることを意味する。各対立遺伝子から導かれるＰＣＲ産物の量と、各ＰＣＲサイクルにおいて、出発サンプルに存在する量に直接関連する量を、対立遺伝子識別ハイブリダイゼーションプローブから導かれる蛍光シグナルから読み取る。このシグナルは、Ｔａｑｍａｎアッセイの場合は、ハイブリダイズした対立遺伝子選択プローブからのフルオロフォアのＤＮＡポリメラーゼ関連５’エクソヌクレアーゼ仲介性放出により、そして、Ｍｏｌｅｃｕｌａｒ  Ｂｅａｃｏｎｓの場合は、５’及び３’共役したフルオロフォア及び消光物質分子種の、ビーコンの標的対立遺伝子へのハイブリダイゼーション時の分離により、「放出」される。
【０２１１】
ＡＲＭＳのような対立遺伝子選択増幅技術の場合、プライマーの特異性に基づいたディファレンシャルＰＣＲ反応により、反応の任意時間に存在する特定のＰＣＲ産物の量が決定され、次いで、これが出発サンプル中に存在する対立遺伝子の量へ直接関連づけられる。ＰＣＲ産物の存在量の定量測定は、ＳＹＢＲ（登録商標）Ｇｒｅｅｎ  Ｉ（モレキュラープローブズ社、４８４９  ピッチフォード通り、ユージーン、オレゴン州、アメリカ）のような挿入性の二本鎖ＤＮＡ特異的色素といった非特異的な技術か、又はＳｃｏｒｐｉｏｎのような標的遺伝子特異的であるが、対立遺伝子非選択的なプローブのいずれかにより達成される。
【０２１２】
当業者が理解されるように、上記の差異とその関連した特徴は、明瞭な利点と潜在的な欠点を提供し、それには以下が含まれる：
・慣用の標的遺伝子選択ＰＣＲプライマーが利用可能であれば、ＳＮＰ識別Ｔａｑｍａｎ又はＭｏｌｅｃｕｌａｒ  Ｂｅａｃｏｎｓプローブの一対だけを設計して実証することが必要なこと。
【０２１３】
・それぞれの対立遺伝子識別ＡＲＭＳ／Ｓｃｏｒｐｉｏｎに基づいたアッセイでは、対立遺伝子選択プライマー対（ＡＲＭＳ）と標的遺伝子特異的ハイブリダイゼーションプローブ（Ｓｃｏｒｐｉｏｎｓ）の両方を設計して実証することが求められること。
【０２１４】
・Ｓｃｏｒｐｉｏｎプローブを使用する場合は、標的遺伝子産物へのそのハイブリダイゼーションの分子内特性のために、高いシグナル強度及び反応速度があること（Whitcombe D., Theaker J., Guy S. P., Brown T. & Little S. (1999) Nature Biotechnology 17 (1999), 804-807 Thelwell N., Millington S., Solinas A., Booth J., & Brown T. (2000) Nucleic Acids Research 28 (2000) 3752-3761）。
【０２１５】
・非特異的な増幅の場合は、野外サンプル中の混在ＤＮＡ、及び／又はプライマー二量体形成の結果としておそらくは生じる、非配列選択二本鎖ＤＮＡ検出技術に伴って、複雑なことが起こり得ること。
【０２１６】
しかしながら、多くの条件下では、上記方法のそれぞれが、例えば、本出願に記載されるシトクロムｂ遺伝子のＦ129及び／又はＬ129対立遺伝子を検出して、その相対量を測定することに十分適している。このことは、特殊な植物病原体（例えばストロビルリン／Ｑ0Ｉ殺真菌剤の失敗が疑われる場合の個々の病気サンプル）の比較的均質な単離物の遺伝子型が評価されるときに特に正しい。
【０２１７】
しかしながら、専門家は、対立遺伝子選択増幅に基づいた技術、そして特に、ＡＲＭＳ／Ｓｃｏｒｐｉｏｎに基づいた技術により提供されるきわめて鋭敏で選択的な能力が真の利点を有する、重要な状況が存在することを理解されよう。この応用へ直接関連する特別の場合は、本明細書に記載されるＦ129及びＬ129のような代替可能なＳＮＰの混合物を含んでなる集団から導かれる核酸調製物の分析にある。より特定すると、これは、代替可能なＳＮＰの相対頻度が広範囲に変化する場合である。
【０２１８】
植物病原体の野外サンプルが通常そのような集団を含むこと、そして、実際に、特別の地理的領域、プランテーション、ぶどう園、農場、畑、果樹園、又は耕地に由来する代表的な集団を分析することが、しばしば、シトクロムｂ遺伝子中のＦ129及びＬ129対立遺伝子をコードするもののような、標的害虫におけるＳＮＰの存在により影響を受ける農薬のパフォーマンスの最も重要な指標となることが理解されよう。
【０２１９】
また、当業者には、シトクロムｂ遺伝子のようなミトコンドリアでコードされる遺伝子が、集団を分析する技術の適切性が特に重要になる状況を構成することも理解されよう。植物病原体のような生物は、その植物成長期においてはほとんど不変に一倍体又は二倍体であり、注目の遺伝子の代替可能な核コード化対立遺伝子の０、１、１＋１、又は０＋２コピーを保有するが、この状況は、ミトコンドリアでコードされる遺伝子ではずっと複雑になる可能性がある。それぞれの植物病原体は、核１つにつき数十、時には数百のミトコンドリアを有する可能性があり、それぞれのミトコンドリアも、それ自身で多数のミトコンドリアゲノムを保有するからである。それ故、本来的に、ミトコンドリアの遺伝子は、名目的には個別の、微生物学的に精製された単離物であるサンプルから採取したときでさえ、その同じサンプル由来の核遺伝子と比較して、ずっと大きくて、より複雑で多様である集団のメンバーなのである。
【０２２０】
集団、特に、重要な対立遺伝子が比較的低いレベルで存在している集団を分析するのに、対立遺伝子選択増幅に基づいた定量的ＰＣＲ技術がより適切であることは、それが指数的増幅に基づいた技術であるという、ＰＣＲ法の本来的な特質に由来する（例えば、Saiki et al. Science 230 (1985) 1350, 「ＰＣＲ」（Newton と Graham）３−５頁（１９９４）ＢＩＯＳ  サイエンティフィック・パブリッシャーズ  ＩＳＢＮ  １  ８７２７４８  ８２  １、及び「分子生物学百科事典」（Kendrew と Lawrence 編）８６４−８６６頁（１９９４）ブラックウェル・サイエンス社、ＩＳＢＮ  ０  ６３２  ０２１８２  ９を参照のこと）。
【０２２１】
このことは、第一に、共通プライマー対を用いた増幅が可能な、ある遺伝子の２つの対立遺伝子形態が有意に異なる濃度（例、１００倍、１，０００倍、又は１０，０００倍）でサンプル中に存在するならば、その相対的な豊富さがＰＣＲ全体を通して維持されることを意味する。故に、Ｔａｑｍａｎ若しくはＭｏｌｅｃｕｌａｒ  Ｂｅａｃｏｎｓのような対立遺伝子特異的プローブのアニーリングにより達成されるハイブリダイゼーションシグナルの相対強度は、いつでもこの差異を反映するものである。１００倍、１，０００倍、又は１０，０００倍低い強度の蛍光シグナルは、バックグラウンドレベル以上に検出することがきわめて困難である。しかしながら、第二に、ＰＣＲ反応は、通常、ＰＣＲ産物を合成するのに必要とされるヌクレオチドの完全な利用により制限される。故に、ごく豊富な分子種の指数的増幅は、より低い豊富さの分子種の有意な増幅が始まらないうちに、ヌクレオチドの供給をひどく枯渇させるか、又は消費し尽くす可能性もある。さらに、ハイブリダイゼーションは動的なプロセスであり、Ｔａｑｍａｎ及びＭｏｌｅｃｕｌａｒ  Ｂｅａｃｏｎｓのような二分子反応においては、反応分子種の濃度の関数である速度を有する。故に、より豊富なＰＣＲ産物の濃度が高ければ、それだけ高い速度で、そのコグネイトプローブへのアニーリングが進行することになる。そのような要因の結果として、我々は、Ｍｏｌｅｃｕｌａｒ  Ｂｅａｃｏｎｓ及びＴａｑｍａｎの有効範囲が混在集団における約１０〜５０倍、より特定すると１０倍未満の差異しかカバーしないことを見出した。
【０２２２】
対照的に、対立遺伝子選択増幅技術は、変化する対立遺伝子／ＳＮＰの濃度から生じるそのような競合効果により影響されない。一定の対立遺伝子／ＳＮＰのサンプル中の存在を反映するシグナルが明瞭になるＰＣＲサイクルは、その対立遺伝子の出発濃度の単純な関数である。競合する増幅サンプルが存在しないので、基質への競合がなく、蛍光シグナルはいつでも最大値に接近することが可能である。
【０２２３】
結果として、異なる対立遺伝子／ＳＮＰの混合物を含んでなるＤＮＡ集団を適正な対立遺伝子選択増幅試薬を用いた並列反応において分析すると、対立遺伝子／ＳＮＰの開始サンプル中の相対濃度の正確な評価を、非常に広い範囲にわたって入手することが可能になる。典型的には、我々は、ＡＲＭＳ／Ｓｃｏｒｐｉｏｎに基づいたアッセイにより、０．０１〜９９．９９％（１０4）の範囲が容易に達成され、しばしば０．００１〜９９．９９９％（１０5）の範囲が達成可能であり、時には０．０００１〜９９．９９９９％（１０6）の範囲が達成可能であることを見出している。
【０２２４】
本発明を以下の実施例と図を参照にしてさらに例示する。
発明の詳細な説明
実施例
以下の実施例３、４、５、６、７、８、９、１２、１３、１４、１５、１６、及び１７においては、ＳｃｏｒｐｉｏｎTM系（アストラゼネカ・ジアグノスティクス）を産物検出系として使用した。この検出系は、その教示が本明細書に援用される、１９９８年１１月２５日にゼネカ社の名称で出願されたＰＣＴ出願番号ＰＣＴ／ＧＢ９８／０３５２１に詳しく記載されている。この新規検出系は、テール付きプライマーと統合シグナル伝達系を使用する。このプライマーは、鋳型結合領域と、リンカー及び標的結合領域を含んでなるテールを有する。使用時には、テール中の標的結合領域がプライマーの伸長産物中の相補配列へハイブリダイズする。この標的特異的ハイブリダイゼーション現象がシグナル伝達系へ共役し、ここでハイブリダイゼーションが検出可能な変化をもたらす。この系の検出法は、他の系に優るいくつかの重要な利点を提供する。必要とされるのは、単一のプライマー／検出分子種だけである。このことにより、プライマー伸長産物とのハイブリダイゼーションに標的結合領域が容易に利用可能であることに基づき、増加した単純性と亢進した特異性の両方が提供される。新たに合成されるプライマー伸長産物が標的分子種であるので、得られる出力シグナルは伸長されるプライマーの量に直接関連する。これは、追加のハイブリダイゼーション現象や酵素反応工程には依存しない。プローブ部位への鎖内及び鎖間競合が制限されているので、プローブの設計が単純化される。相互反応が単分子的であるので、シグナル伝達反応は非常に迅速で、サイクル処理速度の増加を可能にするが、これは実験の効率性にとって重要な特徴である。
【０２２５】
以下に記載の実施例において設計したＳｃｏｒｐｉｏｎプライマーは以下の改良点を共有する：
・ヘックスエチレン（hexethylene）グリコール（ＨＥＧ）モノマーを、遮断部分として、プライマーの鋳型結合領域とテール領域の間に位置づけること。この部分は、プライマー鋳型のテール領域のポリメラーゼ仲介性鎖複製を妨げる。
【０２２６】
・プライマーの５’末端へＦＡＭ蛍光分子を付加すること。ＦＡＭは蛍光分子の１つであり、例えば、ＡＢＩ  ＰＲＩＳＭ  ７７００機器（ＰＥバイオシステムズ）の４８８ｎｍレーザーにより容易に検出可能である。
【０２２７】
・非蛍光産生消光物質であるＭＲ（メチルレッド）をウラシル残基へ付けること。
Ｓｃｏｒｐｉｏｎプライマー設計においては他の蛍光分子や消光機序も適用可能であり、本発明における使用に適するだろう。
【０２２８】
実施例１８において、ＴａｑＭａｎアッセイ系に依拠したアッセイを例示する。
【実施例１】
【０２２９】
Ｑ0部位阻害性殺真菌剤への高レベル耐性を示す P. aphanidermatum 単離物の同定
１９９９年にアイオワ州立大学の G. Peng, M. L. Gleason 及び F. W. Nutter により２２種の P. aphanidermatum 単離物の系列がアゾキシストロビンへの感受性のプロファイリングを可能にするためにＺｅｎｅｃａ  Ａｇｒｉｃｕｌｔｕｒａｌ  Ｐｒｏｄｕｃｔｓ（現在、Ｓｙｎｇｅｎｔａ  Ｃｒｏｐ  Ｐｒｏｔｅｃｔｉｏｎ）へ提供されたが、この単離物の殺真菌剤メフェノキサムへの感受性とこの単離物の寒天プレートでの増殖速度は、すでにアイオワ州立大学の Guangbin Peng により決定されている（Peng, G. et al. Phytopathology 89 (1999) S59.）。これら単離物に関するバックグラウンド情報とそのアゾキシストロビン耐性の特質に関する要約を図１に示す。
【０２３０】
上記単離物のアゾキシストロビン（ストロビルリン）耐性の評価を可能にするために、ペレニアルライグラス（Lolium perenne L.）を、砂質土壌を含有する４ｘ４インチ平方のプラスチック鉢において生育させた。Ａｇｓｏｒｂ吸収土（極上の赤土）を使用して種子を固定し、種子の周りに高レベルの湿気を与え、発芽を促進した。霧吹きを使用して鉢に水をまき、紙で覆って蒸発を抑えた。霧吹きを１日３〜５回使用して、芝生の鉢に水をまいた。苗が現れたときに紙の覆いを鉢から外して黄化を防ぎ、水撒きは送風ノズルを使用して１日２回へ抑えた。この鉢を、処理に先立って、温室（１７〜３２℃；１４時間の明期）に１２〜１６日間維持した。この間に、電動式ブラック・アンド・デッカー手持ちバリカンでこの芝生を２回切除した。
【０２３１】
図１に要約する単離物の Pythium aphanidermatum 培養物を、硫酸ストレプトマイシン０．０５ｇ／Ｌで改良したジャガイモデキストロース寒天（ＰＤＡ）上に維持した。有機栽培したライ麦粒（５０ｇ）を４０ｍｌの脱イオン水で一晩水和させ、２５０ｍｌのプラスチック（塩化ポリビニル）フラスコ中に置いた。このフラスコを連続した日に２回、各回４５分間、オートクレーブで処理した。この果粒が冷えた後で、各フラスコへ P. aphanidermatum の１ｘ１ｃｍ寒天片（plugs）を１０個加えた。感染させたライ麦粒を含有するフラスコを生育室（２６℃；１４時間の明期）において７日間インキュベートし、この真菌をライ麦粒にコロニー形成させた。次いで、真菌コロニー形成化ライ麦果粒を使用して、４つの果粒を各鉢の中央面に置くことによって、先の芝生に接種した。
【０２３２】
芝生の１８インチ上に位置するフラット送風ノズル（８００４Ｅ）を使用する自動スプレーキャビネットにおいて、３ＵＳガロン／１０００平方フィートのスプレー量で、アゾキシストロビン処理を施した。処理から処理への持込みを防ぐために、薬剤散布（applications）は、最低濃度から始めて最高濃度で終わらせた。処理の間には、スプレーノズルをアセトンで１回、脱イオン水で２回（１００ｍｌ／濯ぎ）洗浄した。Ｈｅｒｉｔａｇｅ（登録商標）（アゾキシストロビン）を、０．４、０．１３３、０．０４４、０．０１５、０．００５、及び０オンスＨｅｒｉｔａｇｅ／１０００平方フィートの割合で芝にスプレーした。薬剤散布後、芝生を乾燥させ、生育室（２５〜２８℃；１４時間の明期）へ一晩移した。
【０２３３】
すでに記載したように、薬剤散布から１日後に、真菌コロニー形成化ライ麦果粒を芝生に接種した。すべての処理を無作為化し、露室（dew chamber）（２５〜２８℃；１４時間の明期）に４日間置いた。この芝生を生育室へ移してから２４時間後に病気の評価をした。接種から５日後に Pythium 感染した芝生の面積の各鉢における比率を評価した。単離物９９−１５０を例外として、P. aphanidermatum の単離物はすべてアゾキシストロビンに対して感受性があった（表１）。感受性のある単離物のＥＤ80値は、すでに P. aphanidermatum について確定されているベースライン分布のＥＤ80値の範囲内に入った（図１）。単離物９９−１５０はアゾキシストロビンに対して耐性であることがわかった。これは、植物病原性真菌 P. aphanidermatum 単離物のアゾキシストロビン耐性に関する最初の報告である。
【０２３４】
次いで、Ｈｅｒｉｔａｇｅ（登録商標）（アゾキシストロビン）の推奨実用率より９倍まで高い比率（３．６、１．２、０．４、０．１３３、０．０４４、０．０１５、０．００５、及び０オンス／１０００平方フィート）を使用する２つの個別実験において試験することによって、耐性単離物９９−１５０及び感受性単離物Ｐ３２Ｒの感受性を確認した。感受性単離物のＰ３２Ｒは、使用した比率に従ってアゾキシストロビンへ応答し、感染した芝生の割合は最高比率で劇的に低下した。耐性単離物の９９−１５０は推奨比率より９倍高い比率でもアゾキシストロビンへ応答しなかった（図２）。
【０２３５】
今回の研究で試験した P. aphanidermatum の単離物の前処理についての情報は限られていた。しかしながら、図１の採取日について情報がない単離物はストロビルリンへ曝露されたことがないと考えられる。なぜなら、そのいくつかは、これら殺真菌剤の市場導入に先立つ６年以上前に採取されたからである。しかしながら、（耐性単離物９９−１５０を含む）１９９８年に採取された単離物がストロビルリンへ曝露されたことはあり得る。薬剤散布を受けた回数は不明である。
【０２３６】
この耐性単離物９９−１５０を英国のＳｙｎｇｅｎｔａ  Ｊａｅｌｏｔｔのヒル国際研究ステーションへ分子レベルでのより綿密な試験のために送って、耐性の機序を検討した。単離物９９−１５０には、Ｊｅａｌｏｔｔヒルでの受入れ時に、採取番号Ｋ３７５８を割り当てた。
【実施例２】
【０２３７】
P. aphanidermatum 単離物Ｋ３７５８（９９−１５０）のシトクロムｂ遺伝子の有向（directed）クローニングと配列決定：野生型 P. aphanidermatum 由来のそれとの比較
以下に記載され、図３に要約される方法を使用して、P. aphanidermatum 単離物Ｋ３７５８（９９−１５０）由来のｃｙｔ  ｂ遺伝子の特性決定を行った。
【０２３８】
Ｋ３７８７は、製造業者の推奨に従って調製したジャガイモデキストロース寒天（オキソイド）上で、１２時間の蛍光下、はじめに２５℃で７日間培養することによって分析用に調製した。次いで、菌糸体生長物のアリコートを無菌条件下に採取し、以下のように調製した１００ｍｌのグリセロールブロスへ接種した：
【０２３９】
【表２８】
2004533230.tif 000029
【０２４０】
次いで、この培養物をオービタルシェーカー上、２５℃で７日間インキュベートした。次いで、生じた菌糸体生長物をリチャードソンボトルにおける遠心分離により採取し、分析まで−８０℃で凍結ペレットとして保存した。次いで、最初の抽出工程を除き、本質的には製造業者のプロトコールに従って、Ｑｉａｇｅｎ  ＤＮｅａｓｙ（登録商標）植物ミニキットを使用して、２つの個別の２００ｍｇ菌糸体アリコートについてゲノムＤＮＡの調製を行った。
【０２４１】
第一の菌糸体サンプルの場合、この抽出は、ＢＩＯ  １０１  ＦａｓｔＤＮＡTMキットからの「マトリックス溶解コンビネーション  ３」（１／４球＋ガーネットマトリックス）と一緒に、Ｑｉａｇｅｎキットからの４００μｌ緩衝液ＡＰ１と４μｌ  ＲＮアーゼにおいて、菌糸体を浸軟させることによった。抽出それ自体は、ＦＰ１２０  ＦａｓｔｐｒｅｐTM機器（アナケム社、アナケムハウス、チャールズストリート、ルトン、ベッドフォードシア  ＬＵ２０ＥＢ，イギリス）においてスピード設定５で４ｘ４０秒間（全１６０秒）実施した。次いで、この抽出管を１３，０００ｒｐｍで５分間遠心分離して、ペレット堆積物とした。次いで、この上清を１．５ｍｌミクロ遠心分離管へ移し、Ｑｉａｇｅｎ  ＤＮｅａｓｙ植物ミニキットプロトコールの工程３〜１３に従うことによってＤＮＡ調製を完了させ、最終ゲノムＤＮＡ溶出液を２ｘ１００μｌのＡＥ緩衝液と一緒にした。
【０２４２】
第二のサンプルの抽出は、２ｍｌのミクロ遠心分離管において、無菌の鋼鉄球と一緒に、菌糸体ペレットへ４００μｌのＡＰ１緩衝液と４μｌのＲＮアーゼを加えることによって達成した。次いで、この管をＳｐｅｘ  ＣｅｒｔｉＰｒｅｐ  ８０００ミキサーミル（グレンクレストン社）において１０分間振り混ぜた。先のように、上清を１．５ｍｌミクロ遠心分離管へ移し、Ｑｉａｇｅｎ  ＤＮｅａｓｙ（登録商標）植物ミニキットプロトコールの工程３〜１３に従うことによってＤＮＡ調製を完了させ、最終ゲノムＤＮＡ溶出液を２ｘ１００μｌのＡＥ緩衝液と一緒にした。
【０２４３】
次いで、シトクロムｂ遺伝子のＰＣＲ増幅のために、各ゲノムＤＮＡ調製物の１０倍系列希釈を、無菌の二重蒸留Ｈ2Ｏ（無希釈、１：１０及び１：１００）を使用して行った。次いで、各希釈液の１０μｌをＰＣＲの鋳型として使用し、ＰＣＲは、それぞれの場合において、真菌シトクロムｂ遺伝子のアミノ酸７３〜２８３（S. cerevisiae の番号付けシステムによる）のコーディング領域にまたがるプライマー１７Ｆ及び１５Ｒを使用して、同一２検体で実施した。
【０２４４】
１７Ｆ：  ５’ＡＡＡＴＡＡＣＧＧＴＴＧＧＴＴＡＡＴＴＣＧ３’
１５Ｒ：  ５’ＴＣＴＴＡＡＡＡＴＴＧＣＡＴＡＡＡＡＡＧＧ３’
ＰＣＲサイクル処理条件には、９４℃３分間の開始インキュベーションに続く、９４℃４５秒間、４２℃４５秒間、及び７２℃１分３０秒間の３０サイクルが含まれた。ＰＣＲを完結させるために、７２℃で１０分間の最終伸長工程も含めた。反応産物をゲル電気泳動により分析してから、製造業者（Ｉｎｖｉｔｒｏｇｅｎ）のプロトコールに従ってＰＣＲ２．１−ＴＯＰＯへクローニングした。次いで、各クローニング結果（event）から１０個の形質転換体を摘出し、Ｗｉｚａｒｄ  ＰｌｕｓプラスミドＤＮＡ調製物（プロメガ）のために使用した。ＰＣＲ産物が存在することを確かめるために、プラスミドＤＮＡを制限酵素ＥｃｏＲＩで消化し、ゲル電気泳動により分析した。次いで、５つの個別プラスミド中にある、それぞれの開始Ｋ３７５８サンプル由来の正確なサイズのインサートを、Ｍ１３前向き及び逆向きプライマーを使用して配列決定した（ＡＢＩ３７７ＸＬ自動化シークエンサー）。適正な解析プログラム（Ｓｅｑｍａｎ、Ｅｄｉｔｓｅｑ、及びＭａｃａｗ）を使用して、配列データを解析した。
【０２４５】
次いで、単離物Ｋ３７５８の２つのサンプルから演繹したシトクロムｂ遺伝子配列を、すでに決定されている P. aphanidermatum ＷＴ（野生型）配列と並置した。ヌクレオチド及びアミノ酸の並置を図４及び５に示すが、アミノ酸配列は、遺伝暗号（ＮＣＢＩ命名法）に記載される「糸状菌、原生動物、及び腔腸動物ミトコンドリアのコード−第４号」を使用して予測した：
http://www3.ncbi.nlm.nih.gov/htbin-post/Taxonomy/wprintgc?mode=t
この分析の著しい特徴は以下であった：
・野生型とＫ３７５８のシトクロムｂ配列には高レベルの同一性があり、ただ１つのヌクレオチドとその結果のアミノ酸置換があること。
【０２４６】
・植物病原性真菌においてこれまでのすべてのＱ0標的部位耐性突然変異体についての突然変異が我々や他の人々により見出されている、残基１４３に対応する領域では、野生型とＫ３７５８の単離物で同一の配列が見出されること（Windass et al., ＷＯ００／６６７７３；Sierotzki et al., Pest Manag. Sci. 56 (2000) 833-841; Sierotzki et al., Pest Biochem. Physiol. 68 (2000) 107-112）。
【０２４７】
・酵母シトクロムｂ残基に対応する位置で単一のフェニルアラニンからロイシンへの置換（Ｆ１２９Ｌ）が存在すること。
この結果をより詳しく考察すると、配列決定した全１０個のＫ３７５８インサートは、アミノ酸１２９のコドンの第三塩基としてＡを有していた。サンプル１について分析した５つのインサートのうち、２つが他の配列の違いを含んでいた（ミニ調製物（miniprep: ｍｐ）２は３つの違いを含み、ｍｐ３は２つの違いを含んでいた）が、これはＰＣＲエラーによるものであると疑われ、コンセンサス配列２においては、５つのインサートのうち３つが配列の違いを含んでいた（ｍｐ１は２つの違いを含み、ｍｐ４は２つの違いを含み、ｍｐ５は３つの違いを含んでいた）が、これもＰＣＲエラーに典型的である。故に、コドン１２９の第三塩基に対応する位置でのＡ残基の存在だけがＫ３７５８及び野生型 P. aphanidermatum のシトクロムｂ配列間の一致した違いであった。
【０２４８】
興味深いことに、このＦ１２９Ｌ置換は、S. cerevisiae、Rhodobacter capsulatus、及び Chlamydomonas reinhardtii にミキソチアゾール（もう１つのＱ0阻害剤）への耐性を与えることが報告されている（Esposti et al, Biochimica et Biophysica Acta, 1143 (1993) 243-271）。しかしながら、植物病原性真菌におけるこの置換のこれまでの報告例はない。
【実施例３】
【０２４９】
野生型 P. aphanidermatum 及びＫ３７５８株に見出されるＦ１２９及びＬ１２９対立遺伝子を識別することが可能なＡＲＭＳプライマーの設計
実施例２に従って入手した、野生型 P. aphanidermatum 及び単離物Ｋ３７５８のシトクロムｂ遺伝子の配列を利用して、このＦ１２９Ｌ点突然変異の存在又は非存在を検出するために様々な特定のＡＲＭＳプライマーを設計した：
【０２５０】
【化１】
2004533230.tif 000030
【０２５１】
上記ＡＲＭＳプライマーのそれぞれにおいては、−１塩基（プライマー配列の３’末端塩基）が標的の点突然変異部位に対応する。太字で表した塩基は、野生型 P. aphanidermatum シトクロムｂ配列と異なる。Ｐｔ１２９−１及びＰｔ１２９−４のプライマーにおいては、−２位をＴからＡ塩基へ変化させた。Ｐｔ１２９−２及びＰｔ１２９−５のプライマーにおいては、−２位をＴからＣ塩基へ変化させた。Ｐｔ１２９−３及びＰｔ１２９−６のプライマーにおいては、−２位をＴからＧ塩基へ変化させた。この配列へのこれらの改変は、鋳型／プライマーハイブリッドを不安定にし、プライマー伸長を対応する鋳型により特異的にした。文献の例は、ＡＲＭＳプライマーを不安定化することにより、間違った鋳型に対するプライマーミスプライミングのリスクが減少することを示している（Newton et al, Nucleic Acid Research 17 (7) 2503-2516 1989）。
【０２５２】
プライマーはすべてＯｓｗｅｌ  ＤＮＡサービス（Ｌａｂ５００５，Medical and Biological Sciences Building, サウサンプトン）により合成された。プライマーは、使用前に、全量５００μｌの二重蒸留ヌクレアーゼフリーＨ2Ｏ中５μＭへそれぞれ希釈した。次いで、このプライマーをＰＣＲにおいて５００ｎＭの最終濃度へさらに希釈した。
【実施例４】
【０２５３】
P. aphanidermatum のＦ１２９及びＬ１２９対立遺伝子状況をモニターすることに使用のＳｃｏｒｐｉｏｎプライマーの設計
再び、実施例２に従って入手した、野生型 P. aphanidermatum 及び単離物Ｋ３７５８のシトクロムｂ遺伝子の配列を利用して、実施例３に記載のＡＲＭＳ  ＳＮＰ検出及び標準のプライマーとの使用のために設計した逆向きＰＣＲプライマーへこの検出系を取り込ませることによって、野生型及びＬ１２９の対立遺伝子の選択増幅を検出するためにＳｃｏｒｐｉｏｎTMオリゴヌクレオチドを設計した。生じたアンプリコンは、ＡＲＭＳプライマーで１７２ｂｐの長さであり、対照プライマーで１７６ｂｐの長さであった。
【０２５４】
特に、Ｓｃｏｒｐｉｏｎプライマーは、Ｏｌｉｇｏ５及びＭＦｏｌｄのプログラムを使用して設計した（ＭＦｏｌｄは、Ｚｕｃｋｅｒのエネルギー最小化法（Zucker, M. (1989) Science 244, 48-52; SantaLucia, J. Jr. (1998) Proc. Natl. Acad. Sci. USA 95, 1460-1465）を使用して、ＲＮＡ若しくはＤＮＡ分子について最適及び次善の二次構造を予測する）。
【０２５５】
生じた P. aphanidermatum Ｓｃｏｒｐｉｏｎプライマーの配列は：
【０２５６】
【化２】
2004533230.tif 000031
【０２５７】
であった。ここで、下線を施した領域はヘアピン形成部分（Ｓｃｏｒｐｉｏｎプライマーが反応しない場合）であり；ＦＡＭはフルオレセイン色素であり；ＭＲ（メチルレッド）はウラシル残基へ付いた非蛍光産生消光物質であり、そしてＨＥＧは複製を遮断するヘックスエチレングリコールモノマーである。イタリック体の配列は逆向きプライマー配列であり、太字の配列は、この逆向きプライマーの忠実な P. aphanidermatum ｃｙｔ  ｂ伸長産物へ結合するＳｃｏｒｐｉｏｎ配列である。
【０２５８】
このＳｃｏｒｐｉｏｎプライマーのステムループ二次構造は、ＭＦｏｌｄプログラムを使用して視覚化することが可能であり（図６を参照のこと）、標的ｃｙｔ  ｂ遺伝子へハイブリダイズしないときは−１．９ｋｃａｌ／モルのエネルギーを有すると予測される。しかしながら、伸長産物の存在下では、このヘアピン構造が分離し、このときＳｃｏｒｐｉｏｎプライマーのプローブ配列は、−４．９ｋｃａｌ／モルの予測エネルギーで伸長産物へ結合する。これによりＦＡＭ色素がその消光物質から離れ、例えばＡＢＩ  Ｐｒｉｓｍ  ７７００機器により検出可能な蛍光の放出を引き起こす。故に、新たに合成される鎖へのＳｃｏｒｐｉｏｎ要素のアニーリングは、Ｓｃｏｒｐｉｏｎステムループに比較して、エネルギー的に好ましい。
【０２５９】
ＳｃｏｒｐｉｏｎプライマーはＯｓｗｅｌ  ＤＮＡサービス（Ｌａｂ５００５，Medical and Biological Sciences Building, サウサンプトン）により合成された。このプライマーは、使用前に、全量５００μｌの二重蒸留ヌクレアーゼフリーＨ2Ｏ中５μＭへ希釈した。次いで、このプライマーをＰＣＲにおける５００ｎＭの最終濃度へさらに希釈した。
【実施例５】
【０２６０】
Ｋ３７５８株に見出されるＦ１２９Ｌ  ＳＮＰの検出及び定量へのＡＲＭＳ及びＳｃｏｒｐｉｏｎプライマーの使用のバリデーション
すべてのＡＲＭＳ／ＳｃｏｒｐｉｏｎTMＦ１２９Ｌ  ＳＮＰ検出アッセイにおいて、ＡｍｐｌｉＴａｑ  Ｇｏｌｄ酵素（アプライド・バイオシステムズ）を１ユニット／２５μｌ反応液で反応混合物に含めた。この反応混合物には、１ｘ緩衝液（１０ｍＭ  Ｔｒｉｓ−ＨＣｌ（ｐＨ８．３），５０ｍＭ  ＫＣｌ，３．５ｍＭ  ＭｇＣｌ2，０．０１％  ゼラチン）と１００μＭ  ｄＮＴＰｓ（アマーシャム・ファルマシア・バイオテック）も含まれた。連続蛍光モニタリング用のＡＢＩ  Ｐｒｉｓｍ  ７７００機器において増幅を実施した。９５℃，１０分間の予備サイクルに続き、９５℃１５秒間及び６０℃４５秒間の５０サイクルを実施した。すべてのサイクルを通してアニーリング／伸長段階の間、蛍光をモニターした。
【０２６１】
はじめに、様々な濃度のプラスミドＤＮＡを鋳型として使用することによって、そのような分析における使用についてプライマーを実証（validate）した。これを実施したのは、プライマー設計の特異性及び感度をチェックするためである。一部野生型シトクロムｂ遺伝子配列と、２つの P. aphanidermatum 単離物から増幅したＦ１２９Ｌ突然変異を含有する対応領域を、実施例２にすでに記載のようにＴＡ  ｐＣＲ２．１ベクター（Ｉｎｖｉｔｒｏｇｅｎ）へクローニングした。Ｗｉｚａｒｄ  ＰｌｕｓプラスミドＤＮＡ調製物（プロメガ）用に摘出した各クローニング結果からの１０個の形質転換体（実施例２を参照のこと）に由来する、１５０μｌの細菌培養物を、上記の調製を行う前に取っておき、４℃で保存した。配列解析の後で、コンセンサス配列との配列の違いを含まない野生型及び突然変異体のプラスミドＤＮＡサンプルに注目した。これらの野生型及び突然変異体のプラスミドＤＮＡ配列の起源となった細菌培養物を、製造業者のプロトコールに従って、プラスミドＤＮＡｍａｘｉｐｒｅｐｓ（Ｑｉａｇｅｎ）のために摘出した。生じたプラスミドＤＮＡを定量し、無菌二重蒸留Ｈ2Ｏを使用して、１μｇ／μｌ（２ｘ１０11分子／μｌ）の濃度へ希釈した。
【０２６２】
野生型及び突然変異体のプラスミドＤＮＡカセットを、二重蒸留Ｈ2Ｏ中１０ｐｇ／μｌ（又は２ｘ１０6分子／μｌ）の濃度へさらに希釈し、ＡＲＭＳプライマーの特異性を実証するための鋳型として使用した。それぞれのＡＲＭＳプライマーを、上記に記載のＰＣＲ条件の下で、野生型及び突然変異体の鋳型、並びに鋳型なし（水のみ）の対照について試験した。Ｐｔ１２９−１及びＰｔ１２９−４のプライマーは、同一２検体ＰＣＲがより一貫した結果を与え、より特異的であったので、Ｐｔ１２９−２及びＰｔ１２９−３と、Ｐｔ１２９−５及びＰｔ１２９−６のプライマーより好ましかった。野生型ＡＲＭＳプライマーのＰｔ１２９−１は、増幅が不適切な（突然変異体の）鋳型で起こる前に、１５．２７サイクルのウィンドウを与えた（図７）。突然変異体ＡＲＭＳプライマーのＰｔ１２９−４は、増幅が不適切な（野生型の）鋳型で起こる前に、１６．９６サイクルのウィンドウを与えた（図８）。
【０２６３】
点突然変異の検出に適したＡＲＭＳプライマーの選択に続き、このアッセイをさらに実証して、Ｌ１２９突然変異の存在について生物学的サンプルを検査するために使用する前に、その検出の感度を十分に理解した。最初のバリデーション工程は、選択したＡＲＭＳプライマーについて、野生型及び突然変異体の鋳型ＤＮＡ濃度の６オーダーの大きさの範囲にわたり、特異性のウィンドウが変動するかを確定することであった。先述の野生型及び突然変異体のプラスミドＤＮＡカセットをウシ血清アルブミン（ＢＳＡ）（分画Ｖ粉末、最小値９６％、シグマ  Ａ９６４７）において１ｍｇ／ｍｌから１０倍希釈系列の濃度に希釈した。この鋳型濃度は、２ｘ１０8分子／μｌ〜２ｘ１０2分子／μｌの範囲をカバーした。プラスミドＤＮＡカセットと鋳型なし（水のみ）対照の両方を、上記に記載のように、プライマーＰｔ１２９−１、Ｐｔ１２９−４、及びＰｔ１２９−Ｓを使用するＡＲＭＳ／Ｓｃｏｒｐｉｏｎアッセイにおいて試験した。
【０２６４】
【表２９】
2004533230.tif 000032
【０２６５】
【表３０】
2004533230.tif 000033
【０２６６】
上記の結果は、ＡＲＭＳプライマーのＰｔ１２９−１及びＰｔ１２９−４がそのそれぞれ正しい鋳型から同一のＣｔ（サイクル閾値；蛍光の変化がバックグラウンドレベル以上に増加する場合のＰＣＲサイクル数）値では増幅せず、この差がプラスミドＤＮＡの濃度に依存するように見えることを示す。プライマーＰｔ１２９−１ではまた、正しい鋳型と正しくない鋳型に対する増幅間のＣｔがこのアッセイで試験した鋳型ＤＮＡ濃度の範囲にわたり一定でない。上記の開始ＡＲＭＳプライマーは、必要な特性をいくらか示してはいるが、それらは決して理想的なアッセイの基礎を提供するものではない。故に、一対の逆向きＡＲＭＳプライマーと組み合わせた、点突然変異から上流の前向きＳｃｏｒｐｉｏｎプライマーを使用してアッセイを再設計することを決定した。
【実施例６】
【０２６７】
野生型 P. aphanidermatum 及びＫ３７５８株に見出されるＦ１２９及びＬ１２９対立遺伝子を識別することが可能なさらなるＡＲＭＳプライマーの設計
実施例２に従って入手した、野生型 P. aphanidermatum 及び単離物Ｋ３７５８のシトクロムｂ遺伝子の配列を利用して、このＦ１２９Ｌ点突然変異の存在又は非存在を検出するために、第二セットの特定ＡＲＭＳプライマーを設計した：
【０２６８】
【化３】
2004533230.tif 000034
【０２６９】
上記ＡＲＭＳプライマーのそれぞれにおいては、−１塩基（プライマー配列の３’末端塩基）が標的の点突然変異部位に対応する。太字で表した塩基は、野生型 P. aphanidermatum シトクロムｂ配列と異なる。Ｐｔ１２９−Ｃ１及びＰｔ１２９−Ａ１のプライマーにおいては、（逆向き相補体において）−２位をＴからＡ塩基へ変化させた。Ｐｔ１２９−Ｃ２及びＰｔ１２９−Ａ２のプライマーにおいては、（逆向き相補体において）−２位をＴからＣ塩基へ変化させた。Ｐｔ１２９−Ｃ３及びＰｔ１２９−Ａ３のプライマーにおいては、（逆向き相補体において）−２位をＴからＧ塩基へ変化させた。Ｐｔ１２９−Ｃ４及びＰｔ１２９−Ａ４のプライマーにおいては、（逆向き相補体において）−３位をＡからＴ塩基へ変化させた。Ｐｔ１２９−Ｃ５及びＰｔ１２９−Ａ５のプライマーにおいては、（逆向き相補体において）−３位をＡからＣ塩基へ変化させた。Ｐｔ１２９−Ｃ６及びＰｔ１２９−Ａ６のプライマーにおいては、（逆向き相補体において）−３位をＡからＧ塩基へ変化させた。Ｐｔ１２９−Ａ７プライマーにおいては、（逆向き相補体において）−５位をＣからＴ塩基へ変化させ、−２位をＴからＣ塩基へ変化させた。Ｐｔ１２９−Ａ８プライマーにおいては、（逆向き相補体において）−５位をＣからＡ塩基へ変化させ、−２位をＴからＣ塩基へ変化させた。Ｐｔ１２９−Ａ９プライマーにおいては、（逆向き相補体において）−５位をＣからＧ塩基へ変化させ、−２位をＴからＣ塩基へ変化させた。Ｐｔ１２９−Ａ１０プライマーにおいては、（逆向き相補体において）−５位をＣからＴ塩基へ変化させ、−３位をＡからＣ塩基へ変化させた。Ｐｔ１２９−Ａ１１プライマーにおいては、（逆向き相補体において）−５位をＣからＡ塩基へ変化させ、−３位をＡからＣ塩基へ変化させた。Ｐｔ１２９−Ａ１２プライマーにおいては、（逆向き相補体において）−５位をＣからＧ塩基へ変化させ、−３位をＡからＣ塩基へ変化させた。Ｐｔ１２９−Ａ１３プライマーにおいては、（逆向き相補体において）−５位をＣからＴ塩基へ変化させ、−３位をＡからＧ塩基へ変化させた。Ｐｔ１２９−Ａ１４プライマーにおいては、（逆向き相補体において）−５位をＣからＡ塩基へ変化させ、−３位をＡからＧ塩基へ変化させた。Ｐｔ１２９−Ａ１５プライマーにおいては、（逆向き相補体において）−５位をＣからＧ塩基へ変化させ、−３位をＡからＧ塩基へ変化させた。この配列へのこれらの改変は、鋳型／プライマーハイブリッドを不安定にし、プライマー伸長を対応する鋳型により特異的にした。文献の例は、ＡＲＭＳプライマーを不安定化することにより、間違った鋳型に対するプライマーのミスプライミングリスクが減少することを示している（Newton et al, Nucleic Acid Research 17 (7) 2503-2516 1989）。
【０２７０】
プライマーはすべてＯｓｗｅｌ  ＤＮＡサービス（Ｌａｂ５００５，Medical and Biological Sciences Building, サウサンプトン）により合成された。プライマーは、使用前に、全量５００μｌの二重蒸留ヌクレアーゼフリーＨ2Ｏ中５μＭへそれぞれ希釈した。次いで、このプライマーをＰＣＲにおける５００ｎＭの最終濃度へさらに希釈した。
【実施例７】
【０２７１】
P. aphanidermatum のＦ１２９及びＬ１２９対立遺伝子状況をモニターすることに使用のさらなるＳｃｏｒｐｉｏｎプライマーの設計
再び、実施例２に従って入手した、野生型 P. aphanidermatum 及び単離物Ｋ３７５８のシトクロムｂ遺伝子の配列を利用して、実施例３に記載のＡＲＭＳ  ＳＮＰ検出及び標準のプライマーとの使用のために設計した前向きＰＣＲプライマーへこの検出系を取り込ませることによって、野生型及びＬ１２９の対立遺伝子の選択増幅を検出するためにＳｃｏｒｐｉｏｎTMオリゴヌクレオチドを設計した。生じたアンプリコンは、ＡＲＭＳプライマーで１２６ｂｐの長さであり、対照プライマーで１２９ｂｐの長さであった。
【０２７２】
特に、Ｓｃｏｒｐｉｏｎプライマーは、Ｏｌｉｇｏ５及びＭＦｏｌｄのプログラムを使用して設計した（ＭＦｏｌｄは、Ｚｕｃｋｅｒのエネルギー最小化法（Zucker, M. (1989) Science 244, 48-52; SantaLucia, J. Jr. (1998) Proc. Natl. Acad. Sci. USA 95, 1460-1465）を使用してＲＮＡ若しくはＤＮＡ分子について最適及び次善の二次構造を予測する）。
【０２７３】
生じた P. aphanidermatum Ｓｃｏｒｐｉｏｎプライマーの配列は：
【０２７４】
【化４】
2004533230.tif 000035
【０２７５】
であった。ここで、下線を施した領域はヘアピン形成部分（Ｓｃｏｒｐｉｏｎプライマーが反応しない場合）であり；ＦＡＭはフルオレセイン色素であり；ＭＲ（メチルレッド）はウラシル残基へ付いた非蛍光産生消光物質であり、そしてＨＥＧは複製を遮断するヘックスエチレングリコールモノマーである。イタリック体の配列は前向きプライマー配列であり、太字の配列は、この前向きプライマーの忠実な P. aphanidermatum ｃｙｔ  ｂ伸長産物へ結合するＳｃｏｒｐｉｏｎ配列である。
【０２７６】
このＳｃｏｒｐｉｏｎプライマーのステムループ二次構造は、ＭＦｏｌｄプログラムを使用して視覚化することが可能であり（図９を参照のこと）、標的ｃｙｔ  ｂ遺伝子へハイブリダイズしないときは−１．９ｋｃａｌ／モルのエネルギーを有すると予測される。しかしながら、伸長産物の存在下では、このヘアピン構造が分離し、このときＳｃｏｒｐｉｏｎプライマーのプローブ配列は、−５．６ｋｃａｌ／モルの予測エネルギーで伸長産物へ結合する。これによりＦＡＭ色素がその消光物質から離れ、例えばＡＢＩ  Ｐｒｉｓｍ  ７７００機器により検出可能な蛍光の放出を引き起こす。故に、新たに合成される鎖へのＳｃｏｒｐｉｏｎ要素のアニーリングは、Ｓｃｏｒｐｉｏｎステムループに比較して、エネルギー的に好ましい。
【０２７７】
ＳｃｏｒｐｉｏｎプライマーはＯｓｗｅｌ  ＤＮＡサービス（Ｌａｂ５００５，Medical and Biological Sciences Building, サウサンプトン）により合成された。このプライマーは、使用前に、全量５００μｌの二重蒸留ヌクレアーゼフリーＨ2Ｏ中５μＭへ希釈した。次いで、このプライマーをＰＣＲにおける５００ｎＭの最終濃度へさらに希釈した。
【実施例８】
【０２７８】
Ｋ３７５８株に見出されるＦ１２９Ｌ  ＳＮＰの検出及び定量へのＡＲＭＳ及びＳｃｏｒｐｉｏｎプライマーの使用のバリデーション
すべてのＡＲＭＳ／ＳｃｏｒｐｉｏｎTMＦ１２９Ｌ  ＳＮＰ検出アッセイにおいて、ＡｍｐｌｉＴａｑ  Ｇｏｌｄ酵素（パーキン−エルマー／ＡＢＩ）を１ユニット／２５μｌ反応液で反応混合物に含めた。この反応混合物には、１ｘ緩衝液（１０ｍＭ  Ｔｒｉｓ−ＨＣｌ（ｐＨ８．３），５０ｍＭ  ＫＣｌ，３．５ｍＭ  ＭｇＣｌ2，０．０１％  ゼラチン）と１００μＭ  ｄＮＴＰｓ（アマーシャム・ファルマシア・バイオテック）も含まれた。連続蛍光モニタリング用のＡＢＩ  Ｐｒｉｓｍ  ７７００機器において増幅を実施した。９５℃，１０分間の予備サイクルに続き、９５℃１５秒間及び６０℃４５秒間の５０サイクルを実施した。すべてのサイクルを通してアニーリング／伸長段階の間、蛍光をモニターした。
【０２７９】
アッセイを実証することに関わる第一の工程は、Ｆ１２９（野生型）及びＬ１２９（突然変異体）の対立遺伝子を増幅の間に識別するその潜在能力について、上記のＡＲＭＳプライマーを試験することである。実施例５に記載のように、野生型及び突然変異体の P. aphanidermatum ｃｙｔ  ｂプラスミドＤＮＡ構築体を二重蒸留Ｈ2Ｏ中１０ｐｇ／μｌ（又は２ｘ１０6分子／μｌ）の濃度へ希釈し、ＡＲＭＳプライマーの選択性を実証するための鋳型として使用した。それぞれのＡＲＭＳプライマーを、上記に記載のＰＣＲ条件の下で、野生型及び突然変異体の鋳型、並びに鋳型なし（水のみ）の対照について試験した。この結果を以下の表２０に要約する。
【０２８０】
【表３１】
2004533230.tif 000036
【０２８１】
この結果は、Ｌ１２９対立遺伝子選択（突然変異体）プライマーのＰｔ１２９−Ａ１４及びＰｔ１２９−Ａ５が、適正な鋳型と不適正な鋳型での増幅間で最大の特異性のウィンドウを与えた（適正な鋳型と不適正な鋳型のそれぞれで、２０．４サイクルと増幅なし）ことを示す。プライマーＰｔ１２９−Ａ１５は不適正な鋳型へ結合しなかったが、正しい鋳型での増幅は非常に遅く、サイクル３０であった。故に、Ｐｔ１２９−Ａ１４は、正しい鋳型に対してより早いＣｔ値を有するので、好ましいＬ１２９対立遺伝子選択（突然変異体）ＡＲＭＳプライマーである。プライマーＰｔ１２９−Ｃ４は、不適正な鋳型へ結合しないので、好ましいＦ１２９対立遺伝子選択（野生型）プライマーである。プライマーＰｔ１２９−Ｓ４は、好ましい標準プライマーである。故に、これらを使用してアッセイバリデーションを完了させた。
【０２８２】
しかしながら、Ｌ１２９対立遺伝子選択（突然変異体）プライマーのＰｔ１２９−Ａ１４は、たとえ鋳型が同一の濃度にあっても、Ｆ１２９対立遺伝子選択（野生型）プライマーのＰｔ１２９−Ｃ４よりほぼ５サイクル遅いＣｔ値を与えるようである。プライマー間のＣｔ値におけるこの差がある範囲の鋳型濃度にわたり一定のままであるのかをチェックすることによって、この課題をさらに評価した。
【０２８３】
点突然変異の検出に適したＡＲＭＳプライマー対の選択に従って、Ｌ１２９突然変異の存在について生物学的サンプルを試験するために使用する前に、このアッセイをさらに実証して、検出の感度を完全に理解することにした。故に、実施した次の試験は、選択したＡＲＭＳプライマーのＰｔ１２９−Ｃ４及びＰｔ１２９−Ａ４について、特異性のウィンドウが６オーダーの鋳型ＤＮＡ濃度の大きさの範囲にわたり変動するのか、そしてまた、Ｆ１２９及びＬ１２９対立遺伝子選択ＡＲＭＳプライマー間のＣｔ値における差が、両方のプライマーがそのそれぞれの正しい鋳型を増幅しているときに、この鋳型ＤＮＡ濃度範囲にわたり一定のままであるかを確定することであった。先述の野生型及び突然変異体のｃｙｔ−ｂプラスミドＤＮＡ構築体をウシ血清アルブミン（ＢＳＡ）（分画Ｖ粉末、最小値９６％、シグマ  Ａ９６４７）において１ｍｇ／ｍｌから１０倍希釈系列の濃度に希釈した。この鋳型濃度は、２ｘ１０8分子／μｌ〜２ｘ１０2分子／μｌの範囲をカバーした。ＡＲＭＳプライマーのＰｔ１２９−Ｃ４及びＰｔ１２９−Ａ１４と標準プライマーのＰｔ１２９−Ｓ４を、鋳型としてあらゆる濃度の両方のプラスミドＤＮＡカセットを使用するアッセイにおいて、そしてまた上記に記載のように鋳型なし（水のみ）対照において試験した。
【０２８４】
【表３２】
2004533230.tif 000037
【０２８５】
【表３３】
2004533230.tif 000038
【０２８６】
【表３４】
2004533230.tif 000039
【０２８７】
上記の結果は、Ｌ１２９対立遺伝子選択（突然変異体）プライマーのＰｔ１２９−Ａ４では、適正及び不適正な鋳型での増幅間のΔＣｔが、どんなに濃いプラスミドＤＮＡ鋳型に対してもほぼ１８〜２０サイクルであるが、プラスミドＤＮＡ鋳型濃度がさらに減少するのにつれて、不適正な鋳型での増幅が観測されなくなることを示す。Ｆ１２９対立遺伝子選択（野生型）プライマーのＰｔ１２９−Ｃ４は、全体の鋳型濃度範囲にわたり、適正な鋳型へのみ結合する。故に、Ｌ１２９及びＦ１２９対立遺伝子選択プライマーのＰｔ１２９−Ａ４及びＰｔ１２９−Ｃ４では、全体の鋳型濃度範囲にわたり、特異性のウィンドウは一定であった。
【０２８８】
【表３５】
2004533230.tif 000040
【０２８９】
それぞれの対立遺伝子選択プライマーのＣｔ（サイクル閾値）値を、プラスミドＤＮＡ鋳型濃度に対してプロットした（図１０）。両プライマーについて、プロットの勾配はほとんど同一であって、Ｒ2（相関係数）値もほぼ同じである。プロットはまた全体の鋳型濃度範囲にわたり平行していて、このプライマー間のＣｔ値における差が鋳型ＤＮＡ濃度にかかわらず一定のままであることを示す。
【０２９０】
適正な鋳型に対するＬ１２９及びＦ１２９対立遺伝子選択プライマー間のΔＣｔ（２つのＣｔ値間の差）もプラスミドＤＮＡ鋳型濃度に対してプロットした（図１１）。このラインの勾配は０．１未満であったが、このことは、その適正な鋳型に対するＬ１２９及びＦ１２９対立遺伝子選択プライマー間のΔＣｔが鋳型ＤＮＡ濃度に伴って変動しないことを示す。
【０２９１】
その適正な鋳型へ結合するこの２つのプライマー間の平均ΔＣｔは４．６７である。故に、あるサンプル中の２つの対立遺伝子の比率を正しく表すためには、Ｌ１２９対立遺伝子選択プライマーとＦ１２９対立遺伝子選択プライマーとの間で算出されるΔＣｔからこの値を差し引く必要がある。
【０２９２】
故に、Ｌ１２９対立遺伝子選択プライマーのＰｔ１２９−Ａ１４とＦ１２９対立遺伝子選択プライマーのＰｔ１２９−Ｃ４は、あるサンプル中のＬ１２９及びＦ１２９対立遺伝子のレベルを直接比較するために、このアッセイにおいて使用することが可能である。
【０２９３】
第二のバリデーション試験は、選択したＡＲＭＳプライマーのＰｔ１２９−Ｃ４及びＰｔ１２９−Ａ１４の検出の感度を試験することに関連した。２ｘ１０7分子／μｌの濃度のＬ１２９対立遺伝子含有プラスミドＤＮＡを、２ｘ１０7分子／μｌの一定濃度のＦ１２９対立遺伝子含有プラスミドＤＮＡバックグラウンドへ希釈して、以下の比率を得た：１：１、１：１０、１：１００、１：１，０００、１：１０，０００、及び１：１００，０００のＬ１２９：Ｆ１２９対立遺伝子。ＰＣＲにおける最終プラスミド濃度は１ｘ１０8分子／μｌである。プライマーのＰｔ１２９−Ａ１４、Ｐｔ１２９−Ｃ４、及びＰｔ１２９−Ｓ４について、野生型プラスミド、突然変異体プラスミド、及び水のみの対照とともに、上記のように、このアッセイにおいてこれらを試験した。
【０２９４】
【表３６】
2004533230.tif 000041
【０２９５】
プライマーＰｔ１２９−Ａ１４及びＰｔ１２９−Ｃ４は、上記に注目されたように、その正しい鋳型に対して同じＣｔ値を与えない。Ｃｔ値におけるこの差は、２７．３３−２３．０３＝４．３であった。サンプル中の各対立遺伝子の比率を正しく表すためには、スパイク（spiking）実験において算出されるそれぞれのΔＣｔからこれを差し引く必要がある。
【０２９６】
【表３７】
2004533230.tif 000042
【０２９７】
故に、この結果は、Ａ  ＡＲＭＳプライマー（Ｌ１２９対立遺伝子選択プライマー）が不適正な鋳型へ結合するより前に、このアッセイが、Ｆ１２９対立遺伝子（Ｃ鋳型）のバックグラウンドにおけるＬ１２９対立遺伝子（Ａ鋳型）のレベルを１：１０００００未満で検出することが可能であることを示す（図１２）。
【０２９８】
実施した第三のバリデーション試験は、ＡＲＭＳプライマーのＰｔ１２９−Ｃ４及びＰｔ１２９−Ａ１４が同一の効率で増幅するかどうかを試験するために設計した。ＡＲＭＳ／Ｓｃｏｒｐｉｏｎアッセイが信頼し得るものであるには、選択した対立遺伝子選択ＡＲＭＳプライマーが、このアッセイにおいて試験される可能性がある鋳型ＤＮＡ濃度の範囲にわたってほぼ同じ効率で増幅することが重要である。これは、２つのプライマー間のＣｔにおける差が、サンプル中の耐性対立遺伝子の頻度に直接対応するためである。このことを試験するための１つの方法は、ΔＣｔが鋳型濃度とともにどう変動するかを比較することである。ＤＮＡ投入量の対数をΔＣｔに対してプロットすると、生じる傾きは０．１未満であるべきである。
【０２９９】
プライマーＰｔ１２９−Ａ１４及びＰｔ１２９−Ｃ４の増幅の効率をチェックするために、突然変異体：野生型プラスミドＤＮＡの１：１０混合物（先述した）を、２倍希釈系列により、ほぼ１００倍の範囲にわたり希釈した。この希釈はすべて、１ｍｇ／ｍｌの濃度のＢＳＡ中で行った。以下の鋳型希釈液（希釈なし、１：２、１：４、１：８、１：１６、１：３２、１：６４、及び１：１２８）、野生型のみ、及び突然変異のみのプラスミド対照と、水のみの対照を、上記のように、Ｐｔ１２９−Ｃ４、Ｐｔ１２９−Ａ１４、Ｐｔ１２９−Ｓ４プライマーとともにＡＲＭＳ／Ｓｃｏｒｐｉｏｎアッセイにおいて試験した。
【０３００】
【表３８】
2004533230.tif 000043
【０３０１】
プライマーＰｔ１２９−Ａ１４及びＰｔ１２９−Ｃ４のその適正な鋳型に対するＣｔ値の差は、２２．６−１９．０７＝３．５３である。サンプル中の各対立遺伝子の比率を正しく表すためには、相対効率実験において算出されるそれぞれのΔＣｔ値からこれを差し引く必要がある。
【０３０２】
【表３９】
2004533230.tif 000044
【０３０３】
ΔＣｔをＤＮＡ濃度の対数に対してプロットし、Ｍｉｃｒｏｓｏｆｔ  Ｅｘｃｅｌを使用して、傾き線を算出した（図１３）。これは、この線の勾配が０．０５であって、０．１未満であるので、プライマーＰｔ１２９−Ａ１４及びＰｔ１２９−Ｃ４がほとんど同一の相対効率で増幅することを示した。
【０３０４】
アッセイのバリデーションにおける第四段階は、宿主植物のＤＮＡ（この場合は、グラスの Lolium perenne）が、例えば、ＰＣＲにおける鋳型として偶然に作用し得る配列を含有することによって、このアッセイに影響を及ぼす可能性があるかを検討することであった。L. perenne ＤＮＡは、P. aphanidermatum 感染性の葉の材料を採取して直接試験する場合に、サンプル中に存在するものである。
【０３０５】
この試験のために、Ｑｉａｇｅｎ  ＤＮｅａｓｙ植物ミニキットを使用して L. perenne のサンプル（１００ｍｇ）からゲノムＤＮＡを抽出し（サンプルは、はじめに、鋼鉄球を含有する１．５ｍｌのミクロ遠心分離管において、Ｃｅｎｔｉｐｒｅｐミキサーミル中で１０分間の振り混ぜにより粉砕した）、二重蒸留Ｈ2Ｏにおける５倍系列希釈により希釈して、以下の濃度を得た：「無希釈（neat）」（ミニキット調製物から直接入手される）、１／５、１／２５、及び１／１２５（Ｈ2Ｏに対する植物ＤＮＡのストック溶液）。Ｌ１２９対立遺伝子：Ｆ１２９対立遺伝子プラスミドＤＮＡの１：１００及び１：１０，０００の２つの混合物も調製した（上記参照）。これらのストック溶液を、植物材料の減少するバックグラウンドとともに混合し、以下のＰＣＲ投入物を得た：１：１００  Ｌ１２９対立遺伝子：Ｆ１２９対立遺伝子＋無希釈植物ＤＮＡ、１：１００  Ｌ１２９対立遺伝子：Ｆ１２９対立遺伝子＋１／５植物ＤＮＡ、１：１００  Ｌ１２９対立遺伝子：Ｆ１２９対立遺伝子＋１／２５植物ＤＮＡ、１：１００  Ｌ１２９対立遺伝子：Ｆ１２９対立遺伝子＋１／１２５植物ＤＮＡ、１：１０，０００  Ｌ１２９対立遺伝子：Ｆ１２９対立遺伝子＋無希釈植物ＤＮＡ、１：１０，０００  Ｌ１２９対立遺伝子：Ｆ１２９対立遺伝子＋１／５植物ＤＮＡ、１：１０，０００  Ｌ１２９対立遺伝子：Ｆ１２９対立遺伝子＋１／２５植物ＤＮＡ、１：１０，０００  Ｌ１２９対立遺伝子：Ｆ１２９対立遺伝子＋１／１２５植物ＤＮＡ。これらを、上記のように、L. perenne ＤＮＡ希釈物、種々の比のＬ１２９対立遺伝子：Ｆ１２９対立遺伝子プラスミドＤＮＡのみ、野生型及び突然変異体のプラスミドＤＮＡ（２ｘ１０7分子／μｌの濃度）、及び水のみの対照とともに、プライマーのＰｔ１２９−Ｃ４、Ｐｔ１２９−Ａ１４、及びＰｔ１２９−Ｓ４をアッセイに用いてすべて試験した。
【０３０６】
【表４０】
2004533230.tif 000045
【０３０７】
プライマーＰｔ１２９−Ａ１４及びＰｔ１２９−Ｃ４のその適正な鋳型に対するＣｔ値の差は、２２．４９−１９．９５＝２．５４である。サンプル中の各対立遺伝子の比率を正しく表すためには、算出されるそれぞれのΔＣｔ値からこれを差し引く必要がある。
【０３０８】
【表４１】
2004533230.tif 000046
【０３０９】
真菌プラスミドＤＮＡ及び L. perenne ＤＮＡの混合物をこのアッセイにおいて試験すると、Ｃｔ値、故に、真菌プラスミドＤＮＡを単独で試験したときと比較した観測％Ｃには、一貫した変化がなかった。故に、L. perenne ＤＮＡは、このアッセイにおける耐性対立遺伝子の検出の感度に対して有意な影響を及ぼさない。
【０３１０】
標準プライマーＰｔ１２９−Ｓ４とＳｃｏｒｐｉｏｎプライマーは、L. perenne ＤＮＡと相互作用して、検出可能なＰＣＲ産物をもたらすことが可能である。しかしながら、Ｓｃｏｒｐｉｏｎプライマーと組み合わせたＬ１２９対立遺伝子特異的プライマーとＦ１２９対立遺伝子特異的プライマーは、いずれも L. perenne ＤＮＡと相互作用することができない。
【０３１１】
P. aphanidermatum のサンプル中の L. perenne ＤＮＡの存在は、Ｌ１２９若しくはＦ１２９対立遺伝子の増幅に、そして生じるＬ１２９対立遺伝子のレベルの評価に何ら影響を及ぼさないだろう。
【０３１２】
バリデーションにおける最終工程は、生物学的サンプルについて、プライマーのＰｔ１２９−Ｃ４、Ｐｔ１２９−Ａ１４、及びＰｔ１２９−Ｓ４を試験することである。耐性モニタリングアッセイの出発材料として使用することが可能である、生物学的サンプルの様々に可能な形態が存在する。これらには、寒天プレートからの菌糸体生長物と P. aphanidermatum 感染した芝生（L. perenne）が含まれる。寒天プレート由来の P. aphanidermatum サンプルを試験するには、少量の無菌二重蒸留Ｈ2Ｏ（約１〜２ｍｌ）をプレートへ加え、無菌の使い捨てスクレーパーを使用して寒天から菌糸体をかき出した。この菌糸体の溶液を１．５若しくは２ｍｌの無菌ミクロ遠心分離管に採取し、遠心分離させた。上清を除去してから、生じた菌糸体のサンプルを、実施例２に記載のように、ＦＰ１２０  ＦａｓｔｐｒｅｐTM機器（アナケム社、アナケムハウス、チャールズストリート、ルトン、ベッドフォードシア  ＬＵ２０ＥＢ，イギリス）又はＳｐｅｘ  ＣｅｒｔｉＰｒｅｐ８０００  ミキサーミル（グレンクレストン社）のいずれかを使用して粉砕してから、やはり実施例２に記載されるように、Ｑｉａｇｅｎ  ＤＮｅａｓｙ植物ミニキットを使用して、ゲノムＤＮＡの調製を行った。他のやり方では、P. aphanidermatum が感染した L. perenne 芝生の１００ｍｇを、上記のように１．５若しくは２ｍｌのミクロ遠心分離管に採取して同じやり方で粉砕して菌糸体の材料にしてもよい。次いで、Ｑｉａｇｅｎ  ＤＮｅａｓｙ植物ミニキットを使用して、製造業者のプロトコールに従って、感染された植物の全ＤＮＡを抽出した。
【０３１３】
生じた P. aphanidermatum 及び／又は P. aphanidermatum/L. perenne ＤＮＡ調製物を無菌二重蒸留Ｈ2Ｏにおいて１：１０及び１：１００に希釈し、これらの鋳型希釈液を上記のようにＡＲＭＳ／Ｓｃｏｒｐｉｏｎアッセイにおいて試験した。それぞれの鋳型希釈液をプライマーのＰｔ１２９−Ａ１４、Ｐｔ１２９−Ｃ４、及びＰｔ１２９−Ｓ４を用いて試験し；野生型及び突然変異体のプラスミドＤＮＡと水のみの対照も、それぞれ陽性及び陰性の対照として含めた。
【実施例９】
【０３１４】
P. aphanidermatum 単離物中のＦ１２９及びＬ１２９対立遺伝子の検出が可能なＡＲＭＳ／Ｓｃｏｒｐｉｏｎアッセイの設計
Ｆ129をＬ129へ変換させることが可能な他の一塩基多型を検出するためには、コドン１２９の１位だけ（即ち、１位にチミン若しくはシトシンの残基が存在するかどうか）を識別することが可能なセンスＡＲＭＳオリゴ対／アンチセンスＳｃｏｒｐｉｏｎの組合せを使用することが可能である。同様に、コドン１２９の３位にあるすべての可能な残基（即ち、チミン、シトシン、アデニン、又はグアニン残基）を識別することが可能なアンチセンスＡＲＭＳオリゴ対／センスＳｃｏｒｐｉｏｎの組み合わせは、Ｌ129仲介性の耐性をもたらし得る、代替可能な３位での置換を検出することが可能である。これらの１位及び３位アッセイはまた、組み合わせると、Ｆ129のＬ129への変換（コドン：ＣＴＡ及びＣＴＧ）をもたらす可能性がある、二重突然変異のレベルを評価する手段を提供する。
【０３１５】
センスＡＲＭＳオリゴ対／アンチセンスＳｃｏｒｐｉｏｎの組合せは、先に実施例４において説明したＳｃｏｒｐｉｏｎプライマー設計を利用することが可能であり、ここでは、検出系が以下のＳＮＰ検出ＡＲＭＳプライマー及び対照プライマーと組み合わせて使用される逆向きＰＣＲプライマーに取り込まれる。
【０３１６】
【化５】
2004533230.tif 000047
【０３１７】
上記ＡＲＭＳプライマーのそれぞれにおいては、−１塩基（プライマー配列の３’末端塩基）が標的の点突然変異部位に対応する。太字で表した塩基が、野生型 P. aphanidermatum シトクロムｂ配列と異なる。Ｐｔ１２９−７及びＰｔ１２９−１０のプライマーにおいては、−２位をＴからＡへ変化させる。Ｐｔ１２９−８及びＰｔ１２９−１１のプライマーにおいては、−２位をＴからＧへ変化させる。Ｐｔ１２９−９及びＰｔ１２９−１２のプライマーにおいては、−２位をＴからＣへ変化させる。この配列へのこれらの改変もまた、鋳型／プライマーハイブリッドを不安定にし、プライマー伸長を対応する鋳型により特異的にする。実施例４に記載のアンチセンスＳｃｏｒｐｉｏｎとともに使用すると、生じるアンプリコンはＡＲＭＳプライマーで１７４ｂｐの長さであり、対照プライマーで１７６ｂｐの長さであろう。
【０３１８】
アンチセンスＡＲＭＳオリゴ対／センスＳｃｏｒｐｉｏｎの組み合わせを使用してコドン１２９の３位でアデニン、チミン、シトシン、又はグアニン残基を検出するためには、センス（前向き）ＰＣＲプライマーに検出系が取り込まれる、先の実施例６に説明したセンスＳｃｏｒｐｉｏｎプライマーを以下のＳＮＰ検出アンチセンス（逆向き）ＡＲＭＳプライマーと対照プライマーと組み合わせて利用することが可能である。
【０３１９】
【化６】
2004533230.tif 000048
【０３２０】
上記ＡＲＭＳプライマーのそれぞれにおいては、−１塩基（プライマー配列の３’末端塩基）が標的の点突然変異部位に対応する。太字で表した塩基は、野生型 P. aphanidermatum シトクロムｂ配列と異なる。Ｐｔ１２９−１３及びＰｔ１２９−１６のプライマーにおいては、−２位をＡからＴへ変化させる。Ｐｔ１２９−１４及びＰｔ１２９−１７のプライマーにおいては、−２位をＡからＧへ変化させる。Ｐｔ１２９−１５及びＰｔ１２９−１８のプライマーにおいては、−２位をＡからＣヘ変化させる。Ｐｔ１２９−Ｃ４のプライマーにおいては、−３位をＴからＡへ変化させる。Ｐｔ１２９−Ａ４のプライマーにおいては、−３位をＴからＣへ変化させ、−５位をＧからＴへ変化させる。この配列へのこれらの改変は、鋳型／プライマーハイブリッドを不安定にし、プライマー伸長を対応する鋳型により特異的にする。上記のセンスＳｃｏｒｐｉｏｎプライマーを用いると、生じるアンプリコンはＡＲＭＳプライマーで１１０ｂｐの長さであり、対照プライマーで１１３ｂｐの長さであろう。
【０３２１】
プライマーはすべてＯｓｗｅｌ  ＤＮＡサービス（Ｌａｂ５００５，Medical and Biological Sciences Building, サウサンプトン）により合成することが可能である。プライマーは、使用前に、全量５００μｌの二重蒸留ヌクレアーゼフリーＨ2Ｏ中５μＭへそれぞれ希釈する。次いで、このプライマーをＰＣＲにおいて５００ｎＭの最終濃度へさらに希釈する。
【実施例１０】
【０３２２】
Ｑ0部位阻害性殺真菌剤への低下した感受性を示す、２つの新規 Plasmopara viticola サンプルの同定
２０００年の間、約３００種の P. viticola のサンプルをヨーロッパ全体の野外地域から採取した。これらを、Ｑ0部位阻害性殺真菌剤への低下した感受性をモニターする in planta 識別用量バイオアッセイと、さらにＡＲＭＳ／Ｓｃｏｒｐｉｏｎ  Ｇ１４３Ａ定量的ＰＣＲアッセイ（国際特許出願公報ＷＯ００／６６７７３号を参照のこと）の両方で試験した。Ｑ0Ｉへの耐性は、（S. cerrivisaeの 番号付けシステムによる）１４３位のアラニンアミノ酸の存在に通常関連していることが示された。シトクロムｂの１４３位でのこのグリシンからアラニンアミノ酸への変化は、コドン１４３の第二位でのグアニンのシトシンへの一塩基多型により引き起こされ；ＳＮＰのレベルをこのアッセイにおいてモニターする。このモニタリング・プログラムの間に、in planta 識別用量バイオアッセイではＱ0Ｉへの低下した感受性を示すが、１４３位は野生型のグリシンアミノ酸である２つのサンプル、Ｉ１１２及びＩ１１６ｂを見出した。これらをさらに検討した。
【０３２３】
識別用量バイオアッセイで検出されたＱ0Ｉへの低下した感受性を確認するために、これらのサンプルに対して、in planta 用量応答バイオアッセイを行った。in planta 用量応答バイオアッセイは、１．５’’鉢において生長させた１０〜１４日齢のブドウ種苗で実施した。この用量応答バイオアッセイにおいてアゾキシストロビンへの感受性のシフトを示すのに最も適したものとして、予備試験から６種のアゾキシストロビンの比率を選択した（表３１）。
【０３２４】
【表４２】
2004533230.tif 000049
【０３２５】
すべての試験に使用したアゾキシストロビン調製物は、９７％を超えるアゾキシストロビンの純度を有するテクニカル・グレードの粉末、Ｐ５３であった、これをすべての試験にわたって一定に保ち、化学純度や物理状態における違いにより引き起こされる変動を排除した。各サンプルのそれぞれのアゾキシストロビン比率について５つの種苗を使用し、アゾキシストロビンのない対照（脱イオン水のみ噴霧する）については１０の種苗を使用した。
【０３２６】
Ｄｅｖｉｌｂｉｓｓ吹き付け器を１０ｐｓｉで用いて、アゾキシストロビン濃度の局部濃淡を防ぐために吹き付け器中の溶液を絶えずかき混ぜるように留意しながら、この化学薬品がそれぞれの種苗の第二本葉（試験葉）の向軸面に最も多く保持されるように噴霧した。次いで、この種苗を、生育室（昼間：２４℃，６０％  ＲＨ，４−５０００ルクス；夜間：１７℃，９５％  ＲＨ；日照時間：１６時間）に２４時間注意深く放置した。
【０３２７】
この時間の後で、各試験葉にサンプルＩ１１２及びＩ１１６ｂを接種した。いずれのサンプルも、低温保存から移されてより、３’’ブドウでの１サイクルの継代培養により継代した（図１４）。３’’ブドウから入手した各サンプルからの接種物を、乾燥血球計（改良型Ｎｅｕｂａｙｅｒ，深さ０．１ｍｍ，１／４００ｍｍ2，Ｈａｗｋｓｌｅｙ  Ｃｒｙｓｔａｌｌｉｔｅ，ＢＳ７４８）を使用して、１ｍｌにつき５，０００個の胞子嚢へ希釈した。
【０３２８】
Ｄｅｖｉｌｂｉｓｓ吹き付け器を１０ｐｓｉで用いて、胞子嚢が吹き付け器の底に蓄積しないように懸濁液を頻繁にかき混ぜながら、このサンプルがそれぞれの種苗の試験葉の向軸面に最も多く保持されるように接種した。この試験種苗を周囲温度室において２４時間インキュベートした。次いで、この種苗を無作為化し、生育室（昼間：２４℃，６０％  ＲＨ，４−５０００ルクス；夜間：１７℃，９５％  ＲＨ；日照時間：１６時間）に６日間放置してから、周囲温度室へさらに２４時間戻し、胞子形成を刺激した。
【０３２９】
種苗は、周囲温度室から二回目に出した直後に評価した。病気の評価は、胞子形成巣と脱色により覆われている葉の面積比に基づき、５％増分で記録した。病原体の完全な制御が示されていないことを明示する単一の小さな病巣のある葉には２％のスコアを与えた。次いで、このデータを、統計プログラムのＡＧＳＴＡＴを使用して解析した。解析にはＯＬＳ回帰と逆正弦変換を使用し、ＥＣ５０及びＥＣ９５の値をそのそれぞれの９５％信頼限界で算出し、以下の表３２に示す。
【０３３０】
【表４３】
2004533230.tif 000050
【０３３１】
Ｉ１１６ＢとＩ１１２のサンプルは、いずれもアゾキシストロビンへの低下した感受性を示し、感受性のあるベースライン単離物に比較してより高いＥＣ５０及びＥＣ９５の値であった。そこで、これらのサンプルをいずれも分子レベルで研究して、アゾキシストロビンへの低下した感受性の機序を検討した。
【実施例１１】
【０３３２】
P. viticola サンプルＩ１１２及びＩ１１６ｂのシトクロムｂ遺伝子の有向クローニングと配列決定：野生型と先に確定した耐性単離物からのそれとの比較
以下に記載される方法を使用して、P. viticola サンプルＩ１１２及びＩ１１６ｂ由来のｃｙｔ  ｂ遺伝子の特性決定を行った。
【０３３３】
P. viticola サンプルＩ１１２及びＩ１１６ｂを、以下の方法による分析用に調製した。胞子形成の綿毛のようなウドン粉病の症状を示しているブドウの葉をガラスビーカーに入れた。次いで、各サンプルへ約４００ｍｌの脱イオン水を加え、葉を渦状に振って胞子嚢を遊離させた。生じた胞子嚢の懸濁液を２層のモスリンに通して濾過してから、無菌プラスチック５０ｍｌ万能管へ注ぎ込み、ベンチトップ（benchtop）遠心分離機（ＭＳＥ，Ｃｅｎｔａｕｒ２）において４０００ｒｐｍで約２分間遠心分離した。２分後、各管の底に胞子嚢のペレットが見えた；上清をデカントして捨て、同量のペレットを一緒にし、１ｍｌの無菌脱イオン水に再懸濁した。次いで、この胞子嚢サンプルを１．５ｍｌ無菌ミクロ遠心分離管へ移し、１３０００ｒｐｍで１分間遠心分離した。上清を除去し、サンプルを必要とされるまで−８０℃に入れた。
【０３３４】
以下の変更を加えた製造業者のプロトコールに従ってＱｉａｇｅｎ  ＤＮｅａｓｙ植物ミニキット（カタログ番号６９０１４）を使用して、上記のサンプルからゲノムＤＮＡを単離した。４００μｌの緩衝液ＡＰ１と４μｌのＲＮアーゼＡ溶液を各サンプルへ加え、ペレットを再懸濁させた。次いで、この胞子嚢溶液を無菌２ｍｌミクロ遠心分離管へ移し、鋼鉄球を加え、Ｓｐｅｘ  Ｃｅｒｔｉｐｒｅｐ  ８０００ミキサーミル（グレンクレストン社）において１０分間振り混ぜて、サンプルを粉砕した。次いで、上清を１．５ｍｌミクロ遠心分離管へ移し、Ｑｉａｇｅｎ  ＤＮｅａｓｙ植物ミニキットプロトコールの工程３〜１３に従うことによってＤＮＡ調製を完了させ、２ｘ１００μｌのＡＥ緩衝液を用いて最終ゲノムＤＮＡ溶出を行った。
【０３３５】
次いで、シトクロムｂ遺伝子のＰＣＲ増幅のために、両方のゲノムＤＮＡ調製物の１０倍系列希釈を無菌の二重蒸留Ｈ2Ｏを使用して行って以下の希釈物；１：１０、１：１００、及び１：１０００を得て、これらをＰＣＲにおける鋳型としてすべて使用した。
【０３３６】
プライマー対１７／１５を使用して、単離物Ｉ１１２及びＩ１１６ｂから、シトクロムｂ遺伝子の「ホットスポット」領域をＰＣＲ増幅した。
プライマー１７＝５’ＡＡＡＴＡＡＣＧＧＴＴＧＧＴＴＡＡＴＴＣＧ３’
プライマー１５＝５’ＴＣＴＴＡＡＡＡＴＴＧＣＡＴＡＡＡＡＡＧＧ３’
これらのプライマーは、P. viticola ｃｙｔ  ｂ遺伝子に特異的であり、アミノ酸７３〜２８３をカバーする。この領域には、モデル生物においてＱ0Ｉへの耐性を与えることが文献に知られている、２９２位を除くすべてのアミノ酸の位置が含まれる。
【０３３７】
ＰＣＲは、Ｒｅａｄｙ．Ｔｏ．Ｇｏ（登録商標）Ｔａｑ  ポリメラーゼＰＣＲビーズ（アマーシャム・ファルマシア・バイオテック）を使用して調整した。各ＰＣＲビーズに対し、１０μｌの鋳型、２．５μｌの前向きプライマー１７、２．５μｌの逆向きプライマー１５（いずれも１０ピコモル／μｌの濃度）を加えて１ピコモル／μｌの最終濃度とし、１０μｌの二重蒸留Ｈ2Ｏを加えて全反応量２５μｌとした。ＰＣＲサイクル処理条件は以下の通りであった：９４℃１０分間の開始インキュベーションに続く、９４℃４５秒間、５２℃４５秒間、及び７２℃１分３０秒間の３０サイクル。完結させるには、７２℃で１０分間の最終伸長工程があった。ＰＣＲ産物を１％  ＴＢＥアガロースゲル上で視覚化すると、予測されるサイズ（約６００ｂｐ）の産物が（水のみの対照を除く）すべてのレーンに存在していた。
【０３３８】
各サンプルから、即ち１：１０、１：１００、及び１：１０００の鋳型ＤＮＡ希釈液からの３つのＰＣＲ産物をプールし、これらの混合物を、製造業者の指示書に従ってＩｎｖｉｔｒｏｇｅｎのＴＯＰＯ  ＴＡ  クローニングキット（Ｋ４５００−０１）を使用して、ベクターｐＣＲ２．１−ＴＯＰＯへクローニングした。各サンプルから１６個のコロニーをプラスミドミニ調製（minipreps）のために摘出した。ミニ調製は、Ｑｉａｇｅｎ  Ｂｉｏｒｏｂｏｔで行った。次いで、プラスミドＤＮＡをＥｃｏＲ１で消化し、その消化産物を１％  ＴＢＥアガロースゲル上で視覚化し、どのサンプルが正しいサイズのインサートを含有するかを確定した。次いで、各サンプル由来の、予測されるサイズのインサートを有する１０個のクローンをＭ１３前向き及び逆向きプライマーを使用して配列決定した（ＡＢＩ３７７ＸＬ自動化シークエンサーを使用して配列決定した）。適正なバイオインフォマティクスソフトウェア、Ｓｅｑｍａｎ、Ｅｄｉｔｓｅｑ、及びＭａｃａｗを使用して、配列データを解析した。
【０３３９】
各サンプル、Ｉ１１２及びＩ１１６ｂの演繹されたシトクロムｂ遺伝子配列を、以前にに決定された既知の野生型及び耐性 P. viticola ｃｙｔ  ｂ配列と比較した。ヌクレオチド及びアミノ酸の並置を図１５及び１６に示すが、アミノ酸配列は、遺伝暗号（ＮＣＢＩ命名法）に記載される「糸状菌、原生動物、及び腔腸動物ミトコンドリアのコード−第４号」を使用して予測した：
http://www3.ncbi.nlm.nih.gov/htbin-post/Taxonomy/wprintgc?mode=t
この分析からの重要点は以下であった：
・Ｉ１１２−全部で１０個のクローンからのシトクロムｂ配列は、野生型配列に比較して、コドン１２９の第一位でのＴからＣヘの一塩基多型（ＳＮＰ）を示した。これは１２９位でアミノ酸ロイシンをコードした。すべてのクローンは１４３位に野生型のアミノ酸をコードし、他の点突然変異は存在しなかった。野生型１２９＝ＴＴＴ（フェニルアラニン、Ｆ）。突然変異体１２９＝ＣＴＴ（ロイシン、Ｌ）。
【０３４０】
・Ｉ１１６ｂ−配列決定した１０個のクローンのうち４個のクローンは同一であり、これらは、１４３位でグリシンを、１２９位でフェニルアラニンをコードする既知の野生型 P. viticola 配列に同一であった。配列決定した１０個のクローンからの他の６個のクローンも同一であった。これらはいずれも１２９位でアミノ酸ロイシンをコードした。これもまたコドン１２９の第一位でのＴからＣヘのＳＮＰによる。これら６個のクローンは１４３位に野生型のアミノ酸グリシンをコードし、他の点突然変異は存在しなかった。
【０３４１】
・サンプルＩ１１２及びＩ１１６ｂの１２９位でのフェニルアラニンからロイシンへのアミノ酸変化は、これらが in planta バイオアッセイにおいてアゾキシストロビンに対して最大の用量応答を示したので、ストロビルリンへの耐性に関連している可能性がある。
【０３４２】
・ＦからＬへのアミノ酸変化を与える一塩基多型（ＳＮＰ）が P. viticola において見られたのはこれが初めてである。
・しかしながら、Ｆ１２９Ｌアミノ酸変化は、以前に P. aphanidermatum の野外単離物において観察されていて、Ｑ0部位阻害性殺真菌剤への耐性と関連があることが示された（上記参照）。
【０３４３】
・これら２つの病原体では、Ｆ１２９Ｌアミノ酸変化が異なるＳＮＰにより引き起こされた：
P. viticola          ＴＴＴからＣＴＴへ
P. aphanidermatum    ＴＴＣからＴＴＡへ
この結果をより詳しく考察すると、サンプルＩ１１２では、１０個のクローンのうち９個が同一の配列を有し、１つのクローンが２塩基異なる他の配列を有していた。これらはまた、ＰＣＲに取り込まれるエラーによる可能性もある。サンプルＩ１１６ｂでは、同一の配列を与える４個のクローンのうち１つが４塩基異なる他の配列の違いを有し、同一の配列を与える６個のクローンのうち１つが１０塩基異なる他の配列の違いを有していた。これらは、不明瞭な配列決定の痕跡によるものである。これらを図ｆに示す。
【実施例１２】
【０３４４】
野生型 P. viticola とＩ１１２及びＩ１１６ｂサンプルに見出されるＦ１２９及びＬ１２９対立遺伝子を識別することが可能なＡＲＭＳプライマーの設計
実施例１１に従って入手した、野生型 P. viticola とサンプルＩ１１２及びＩ１１６ｂの配列を利用して、このＦ１２９Ｌ突然変異の存在又は非存在を検出するために様々な特定のＡＲＭＳプライマーを設計した：
【０３４５】
【化７】
2004533230.tif 000051
【０３４６】
上記ＡＲＭＳプライマーのそれぞれにおいては、−１塩基（プライマー配列の３’末端塩基）が標的の点突然変異部位に対応する。太字で表した塩基は、野生型 P. viticola シトクロムｂ配列と異なる。ＰＶ１２９−Ｔ１及びＰＶ１２９−Ｃ１のプライマーにおいては、（逆向き相補体において）−２位をＡからＴ塩基へ変化させた。ＰＶ１２９−Ｔ２及びＰＶ１２９−Ｃ２のプライマーにおいては、（逆向き相補体において）−２位をＡからＣ塩基へ変化させた。ＰＶ１２９−Ｔ３及びＰＶ１２９−Ｃ３のプライマーにおいては、（逆向き相補体において）−２位をＡからＧ塩基へ変化させた。ＰＶ１２９−Ｔ４及びＰＶ１２９−Ｃ４のプライマーにおいては、（逆向き相補体において）−３位をＡからＴ塩基へ変化させた。ＰＶ１２９−Ｔ５及びＰＶ１２９−Ｃ５のプライマーにおいては、（逆向き相補体において）−３位をＡからＣ塩基へ変化させた。ＰＶ１２９−Ｔ６及びＰＶ１２９−Ｃ６のプライマーにおいては、（逆向き相補体において）−３位をＡからＧ塩基へ変化させた。先の記載のように、この配列へのこれらの改変は、P. viticola シトクロムｂ遺伝子の鋳型／プライマーハイブリッドを不安定にし、プライマー伸長を対応する鋳型により特異的にした。文献の例は、ＡＲＭＳプライマーを不安定化することにより、間違った鋳型に対するプライマーミスプライミングのリスクが減少することを示している（Newton et al, Nucleic Acid Research 17 (7) 2503-2516 1989）。
【０３４７】
プライマーはすべてＯｓｗｅｌ  ＤＮＡサービス（Ｌａｂ５００５，Medical and Biological Sciences Building, サウサンプトン）により合成された。プライマーは、使用前に、全量５００μｌの二重蒸留ヌクレアーゼフリーＨ2Ｏ中５μＭへそれぞれ希釈した。次いで、このプライマーをＰＣＲにおける５００ｎＭの最終濃度へさらに希釈した。
【実施例１３】
【０３４８】
P. viticola のＦ１２９及びＬ１２９対立遺伝子状況をモニターすることに使用のＳｃｏｒｐｉｏｎプライマーの設計
再び、実施例１１に従って入手した、野生型 P. viticola とサンプルＩ１１２及びＩ１１６ｂのシトクロムｂ遺伝子の配列を利用して、実施例１２に記載のＡＲＭＳ  ＳＮＰ検出及び標準のプライマーとの使用のために設計した前向きＰＣＲプライマーへこの検出系を取り込ませることによって、野生型及びＬ１２９の対立遺伝子の選択増幅を検出するためにＳｃｏｒｐｉｏｎTMオリゴヌクレオチドを設計した。生じたアンプリコンは、ＡＲＭＳプライマーで１６１ｂｐの長さであり、対照プライマーで１６４ｂｐの長さであった。
【０３４９】
特に、Ｓｃｏｒｐｉｏｎプライマーは、Ｏｌｉｇｏ５及びＭＦｏｌｄのプログラムを使用して設計した（ＭＦｏｌｄは、Ｚｕｃｋｅｒのエネルギー最小化法（Zucker, M. (1989) Science 244, 48-52; SantaLucia, J. Jr. (1998) Proc. Natl. Acad. Sci. USA 95, 1460-1465）を使用してＲＮＡ若しくはＤＮＡ分子について最適及び次善の二次構造を予測する）。
【０３５０】
生じた P. viticola Ｓｃｏｒｐｉｏｎプライマーの配列は：
【０３５１】
【化８】
2004533230.tif 000052
【０３５２】
であった。ここで、下線を施した領域はヘアピン形成部分（Ｓｃｏｒｐｉｏｎプライマーが反応しない場合）であり；ＦＡＭはフルオレセイン色素であり；ＭＲ（メチルレッド）はウラシル残基へ付いた非蛍光産生消光物質であり、そしてＨＥＧは複製を遮断するヘックスエチレングリコールモノマーである。イタリック体の配列は逆向きプライマー配列であり、太字の配列は、この逆向きプライマーの忠実な P. viticola ｃｙｔ  ｂ伸長産物へ結合するＳｃｏｒｐｉｏｎ配列である。
【０３５３】
このＳｃｏｒｐｉｏｎプライマーのステムループ二次構造は、ＭＦｏｌｄプログラムを使用して視覚化することが可能であり（図１７を参照のこと）、標的ｃｙｔ  ｂ遺伝子へハイブリダイズしないときは−２．３ｋｃａｌ／モルのエネルギーを有すると予測される。しかしながら、伸長産物の存在下では、このヘアピン構造が分離し、このときＳｃｏｒｐｉｏｎプライマーのプローブ配列は、−５．１ｋｃａｌ／モルの予測エネルギーで伸長産物へハイブリダイズする。これによりＦＡＭ色素がその消光物質から離れ、例えばＡＢＩ  Ｐｒｉｓｍ  ７７００機器により検出可能な蛍光の放出を引き起こす。故に、新たに合成される鎖へのＳｃｏｒｐｉｏｎ要素のアニーリングは、Ｓｃｏｒｐｉｏｎステムループに比較して、エネルギー的に好ましい。
【０３５４】
ＳｃｏｒｐｉｏｎプライマーはＯｓｗｅｌ  ＤＮＡサービス（Ｌａｂ５００５，Medical and Biological Sciences Building, サウサンプトン）により合成された。このプライマーは、使用前に、全量５００μｌの二重蒸留ヌクレアーゼフリーＨ2Ｏ中５μＭへ希釈した。次いで、このプライマーをＰＣＲにおける５００ｎＭの最終濃度へさらに希釈した。
【実施例１４】
【０３５５】
サンプルＩ１１２及びＩ１１６ｂに見出されるＦ１２９Ｌ  ＳＮＰの検出及び定量へのＡＲＭＳ及びＳｃｏｒｐｉｏｎプライマーの使用のバリデーション
すべてのＡＲＭＳ／ＳｃｏｒｐｉｏｎTMＦ１２９Ｌ  ＳＮＰ検出アッセイにおいて、ＡｍｐｌｉＴａｑ  Ｇｏｌｄ酵素（アプライド・バイオシステムズ）を１ユニット／２５μｌ反応液で反応混合物に含める。この反応混合物には、１ｘ緩衝液（１０ｍＭ  Ｔｒｉｓ−ＨＣｌ（ｐＨ８．３），５０ｍＭ  ＫＣｌ，３．５ｍＭ  ＭｇＣｌ2，０．０１％  ゼラチン）と１００μＭ  ｄＮＴＰｓ（アマーシャム・ファルマシア・バイオテック）も含まれる。連続蛍光モニタリング用のＡＢＩ  ７７００機器において増幅を実施する。サイクル処理条件は、９５℃，１０分間の予備サイクルに続き、９５℃１５秒間及び６０℃４５秒間の５０サイクルを含む。すべてのサイクルを通してアニーリング／伸長段階の間、蛍光をモニターする。
【０３５６】
様々な濃度のプラスミドＤＮＡを鋳型として使用することによって、そのような分析における使用についてＡＲＭＳプライマーを実証（validate）する。これを実施するのは、プライマー設計の特異性及び感度をチェックするためである。一部野生型シトクロムｂ遺伝子配列と、２つの P. viticola サンプルから増幅されるＦ１２９Ｌ突然変異を含有する対応領域を、実施例１１にすでに記載のようにＴＡ  ｐＣＲ２．１ベクター（Ｉｎｖｉｔｒｏｇｅｎ）へクローニングした。Ｑｉａｇｅｎ  ＢｉｏｒｏｂｏｔプラスミドＤＮＡ調製物（Ｑｉａｇｅｎ）（実施例１１を参照のこと）用に摘出した各クローニング結果からの１０個の形質転換体に由来する、１５０μｌの細菌培養物を上記の調製を行う前に取っておき、４℃で保存した。配列解析の後で、コンセンサス配列との配列の違いを含まない野生型及び突然変異体のプラスミドＤＮＡサンプルに注目した。これらの野生型及び突然変異体のプラスミドＤＮＡ配列の起源となった細菌培養物を、製造業者のプロトコールに従って、プラスミドＤＮＡ  ｍａｘｉｐｒｅｐｓ（Ｑｉａｇｅｎ）のために摘出した。生じたプラスミドＤＮＡを定量し、無菌二重蒸留Ｈ2Ｏを使用して、１μｇ／μｌ（２ｘ１０11分子／μｌ）の濃度へ希釈した。
【０３５７】
野生型及び突然変異体のｃｙｔ  ｂプラスミドＤＮＡ構築体を、無菌二重蒸留Ｈ2Ｏ中１０ｐｇ／μｌ（又は２ｘ１０6分子／μｌ）の濃度へさらに希釈し、ＡＲＭＳプライマーの特異性を実証するための鋳型として使用した。それぞれのＡＲＭＳプライマーを、上記に記載のＰＣＲ条件の下で、野生型及び突然変異体のプラスミドＤＮＡ鋳型、並びに鋳型なし（水のみ）の対照について試験した。この結果を表３３に示す。
【０３５８】
【表４４】
2004533230.tif 000053
【０３５９】
適正な鋳型と不適正な鋳型での増幅の間で最大のウィンドウ（ΔＣｔ）を与えたのは、Ｆ１２９選択ＡＲＭＳプライマーのＰＶ１２９−Ｗｔ６であり、適正な鋳型と不適正な鋳型での増幅の間で二番目に大きいウィンドウ（ΔＣｔ）を与えたのは、Ｌ１２９選択ＡＲＭＳプライマーのＰＶ１２９−Ｍｕｔ５であったが、正しい鋳型に対して最も早いＣｔを与えるものをさらなる分析のために選択した。
【０３６０】
点突然変異の検出用の野生型ＡＲＭＳプライマーＰＶ１２９−Ｔ６と突然変異体ＡＲＭＳプライマーＰＶ１２９−Ｃ５の選択に続き、Ｌ１２９突然変異の存在について生物学的サンプルを検査するために使用することが可能になる前には、その検出の感度を十分に理解するためにこのアッセイはさらなるバリデーションを必要とした。最初に、選択したＡＲＭＳプライマー対のＰＶ１２９−Ｔ６及びＰＶ１２９−Ｃ５を、野生型（Ｆ１２９）及び突然変異体（Ｌ１２９）プラスミドＤＮＡ鋳型の１０倍希釈系列により試験して、特異性ウィンドウが鋳型濃度とともにどう変動するかを調べた。先述の野生型及び突然変異体のプラスミドＤＮＡカセットをウシ血清アルブミン（ＢＳＡ）（分画Ｖ粉末、最小値９６％、シグマ  Ａ９６４７）において１ｍｇ／ｍｌから、６オーダーの大きさの範囲にわたり２ｘ１０8分子／μｌ〜２ｘ１０2分子／μｌの範囲をカバーする、１０倍希釈系列の濃度に希釈した。プラスミドＤＮＡ鋳型と鋳型なし（水のみ）対照の両方を、上記に記載のように、選択したＡＲＭＳプライマーと対照プライマーを使用するＡＲＭＳ／Ｓｃｏｒｐｉｏｎアッセイにおいて試験した。その結果を表３４及び３５に示す。
【０３６１】
【表４５】
2004533230.tif 000054
【０３６２】
【表４６】
2004533230.tif 000055
【０３６３】
Ｆ１２９及びＬ１２９対立遺伝子選択プライマーのＰＶ１２６−Ｗｔ６及びＰＶ１２９−Ｍｕｔ５では、全体の鋳型濃度範囲にわたり、特異性の範囲が一定であった。
第二のバリデーション試験は、選択したＦ１２９及びＬ１２９対立遺伝子選択プライマーであるＰＶ１２９−Ｗｔ６及びＰＶ１２９−Ｍｕｔ５の検出の感度を試験することに関連した。２ｘ１０7分子／μｌの濃度のＬ１２９対立遺伝子含有プラスミドＤＮＡを、２ｘ１０7分子／μｌの一定濃度のＦ１２９対立遺伝子含有プラスミドＤＮＡバックグラウンドへ希釈して、以下の比率を得た：１：１、１：１０、１：１００、１：１，０００、１：１０，０００、及び１：１００，０００のＬ１２９：Ｆ１２９対立遺伝子。ＰＣＲにおける最終プラスミド濃度は１ｘ１０8分子／μｌである。プライマーのＰＶ１２９−Ｗｔ６、ＰＶ１２９−Ｍｕｔ５について、野生型プラスミド、突然変異体プラスミド、及び水のみの対照とともに、上記のように、このアッセイにおいてこれらを試験した。この結果は表３６に示される通りである。
【０３６４】
【表４７】
2004533230.tif 000056
【０３６５】
故に、この結果は、プライマーＰＶ１２９−Ｍｕｔ５（Ｌ１２９対立遺伝子選択プライマー）が不適正な鋳型へ結合するより前に、このアッセイが、Ｆ１２９対立遺伝子（野生型）のバックグラウンドにあるＬ１２９対立遺伝子（突然変異体）のレベルを１：１０００００で検出することが可能であることを示す。
【実施例１５】
【０３６６】
P. viticola のＦ１２９及びＬ１２９対立遺伝子状況をモニターすることに使用のＳｃｏｒｐｉｏｎプライマーの設計のさらなる試行
P. viticola におけるＦ１２９Ｌ  ＳＮＰの検出についてのＡＲＭＳ／Ｓｃｏｒｐｉｏｎアッセイからの結果は、いずれも、高濃度のプラスミドＤＮＡからＰＣＲ産物を検出するときでさえ低い蛍光を示した。このことにより、このアッセイでは低濃度のＤＮＡ鋳型からはＰＣＲ産物の信頼し得ない検出がもたらされる可能性がある。故に、Ｓｃｏｒｐｉｏｎプライマーを上記のように再設計した。
【０３６７】
生じた P. viticola Ｓｃｏｒｐｉｏｎプライマーの配列は：
【０３６８】
【化９】
2004533230.tif 000057
【０３６９】
であった。ここで、下線を施した領域はヘアピン形成部分（Ｓｃｏｒｐｉｏｎプライマーが反応しない場合）であり；ＦＡＭはフルオレセイン色素であり；ＭＲ（メチルレッド）はウラシル残基へ付いた非蛍光産生消光物質であり、そしてＨＥＧは複製を遮断するヘックスエチレングリコールモノマーである。イタリック体の配列は前向きプライマー配列であり、太字の配列は、この前向きプライマーの忠実な P. viticola ｃｙｔ  ｂ伸長産物へ結合するＳｃｏｒｐｉｏｎ配列である。
【０３７０】
このＳｃｏｒｐｉｏｎプライマーのステムループ二次構造は、ＭＦｏｌｄプログラムを使用して視覚化することが可能であり、標的ｃｙｔ  ｂ遺伝子へハイブリダイズしないときは−１．３ｋｃａｌ／モルのエネルギーを有すると予測される。しかしながら、伸長産物の存在下では、このヘアピン構造が分離し、このときＳｃｏｒｐｉｏｎプライマーのプローブ配列は、−４．５ｋｃａｌ／モルの予測エネルギーで伸長産物へ結合する。これによりＦＡＭ色素がその消光物質から離れ、例えばＡＢＩ  Ｐｒｉｓｍ  ７７００機器により検出可能な蛍光の放出を引き起こす。故に、新たに合成される鎖へのＳｃｏｒｐｉｏｎ要素のアニーリングは、Ｓｃｏｒｐｉｏｎステムループに比較して、エネルギー的に好ましい。
【０３７１】
ＳｃｏｒｐｉｏｎプライマーはＯｓｗｅｌ  ＤＮＡサービス（Ｌａｂ５００５，Medical and Biological Sciences Building, サウサンプトン）により合成された。このプライマーは、使用前に、全量５００μｌの二重蒸留ヌクレアーゼフリーＨ2Ｏ中５μＭへ希釈した。次いで、このプライマーをＰＣＲにおける５００ｎＭの最終濃度へさらに希釈した。
【実施例１６】
【０３７２】
P. viticola におけるＦ１２９Ｌ  ＳＮＰの検出及び定量へのＡＲＭＳ及びＳｃｏｒｐｉｏｎプライマーの使用のさらなるバリデーション
このアッセイの検出の感度を理解するために、実施例１５に記載のＳｃｏｒｐｉｏｎプライマーを、実施例１４に記載の先に選択したＡＲＭＳプライマーと組み合わせて、以下のバリデーション試験に使用した。最初に、選択したＡＲＭＳプライマー対のＰＶ１２９−Ｔ６及びＰＶ１２９−Ｃ５を、野生型（Ｆ１２９）及び突然変異体（Ｌ１２９）プラスミドＤＮＡ鋳型の１０倍希釈系列により試験して、特異性ウィンドウが鋳型濃度とともにどう変動するかを調べた。先述の野生型及び突然変異体のプラスミドＤＮＡカセットをウシ血清アルブミン（ＢＳＡ）（分画Ｖ粉末、最小値９６％、シグマ  Ａ９６４７）において１ｍｇ／ｍｌから、６オーダーの大きさの範囲にわたり２ｘ１０8分子／μｌ〜２ｘ１０2分子／μｌの範囲をカバーする、１０倍希釈系列の濃度に希釈した。プラスミドＤＮＡ鋳型と鋳型なし（水のみ）対照の両方を、上記に記載のように、選択したＡＲＭＳプライマーと対照プライマーを使用するＡＲＭＳ／Ｓｃｏｒｐｉｏｎアッセイにおいて試験した。この結果を表３７及び３８に要約する。
【０３７３】
【表４８】
2004533230.tif 000058
【０３７４】
【表４９】
2004533230.tif 000059
【０３７５】
Ｆ１２９及びＬ１２９対立遺伝子選択プライマーのＰＶ１２６−Ｗｔ６及びＰＶ１２９−Ｍｕｔ５では、最低の鋳型濃度を除く全体の鋳型濃度範囲にわたり、特異性の範囲が一定であった。
【０３７６】
第二のバリデーション試験は、選択したＦ１２９及びＬ１２９対立遺伝子選択プライマーのＰＶ１２９−Ｗｔ６及びＰＶ１２９−Ｍｕｔ５を、実施例１５に記載のＳｃｏｒｐｉｏｎプライマーで検出することの感度を試験することに関連した。実施例１４に記載のように実験を行って、結果を表３９に示す。
【０３７７】
【表５０】
2004533230.tif 000060
【０３７８】
故に、この結果は、プライマーＰＶ１２９−Ｍｕｔ５（Ｌ１２９対立遺伝子選択プライマー）が不適正な鋳型へ結合するより前に、このアッセイが、Ｆ１２９対立遺伝子（野生型）のバックグラウンドにあるＬ１２９対立遺伝子（突然変異体）のレベルを１：１０００００で検出することが可能であることを示す。
【０３７９】
第三のバリデーション実験は、好ましいＡＲＭＳプライマー群が同一の効率で増幅するかどうかを試験するために設計した。増幅の効率がほぼ同じであることを確実にすることが重要であるのは、２つのプライマー間のＣｔにおける差が、サンプル中の耐性対立遺伝子の頻度に直接対応するからである。このことを試験するための１つの方法は、ΔＣｔが鋳型濃度とともにどう変動するかを比較することである。ＤＮＡ投入量の対数をΔＣｔに対してプロットすると、生じる傾きは０．１未満であるべきである。これを実施例８に記載のように行った。鋳型の希釈液を、野生型及び突然変異体のプラスミドＤＮＡと水のみの対照とともに、Ｆ１２９及びＬ１２９対立遺伝子特異的プライマーのＰＶ１２９−Ｗｔ６及びＰＶ１２９−Ｍｕｔ５と実施例１５に記載のＳｃｏｒｐｉｏｎプライマーで試験した。
【０３８０】
【表５１】
2004533230.tif 000061
【０３８１】
ＣｔをＤＮＡ鋳型濃度の対数に対してプロットし、Ｅｘｃｅｌを使用して、線の傾きを算出した。この線の傾きが０．１未満であったので、ＡＲＭＳプライマーのＰＶ１２９−Ｍｕｔ５及びＰＶ１２９−Ｗｔ６は、ほとんど同一の効率で増幅する（図１８）。
【０３８２】
第四のバリデーション実験を、宿主植物のＤＮＡ（この場合は、ブドウのつる木のＤＮＡ）が、例えばＰＣＲにおける鋳型として作用することによって、このアッセイに影響を及ぼす可能性があるかを検討するために設計した。ブドウのＤＮＡは、感染性の葉の材料を採取して直接試験する場合に、どんなサンプルにも存在するものである。
【０３８３】
この試験を行うために、Ｑｉａｇｅｎ  ＤＮｅａｓｙ  植物ミニキットを使用してブドウ葉のサンプルからゲノムＤＮＡを抽出した（はじめに、１００ｍｇの材料を、鋼鉄球を含有する１．５ｍｌのミクロ遠心分離管において、Ｃｅｒｔｉｐｒｅｐミキサーミル中で１０分間の振り混ぜにより粉砕した）。生じたＤＮＡを二重蒸留Ｈ2Ｏにおける５倍系列希釈により希釈して、以下の濃度を得た：「無希釈（neat）」（ミニキット調製物から直接入手される）、１／５、１／２５、及び１／１２５（Ｈ2Ｏに対する植物ＤＮＡ）。Ｌ１２９対立遺伝子：Ｆ１２９対立遺伝子プラスミドＤＮＡの１：１００及び１：１０，０００の２つの混合物も（上記に記載されるように）調製した。これらのストック溶液を、植物材料の減少するバックグラウンドとともに混合し、以下のＰＣＲ投入物を得た：１：１００  Ｌ１２９対立遺伝子：Ｆ１２９対立遺伝子＋無希釈植物ＤＮＡ、１：１００  Ｌ１２９対立遺伝子：Ｆ１２９対立遺伝子＋１／５植物ＤＮＡ、１：１００  Ｌ１２９対立遺伝子：Ｆ１２９対立遺伝子＋１／２５植物ＤＮＡ、１：１００  Ｌ１２９対立遺伝子：Ｆ１２９対立遺伝子＋１／１２５植物ＤＮＡ、１：１０，０００  Ｌ１２９対立遺伝子：Ｆ１２９対立遺伝子＋無希釈植物ＤＮＡ、１：１０，０００  Ｌ１２９対立遺伝子：Ｆ１２９対立遺伝子＋１／５植物ＤＮＡ、１：１０，０００  Ｌ１２９対立遺伝子：Ｆ１２９対立遺伝子＋１／２５植物ＤＮＡ、１：１０，０００  Ｌ１２９対立遺伝子：Ｆ１２９対立遺伝子＋１／１２５植物ＤＮＡ。これらを、上記のように、植物ＤＮＡ希釈物、種々の比のＬ１２９対立遺伝子：Ｆ１２９対立遺伝子プラスミドＤＮＡのみ、野生型及び突然変異体のプラスミドＤＮＡ（２ｘ１０7分子／μｌの濃度）、及び水のみの対照とともに、このアッセイにおいて好ましいＡＲＭＳプライマーですべて試験した。この結果を、本実施例に記載されるバリデーション実験の記載に類似したやり方で解析した。
【０３８４】
バリデーションの最終段階は、生物学的サンプルについて、ＡＲＭＳプライマーのＰＶ１２９−ｍｕｔ５及びＰＶ１２９−ｗｔ６を試験することに関連した。この実施例に使用する生物学的サンプルは胞子嚢ペレットであった。３０枚のブドウ葉のサンプルから胞子嚢を洗浄して胞子嚢懸濁液とし、これを遠心分離して上清を除去し、胞子嚢ペレットを残した。（P. viticola が感染したブドウの葉も出発の生物学的材料として使用可能である）。１００ｍｇの生物学的材料を、実施例１１に記載のように、Ｓｐｅｘ  ＣｅｒｔｉＰｒｅｐ８０００  ミキサーミル（グレンクレストン社）を使用して粉砕した。次いで、やはり実施例１１に記載されるように、Ｑｉａｇｅｎ  ＤＮｅａｓｙ植物ミニキットを製造業者のプロトコールに従って使用して、ゲノムＤＮＡの調製を行った。
【０３８５】
生じたｇＤＮＡを無菌二重蒸留Ｈ2Ｏにおいて１：１０及び１：１００に希釈し、これらの鋳型希釈液を上記のようにＡＲＭＳ／Ｓｃｏｒｐｉｏｎアッセイにおいて試験した。それぞれの鋳型希釈液をＡＲＭＳプライマーのＰＶ１２９−ｍｕｔ５及びＰＶ１２９−ｗｔ６と対照プライマーで試験し；野生型及び突然変異体のプラスミドＤＮＡと水のみの対照も、それぞれ陽性及び陰性の対照として含めた。この結果を、本実施例に記載されるバリデーション実験の記載に類似したやり方で解析した。
【実施例１７】
【０３８６】
P. viticola 単離物中のＦ１２９及びＬ１２９対立遺伝子の検出が可能なＡＲＭＳ／Ｓｃｏｒｐｉｏｎアッセイの設計
Ｆ129をＬ129へ変換させることが可能な他の一塩基多型を検出するためには、コドン１２９の１位だけ（即ち、１位にチミン若しくはシトシンの残基が存在するかどうか）を識別することが可能なセンスＡＲＭＳオリゴ対／アンチセンスＳｃｏｒｐｉｏｎの組合せを使用することが可能である。同様に、コドン１２９の３位にあるすべての可能な残基（即ち、チミン、シトシン、アデニン、又はグアニン残基）を識別することが可能なアンチセンスＡＲＭＳオリゴ対／センスＳｃｏｒｐｉｏｎの組み合わせは、Ｌ129仲介性の耐性をもたらし得る、代替可能な３位での置換を検出することが可能である。これらの１位及び３位アッセイはまた、組み合わせると、Ｆ129のＬ129への変換（コドン：ＣＴＡ及びＣＴＧ）をもたらす可能性がある、二重突然変異のレベルを評価する手段を提供する。
【０３８７】
アンチセンスＡＲＭＳオリゴ対／センスＳｃｏｒｐｉｏｎの組合せは、前向きＰＣＲプライマーに検出系が取り込まれ、以下のＳＮＰ検出ＡＲＭＳプライマー及び対照プライマーと組み合わせて使用される、実施例１３において先に説明したＳｃｏｒｐｉｏｎプライマー設計を利用することが可能である。
【０３８８】
【化１０】
2004533230.tif 000062
【０３８９】
上記ＡＲＭＳプライマーのそれぞれにおいては、−１塩基（プライマー配列の３’末端）が標的の点突然変異部位に対応する。太字で表した塩基は、野生型 P. viticola シトクロムｂ配列と異なる。ＰＶ１２９−１、ＰＶ１２９−４、ＰＶ１２９−７、及びＰＶ１２９−１０のプライマーにおいては、−２位をＡからＴへ変化させる。ＰＶ１２９−２、ＰＶ１２９−５、ＰＶ１２９−８、及びＰＶ１２９−１１のプライマーにおいては、−２位をＡからＧへ変化させる。ＰＶ１２９−３、ＰＶ１２９−６、ＰＶ１２９−９、及びＰＶ１２９−１２のプライマーにおいては、−２位をＡからＣへ変化させる。この配列へのこれらの改変は、鋳型／プライマーハイブリッドを不安定にし、プライマー伸長を対応する鋳型により特異的にする。生じるアンプリコンはＡＲＭＳプライマーで１２６ｂｐの長さであり、対照プライマーで１２９ｂｐの長さであろう。
【０３９０】
プライマーはすべてＯｓｗｅｌ  ＤＮＡサービス（Ｌａｂ５００５，Medical and Biological Sciences Building, サウサンプトン）により合成することが可能である。プライマーは、使用前に、全量５００μｌの二重蒸留ヌクレアーゼフリーＨ2Ｏ中５μＭへそれぞれ希釈する。次いで、このプライマーをＰＣＲにおいて５００ｎＭの最終濃度へさらに希釈する。
【０３９１】
センスＡＲＭＳオリゴ対／アンチセンスＳｃｏｒｐｉｏｎの組合せを使用して、コドン１２９の１位にチミン若しくはシトシン残基を検出するために、もう１つのＳｃｏｒｐｉｏｎ設計を以下に説明する。再び、実施例１１に従って入手した、野生型 P. viticola とサンプルＩ１１２及びＩ１１６ｂのシトクロムｂ遺伝子の配列を利用して、逆向きＰＣＲプライマーに取り込まれた検出系を有するＳｃｏｒｐｉｏｎオリゴヌクレオチドを設計する；従って、このＳｃｏｒｐｉｏｎプライマーは、ＳＮＰ検出ＡＲＭＳプライマー及び対照プライマーとともに使用することが可能である。
【０３９２】
特に、Ｓｃｏｒｐｉｏｎプライマーは、Ｏｌｉｇｏ５及びＭＦｏｌｄのプログラムを使用して設計した（ＭＦｏｌｄは、Ｚｕｃｋｅｒのエネルギー最小化法（Zucker, M. (1989) Science 244, 48-52; SantaLucia, J. Jr. (1998) Proc. Natl. Acad. Sci. USA 95, 1460-1465）を使用してＲＮＡ若しくはＤＮＡ分子について最適及び次善の二次構造を予測する）。
【０３９３】
生じた P. viticola Ｓｃｏｒｐｉｏｎプライマーの配列は：
【０３９４】
【化１１】
2004533230.tif 000063
【０３９５】
であった。
下線を施した領域はヘアピン形成部分（Ｓｃｏｒｐｉｏｎプライマーが反応しない場合）であり；ＦＡＭはフルオレセイン色素であり；ＭＲ（メチルレッド）はウラシル残基へ付いた非蛍光産生消光物質であり、そしてＨＥＧは複製を遮断するヘックスエチレングリコールモノマーである。イタリック体の配列は逆向きプライマー配列であり、太字の配列は、この逆向きプライマーの忠実な P. viticola ｃｙｔ  ｂ伸長産物へ結合するＳｃｏｒｐｉｏｎ配列である。下線を施して太字でもある塩基は、ヘアピンステムの一部としても、そして逆向きプライマーの伸長産物へ結合するＳｃｏｒｐｉｏｎ配列としても参画する。
【０３９６】
このＳｃｏｒｐｉｏｎプライマーのステムループ二次構造は、ＭＦｏｌｄプログラムを使用して視覚化することが可能であり（図１９を参照のこと）、標的ｃｙｔ  ｂ遺伝子へハイブリダイズしないときは−２．２ｋｃａｌ／モルのエネルギーを有すると予測される。しかしながら、伸長産物の存在下では、このヘアピン構造が分離し、このときＳｃｏｒｐｉｏｎプライマーのプローブ配列は、−６．１ｋｃａｌ／モルの予測エネルギーで伸長産物へハイブリダイズする。これによりＦＡＭ色素がその消光物質から離れ、例えばＡＢＩ  Ｐｒｉｓｍ  ７７００機器により検出可能な蛍光の放出を引き起こす。故に、新たに合成される鎖へのＳｃｏｒｐｉｏｎ要素のアニーリングは、Ｓｃｏｒｐｉｏｎステムループに比較して、エネルギー的に好ましい。
【０３９７】
このアンチセンスＳｃｏｒｐｉｏｎプライマーは、コドン１２９の１位でチミン若しくはシトシン残基を検出するための以下のセンスＡＲＭＳプライマーと組み合わせて使用することが可能である。
【０３９８】
【化１２】
2004533230.tif 000064
【０３９９】
上記ＡＲＭＳプライマーのそれぞれにおいては、−１塩基（プライマー配列の３’末端塩基）が標的の点突然変異部位に対応する。太字で表した塩基は、野生型 P. viticola シトクロムｂ配列と異なる。ＰＶ１２９−１３及びＰＶ１２９−１６のプライマーにおい
ては、−２位をＡからＴへ変化させる。ＰＶ１２９−１４及びＰＶ１２９−１７のプライマーにおいては、−２位をＡからＣへ変化させる。Ｐｔ１２９−１５及びＰｔ１２９−１８のプライマーにおいては、−２位をＡからＧへ変化させる。この配列へのこれらの改変は、鋳型／プライマーハイブリッドを不安定にし、プライマー伸長を対応する鋳型により特異的にする。生じるアンプリコンは、ＡＲＭＳプライマーで２７８ｂｐの長さであり、対照プライマーで２８０ｂｐの長さであろう。
【０４００】
プライマーはすべてＯｓｗｅｌ  ＤＮＡサービス（Ｌａｂ５００５，Medical and Biological Sciences Building, サウサンプトン）により合成可能である。プライマーは、使用前に、全量５００μｌの二重蒸留ヌクレアーゼフリーＨ2Ｏ中５μＭへそれぞれ希釈する。次いで、このプライマーをＰＣＲにおいて５００ｎＭの最終濃度へさらに希釈する。
【実施例１８】
【０４０１】
P. viticola におけるＦ１２９Ｌ及びＬ１２９対立遺伝子の検出及び定量へのＭＧＢ（副溝結合剤）ハイブリダイゼーションアッセイの設計
実施例１１に従って入手した、野生型 P. viticola とサンプルＩ１１２及びＩ１１６ｂのシトクロムｂ遺伝子の配列を利用して、フェニルアラニンのロイシンアミノ酸変化をコードする、コドン１２９の第一位でのＴからＣヘの点突然変異（ＳＮＰ−一塩基多型）を検出するために、ＭＧＢハイブリダイゼーションアッセイを設計した。このアッセイは、点突然変異（ＳＮＰ）から上流の共通前向きプライマー、点突然変異（ＳＮＰ）から下流の共通逆向きプライマー、及び点突然変異（ＳＮＰ）をカバーする２つのＭＧＢプローブ（１つは野生型配列に適合するものであり、１つは突然変異体配列に適合するもの）を利用する。このアッセイは、設計基準に従って、Ｐｒｉｍｅｒ  Ｅｘｐｒｅｓｓ  ｖｓ  １．５ソフトウェアを使用して設計した。
【０４０２】
プライマー及びプローブの配列は以下の通りである：
【０４０３】
【化１３】
2004533230.tif 000065
【０４０４】
このプローブは相補配列に対して設計される。太字で強調されて下線を施した塩基は、点突然変異（ＳＮＰ）である。突然変異体プローブは、５’末端でフルオロフォアのＦＡＭで標識し、野生型プローブは、５’末端でフルオロフォアのＶＩＣで標識する。いずれのプローブも３’末端にＭＧＢ単位を付けて修飾する。このプライマーとプローブはアプライド・バイオシステムズ（Kelvin Close, Birchwood Science Park North, ウォリントン、チェシア、ＷＡ３  ７ＰＢ）により合成した。
【実施例１９】
【０４０５】
P. viticola におけるＦ１２９Ｌ  ＳＮＰの検出及び定量のＭＧＢハイブリダイゼーションアッセイのバリデーション
第一のバリデーション実験は、野生型及び突然変異体に特異的なＭＧＢプローブのその正しいＤＮＡ鋳型へのハイブリダイゼーションの特異性を、その不正確なＤＮＡ鋳型と比較して試験することに関連した。すべてのＭＧＢハイブリダイゼーションアッセイを以下の反応条件を使用して実施する：前向き及び逆向きプライマーは、反応物中９００ｎＭの最終濃度であり、野生型若しくは突然変異体のＭＧＢハイブリダイゼーションプローブは、反応物中２００ｎＭの最終濃度であり、ｔａｑｍａｎ万能ＰＣＲマスターミックスを２ｘ濃度で供給し、５μｌのＤＮＡを使用し、そして反応物をヌクレアーゼフリーＨ2Ｏで全量２５μｌへ調製する。ＰＣＲサイクル処理条件は以下の通りである：５０℃２分間で１サイクルに続く、９５℃１０分間の１サイクルに続き、９５℃１５秒間、及び６０℃１分間の５０サイクル。すべてのサイクルを通してアニーリング／伸長段階の間、蛍光をモニターする。
【０４０６】
野生型及び突然変異体ＭＧＢプローブの特異性を、１２９位で野生型（Ｆ１２９対立遺伝子）又は突然変異体（Ｌ１２９対立遺伝子）配列のいずれかをコードする一部のｃｙｔ  ｂ遺伝子を含有するプラスミドＤＮＡ構築体を使用して試験した。これらは実施例１４に記載のように調製した。野生型（Ｆ１２９対立遺伝子）ｃｙｔ  ｂ遺伝子配列を含有するプラスミドＤＮＡと突然変異体（Ｌ１２９対立遺伝子）ｃｙｔ  ｂ遺伝子配列を含有するそれを、１０倍希釈系列により、２ｘ１０8〜２ｘ１０2分子／μｌへ希釈した。これらをすべて、上記のように、野生型ＭＧＢプローブと突然変異体ＭＧＢプローブでの両方のアッセイにおいて試験した。水のみの対照も含めた。この結果を表４１及び４２に示す。
【０４０７】
【表５２】
2004533230.tif 000066
【０４０８】
【表５３】
2004533230.tif 000067
【０４０９】
上記の結果は、野生型や突然変異体のＭＧＢハイブリダイゼーションプローブはいずれも鋳型ＤＮＡ濃度の希釈系列にわたり、その不正確な鋳型へは結合しないことを示す。
第二のバリデーション実験は、突然変異体ＭＧＢハイブリダイゼーションプローブ及び野生型ＭＧＢハイブリダイゼーションプローブの検出の感度を検討した。２ｘ１０7分子／μｌの濃度のＬ１２９対立遺伝子（突然変異体）含有プラスミドＤＮＡを、２ｘ１０7分子／μｌの一定濃度のＦ１２９対立遺伝子（野生型）含有プラスミドＤＮＡのバックグラウンドへ希釈して、以下の比率を得た：１：１、１：１０、１：１００、１：１，０００、１：１０，０００、及び１：１００，０００のＬ１２９：Ｆ１２９対立遺伝子。ＰＣＲにおける最終プラスミド濃度は１ｘ１０8分子／μｌであった。野生型ＭＧＢプローブと突然変異体ＭＧＢプローブの両方を用いるアッセイにおいて、野生型プラスミド、突然変異体プラスミド、及び水のみの対照とともにこれらを試験した。この結果を表４３に示す。
【０４１０】
【表５４】
2004533230.tif 000068
【０４１１】
このアッセイの検出の感度は、１０個の野生型（Ｆ１２９）対立遺伝子のバックグラウンドにおいて１個だけの突然変異体（Ｌ１２９）対立遺伝子である。共通前向き及び逆向きプライマー対と組み合わせて、突然変異の検出にＴａｑＭａｎプローブ又はＴａｑＭａｎ  ＭＧＢプローブを使用するハイブリダイゼーションアッセイは、真菌サンプル内で５〜１０％のレベルで突然変異体対立遺伝子を検出することが可能である。より低いレベルの突然変異体対立遺伝子の検出が求められるときは、好適な検出系と組み合わせたＡＲＭＳプライマー、即ちＳｃｏｒｐｉｏｎプライマーを使用することがより好ましい。
【実施例２０】
【０４１２】
Ｑ0Ｉ部位阻害性殺真菌剤への低下した感受性を示す Alternaria solani 単離物由来のシトクロムｂ遺伝子の特性決定
バイオアッセイにおいて試験したときにＱ0Ｉ部位阻害性殺真菌剤への低下した感受性を示す A. solani の２つの単離物からもシトクロムｂ遺伝子を特性決定した。これらの単離物からＤＮＡを抽出し、生じたｇＤＮＡ（ゲノムＤＮＡ）をＰＣＲにおける鋳型として使用して、シトクロムｂ遺伝子を増幅した。ＰＣＲは、以下のプライマーを使用して：
前向きプライマー：５’ＣＴＧＴＴＡＴＣＴＴＴＡＴＣＴＴＡＡＴＧＡＴＧＧ３’
逆向きプライマー：５’ＧＧＡＡＴＡＧＡＴＣＴＴＡＡＴＡＴＡＧＣＡＴＡＧ３’
以下の条件の下で：９４℃３分間の１サイクルに続き、９５℃４５秒、５８℃４５秒、及び７２℃１分３０秒の３０サイクル、次いで７２℃１０分の１サイクル、先述のように実施した。
【０４１３】
ＰＣＲ産物をゲル電気泳動により視覚化し、正しい予測サイズのそれをＩｎｖｉｔｒｏｇｅｎのＴＯＰＯ  ＴＡクローニングキットを使用してクローニングし、E. coli へ形質転換した。形質転換体の E. coli コロニーを選択し、継代培養し、先述のように、ミニ調製によりプラスミドＤＮＡを調製した。プラスミドＤＮＡを配列決定し（実施例１１参照）、適正なバイオインフォマティクスソフトウェア（Ｓｅｑｍａｎ、Ｅｄｉｔｓｅｑ、及びＭａｃａｗ）を使用して、配列データを解析した。この２つの単離物由来の演繹されたシトクロムｂ遺伝子配列を、（すでに決定されている）既知の野生型シトクロムｂ配列と比較した。ヌクレオチド及びアミノ酸の並置を図２０及び２１に示すが、アミノ酸配列は、遺伝暗号（ＮＣＢＩ命名法）に記載される「糸状菌、原生動物、及び腔腸動物ミトコンドリアのコード−第４号」を使用して予測した：
http://www3.ncbi.nlm.nih.gov/htbin-post/Taxonomy/wprintgc?mode=t
第一の A. solani サンプルのシトクロムｂ遺伝子におけるコドン１２９の第一位には、ＴからＣヘの突然変異（ＳＮＰ）の存在が観察された。この突然変異は、ベースライン／親サンプルと比較すると、S. cerrivisae の番号付けシステムによる１２９位でのフェニルアラニンからロイシンアミノ酸への変化をもたらす。第二のサンプル（サンプル２）もコドン１２９における突然変異（ＳＮＰ）の存在を示したが、これはコドン１２９の第三位でのＣからＡへのものであった。これもまた、S. cerrivisae の番号付けシステムによる１２９位でのフェニルアラニンからロイシンへの変化をもたらす。バイオアッセイにおいて観察された、これら２つのサンプルのそれぞれにおけるＱ0Ｉ部位阻害性化合物への低下した感受性は、１２９位でのフェニルアラニン（Ｆ）のロイシン（Ｌ）へのアミノ酸変化に関連している可能性がある。ＦからＬへのアミノ酸変化を与える一塩基多型（ＳＮＰ）が A. solani において見られたのはこれが初めてである。また、ある真菌種において、シトクロムｂのコドン１２９における２つの異なるＳＮＰがＦからＬへのアミノ酸変化をコードするそれぞれについて検出されたのも初めてのことである。
【図面の簡単な説明】
【０４１４】
【図１】Pythium aphanidermatum の単離物の起源とアゾキシストロビンへの感受性を記載する表。
【図２】アゾキシストロビン処理した芝生での病気の発現を記載する表。
【図３】P. aphanidermatum ｃｙｔ  ｂのアミノ酸７３〜２８３に対応する領域の分子特性決定の要約。
【図４】２つのコンセンサスＫ３７５８配列の一部野生型 P. aphanidermatum ｃｙｔ  ｂ遺伝子配列との塩基対並置（アラインメント）。
【図５】２つのコンセンサスＫ３７５８配列の一部野生型 P. aphanidermatum ｃｙｔ  ｂ遺伝子配列とのアミノ酸並置。
【図６】センス対立遺伝子選択ＡＲＭＳプライマーと組み合わせた、P. aphanidermatum Ｆ１２９Ｌアッセイに使用のアンチセンスＳｃｏｒｐｉｏｎプライマーのステムループ二次構造。
【図７】プライマーＰｔ１２９−１を用いた野生型プラスミド（Ａ３及びＡ４のウェル）の増幅と突然変異体プラスミド（Ａ１及びＡ２のウェル）の増幅を示すグラフ。
【図８】プライマーＰｔ１２９−４を用いた突然変異体プラスミド（Ａ１及びＡ２のウェル）の増幅と野生型プラスミド（Ａ３及びＡ４のウェル）の増幅を示すグラフ。
【図９】アンチセンス対立遺伝子選択ＡＲＭＳプライマーと組み合わせた、P. aphanidermatum Ｆ１２９Ｌアッセイに使用のセンスＳｃｏｒｐｉｏｎプライマーのステムループ二次構造。
【図１０】ＡＲＭＳプライマーＰｔ１２９−Ａ１４及びＰｔ１２９−Ｃ４に適した鋳型に対するＣｔ値のプロット。
【図１１】ＡＲＭＳプライマーＰｔ１２９−Ａ１４及びＰｔ１２９−Ｃ４間のΔＣｔの鋳型濃度に対するプロット。
【図１２】耐性（Ｌ１２９）対立遺伝子の１０倍希釈物を野生型（Ｆ１２９）対立遺伝子の一定バックグラウンドへスパイクしたときの、Ｌ１２９対立遺伝子のＡＲＭＳプライマーＰｔ１２９−Ａ１４を用いた増幅を示すプロット。
【図１３】P. aphanidermatum Ｆ１２９ＬアッセイでのΔＣｔに対するＤＮＡ濃度の対数（ｌｏｇ１０）のプロット。
【図１４】in planta 用量応答アッセイ用の P. viticola サンプルＩ１１２及びＩ１１６ｂの調製を示す流れ図。
【図１５】図１５−１乃至図１５−４は、単離物Ｉ１１２及びＩ１１６ｂについてのＤＮＡ並置を示す。
【図１６】図１６−１及び図１６−２は、単離物Ｉ１１２及びＩ１１６ｂについてのアミノ酸並置を示す。
【図１７】P. viticola のセンスＳｃｏｒｐｉｏｎプライマーを示す。
【図１８】P. viticola Ｆ１２９ＬアッセイでのΔＣｔに対するＤＮＡ濃度の対数（ｌｏｇ１０）のプロット。
【図１９】P. viticola についてのアンチセンスＳｃｏｒｐｉｏｎプライマーを示す。
【図２０】A. solani の２つの単離物についてのヌクレオチド並置を示す。
【図２１】A. solani の２つの単離物についてのアミノ酸並置を示す。
【図１】
2004533230.tif 000069
【図２】
2004533230.tif 000070
【図３】
2004533230.tif 000071
【図４】
2004533230.tif 000072
【図５】
2004533230.tif 000073
【図７】
2004533230.tif 000074
【図８】
2004533230.tif 000075
【図１０】
2004533230.tif 000076
【図１１】
2004533230.tif 000077
【図１２】
2004533230.tif 000078
【図１３】
2004533230.tif 000079
【図１４】
2004533230.tif 000080
【図１５−１】
2004533230.tif 000081
【図１５−２】
2004533230.tif 000082
【図１５−３】
2004533230.tif 000083
【図１５−４】
2004533230.tif 000084
【図１６−１】
2004533230.tif 000085
【図１６−２】
2004533230.tif 000086
【図１８】
2004533230.tif 000087
【図２０】
2004533230.tif 000088
【図２１】
2004533230.tif 000089
【国際公開パンフレット】
2004533230.tif 000090
2004533230.tif 000091
2004533230.tif 000092
2004533230.tif 000093
2004533230.tif 000094
2004533230.tif 000095
2004533230.tif 000096
2004533230.tif 000097
2004533230.tif 000098
2004533230.tif 000099
2004533230.tif 000100
2004533230.tif 000101
2004533230.tif 000102
2004533230.tif 000103
2004533230.tif 000104
2004533230.tif 000105
2004533230.tif 000106
2004533230.tif 000107
2004533230.tif 000108
2004533230.tif 000109
2004533230.tif 000110
2004533230.tif 000111
2004533230.tif 000112
2004533230.tif 000113
2004533230.tif 000114
2004533230.tif 000115
2004533230.tif 000116
2004533230.tif 000117
2004533230.tif 000118
2004533230.tif 000119
2004533230.tif 000120
2004533230.tif 000121
2004533230.tif 000122
2004533230.tif 000123
2004533230.tif 000124
2004533230.tif 000125
2004533230.tif 000126
2004533230.tif 000127
2004533230.tif 000128
2004533230.tif 000129
2004533230.tif 000130
2004533230.tif 000131
2004533230.tif 000132
2004533230.tif 000133
2004533230.tif 000134
2004533230.tif 000135
2004533230.tif 000136
2004533230.tif 000137
2004533230.tif 000138
2004533230.tif 000139
2004533230.tif 000140
2004533230.tif 000141
2004533230.tif 000142
2004533230.tif 000143
2004533230.tif 000144
2004533230.tif 000145
2004533230.tif 000146
2004533230.tif 000147
2004533230.tif 000148
2004533230.tif 000149
2004533230.tif 000150
2004533230.tif 000151
2004533230.tif 000152
2004533230.tif 000153
2004533230.tif 000154
2004533230.tif 000155
2004533230.tif 000156
2004533230.tif 000157
2004533230.tif 000158
2004533230.tif 000159
2004533230.tif 000160
2004533230.tif 000161
2004533230.tif 000162
2004533230.tif 000163
2004533230.tif 000164
2004533230.tif 000165
2004533230.tif 000166
2004533230.tif 000167
2004533230.tif 000168
2004533230.tif 000169
2004533230.tif 000170
2004533230.tif 000171
2004533230.tif 000172
2004533230.tif 000173
2004533230.tif 000174
2004533230.tif 000175
2004533230.tif 000176
2004533230.tif 000177
2004533230.tif 000178
2004533230.tif 000179
2004533230.tif 000180
2004533230.tif 000181
2004533230.tif 000182
2004533230.tif 000183
2004533230.tif 000184
2004533230.tif 000185
2004533230.tif 000186
2004533230.tif 000187
2004533230.tif 000188
2004533230.tif 000189
2004533230.tif 000190
2004533230.tif 000191
2004533230.tif 000192
2004533230.tif 000193
2004533230.tif 000194
2004533230.tif 000195
2004533230.tif 000196
2004533230.tif 000197
2004533230.tif 000198
2004533230.tif 000199
2004533230.tif 000200
2004533230.tif 000201
2004533230.tif 000202
2004533230.tif 000203
2004533230.tif 000204
2004533230.tif 000205
2004533230.tif 000206
2004533230.tif 000207
2004533230.tif 000208
2004533230.tif 000209
2004533230.tif 000210
2004533230.tif 000211
2004533230.tif 000212
2004533230.tif 000213
2004533230.tif 000214
2004533230.tif 000215
2004533230.tif 000216
2004533230.tif 000217
2004533230.tif 000218
2004533230.tif 000219
2004533230.tif 000220
2004533230.tif 000221
2004533230.tif 000222
2004533230.tif 000223
2004533230.tif 000224
2004533230.tif 000225
2004533230.tif 000226
2004533230.tif 000227
2004533230.tif 000228
2004533230.tif 000229
2004533230.tif 000230
2004533230.tif 000231
2004533230.tif 000232
2004533230.tif 000233
2004533230.tif 000234
2004533230.tif 000235
2004533230.tif 000236
2004533230.tif 000237
2004533230.tif 000238
2004533230.tif 000239
2004533230.tif 000240
2004533230.tif 000241
2004533230.tif 000242
2004533230.tif 000243
2004533230.tif 000244
2004533230.tif 000245
2004533230.tif 000246
2004533230.tif 000247
2004533230.tif 000248
2004533230.tif 000249
2004533230.tif 000250
2004533230.tif 000251
2004533230.tif 000252
2004533230.tif 000253
2004533230.tif 000254
【国際公開パンフレット（コレクトバージョン）】
2004533230.tif 000255
【国際調査報告】
2004533230.tif 000256
2004533230.tif 000257